(57)【要約】  ワイヤレス通信のための方法、装置、およびコンピュータ可読媒体が提供される。装置は、装置と関連付けられるＢＳＳ内での通信延期ポリシーを決定するように構成される。装置は、第２のワイヤレスデバイスからメッセージを受信するように構成される。装置は、メッセージのメッセージタイプを決定するように構成される。装置は、決定されたメッセージタイプに基づいて、メッセージがＯＢＳＳと関連付けられるかどうかを決定するように構成される。装置は、通信延期ポリシー、メッセージタイプ、およびメッセージがＯＢＳＳと関連付けられるかどうかに基づいて、通信を延期するかどうかを決定するように構成される。
2018519713.tif 000002
【特許請求の範囲】
【請求項１】
第１のデバイスタイプの第１のワイヤレスデバイスによるワイヤレス通信の方法であって、
前記第１のワイヤレスデバイスと関連付けられる基本サービスセット（ＢＳＳ）内での通信延期ポリシーを決定することと、
第２のワイヤレスデバイスからメッセージを受信することと、
前記メッセージのメッセージタイプを決定することと、
前記決定されたメッセージタイプに基づいて、前記メッセージが重複する基本サービスセット（ＯＢＳＳ）と関連付けられるかどうかを決定することと、
前記通信延期ポリシー、前記メッセージタイプ、および前記メッセージが前記ＯＢＳＳと関連付けられるかどうかに基づいて、通信を延期するかどうかを決定することとを備える、方法。
【請求項２】
構成メッセージを受信することをさらに備え、前記構成メッセージが、前記メッセージが前記第１のワイヤレスデバイスの前記ＢＳＳからのものであるか前記第１のワイヤレスデバイスのＯＢＳＳからのものであるかに基づいて通信を延期するかどうかを示す、前記通信延期ポリシーを含み、前記通信延期ポリシーが前記構成メッセージに基づいて決定され、前記構成メッセージが前記第１のワイヤレスデバイスと同じＢＳＳの中のアクセスポイントから受信される、請求項１に記載の方法。
【請求項３】
前記メッセージが前記ＯＢＳＳと関連付けられるかどうかを前記決定することがさらに、前記メッセージの中のＢＳＳ識別子に基づく、請求項１に記載の方法。
【請求項４】
前記メッセージに含まれるデバイスタイプインジケータに基づいて、前記第２のワイヤレスデバイスが前記第１のデバイスタイプであるか第２のデバイスタイプであるかを決定することをさらに備え、通信を延期するかどうかの前記決定がさらに、前記第２のワイヤレスデバイスが前記第１のデバイスタイプであるか前記第２のデバイスタイプであるかに基づく、請求項１に記載の方法。
【請求項５】
通信を延期するように前記ＢＳＳと関連付けられるワイヤレスデバイスに命令するために静穏間隔を送信することと、
前記第１のデバイスタイプのワイヤレスデバイスによって復号可能である静穏成分打消しを送信することとをさらに備える、請求項１に記載の方法。
【請求項６】
クリアツーセンド（ＣＴＳ）メッセージのみを考慮するネットワーク割振りベクトルとともにリクエストツーセンド（ＲＴＳ）メッセージを送信すること、
第２のデバイスタイプのワイヤレスデバイスによって復号可能ではないＲＴＳメッセージまたはＣＴＳメッセージを送信すること、または、
電力閾値を下回る送信電力で、またはレート閾値を上回る送信レートで、ＲＴＳメッセージまたはＣＴＳメッセージを送信することをさらに備える、請求項１に記載の方法。
【請求項７】
第２のメッセージを送信することをさらに備え、前記第２のメッセージが、
ＯＢＳＳの再使用が許可されないことを示す予備のＢＳＳ識別子、
ＯＢＳＳの再使用を許可しないためにＢＳＳ識別子が存在せず、もしくは無効であること、または、
前記第２のメッセージが第１のリクエストツーセンド（ＲＴＳ）タイプもしくは第１のクリアツーセンド（ＣＴＳ）タイプであること
を示すことによって、ＯＢＳＳの再使用が許可されないことを示す、請求項１に記載の方法。
【請求項８】
第１のデバイスタイプの第１のワイヤレスデバイスである、ワイヤレス通信のための装置であって、
前記第１のワイヤレスデバイスと関連付けられる基本サービスセット（ＢＳＳ）内での通信延期ポリシーを決定するための手段と、
第２のワイヤレスデバイスからメッセージを受信するための手段と、
前記メッセージのメッセージタイプを決定するための手段と、
前記決定されたメッセージタイプに基づいて、前記メッセージが重複する基本サービスセット（ＯＢＳＳ）と関連付けられるかどうかを決定するための手段と、
前記通信延期ポリシー、前記メッセージタイプ、および前記メッセージが前記ＯＢＳＳと関連付けられるかどうかに基づいて、通信を延期するかどうかを決定するための手段とを備える、装置。
【請求項９】
構成メッセージを受信するための手段をさらに備え、前記構成メッセージが、前記メッセージが前記第１のワイヤレスデバイスの前記ＢＳＳからのものであるか前記第１のワイヤレスデバイスのＯＢＳＳからのものであるかに基づいて通信を延期するかどうかを示す、前記通信延期ポリシーを含み、前記通信延期ポリシーが前記構成メッセージに基づいて決定される、請求項８に記載の装置。
【請求項１０】
第１のデバイスタイプの第１のワイヤレスデバイスである、ワイヤレス通信のための装置であって、
メモリと、
前記メモリに結合された少なくとも１つのプロセッサとを備え、前記少なくとも１つのプロセッサが、
前記第１のワイヤレスデバイスと関連付けられる基本サービスセット（ＢＳＳ）内での通信延期ポリシーを決定し、
第２のワイヤレスデバイスからメッセージを受信し、
前記メッセージのメッセージタイプを決定し、
前記決定されたメッセージタイプに基づいて、前記メッセージが重複する基本サービスセット（ＯＢＳＳ）と関連付けられるかどうかを決定し、
前記通信延期ポリシー、前記メッセージタイプ、および前記メッセージが前記ＯＢＳＳと関連付けられるかどうかに基づいて、通信を延期するかどうかを決定する
ように構成される、装置。
【請求項１１】
前記少なくとも１つのプロセッサがさらに、構成メッセージを受信するように構成され、前記構成メッセージが、前記メッセージが前記第１のワイヤレスデバイスの前記ＢＳＳからのものであるか前記第１のワイヤレスデバイスのＯＢＳＳからのものであるかに基づいて通信を延期するかどうかを示す、前記通信延期ポリシーを含み、前記通信延期ポリシーが前記構成メッセージに基づいて決定される、請求項１０に記載の装置。
【請求項１２】
前記通信延期ポリシーが、
前記第２のワイヤレスデバイスのデバイスタイプ、
前記第２のワイヤレスデバイスから受信された前記メッセージの受信信号強度、
前記第２のワイヤレスデバイスからの前記メッセージに含まれる情報
のうちの１つまたは複数に基づいて、延期するかどうかを前記第１のワイヤレスデバイスに命令する、請求項１０に記載の装置。
【請求項１３】
前記メッセージに含まれる前記情報が、
前記第２のワイヤレスデバイスからの前記メッセージの意図される受信機における許容される干渉レベル、
前記第２のワイヤレスデバイスにおける許容される干渉レベル、
前記メッセージを送信するために使用される送信電力、
前記第２のワイヤレスデバイスによって送信または受信されるべきデータの変調およびコーディング方式（ＭＣＳ）、
非延期が許可されるかどうかの指示、または、
延期するかどうかを決定するために使用すべき前記第１のワイヤレスデバイスに対する閾値のセットを備える、請求項１２に記載の装置。
【請求項１４】
前記通信延期ポリシーが、前記メッセージが前記ＢＳＳと関連付けられるときに通信を延期するように前記第１のワイヤレスデバイスに命令する、請求項１０に記載の装置。
【請求項１５】
前記通信延期ポリシーがさらに、
前記メッセージが前記ＯＢＳＳと関連付けられるかどうか、
前記第２のワイヤレスデバイスが前記第１のデバイスタイプであるか第２のデバイスタイプであるかどうか、
前記メッセージの受信信号強度が第１の閾値未満であるかどうか、
前記メッセージがリクエストツーセンド（ＲＴＳ）メッセージである場合、前記メッセージの前記受信信号強度がＲＴＳ閾値未満であるかどうか、
前記メッセージがＣＴＳメッセージである場合、前記メッセージの前記受信信号強度がクリアツーセンド（ＣＴＳ）閾値未満であるかどうか、
前記メッセージの前記受信信号強度が前記第１のワイヤレスデバイスと関連付けられる第２の閾値未満であるかどうか、または、
前記メッセージに含まれる非延期のための条件のセットが満たされるかどうか
のうちの少なくとも１つに基づいて、通信を延期しないように前記第１のワイヤレスデバイスに命令する、請求項１４に記載の装置。
【請求項１６】
前記通信延期ポリシーが、前記メッセージが前記ＯＢＳＳと関連付けられる場合に通信を延期しないように前記第１のワイヤレスデバイスに命令する、請求項１５に記載の装置。
【請求項１７】
前記通信延期ポリシーが、前記メッセージが前記ＯＢＳＳと関連付けられ、前記メッセージの前記受信信号強度が前記第１の閾値未満である場合に、通信を延期しないように前記第１のワイヤレスデバイスに命令する、請求項１５に記載の装置。
【請求項１８】
前記通信延期ポリシーが、前記第２のワイヤレスデバイスが前記第１のデバイスタイプであり、前記メッセージが前記ＯＢＳＳと関連付けられる場合に、通信を延期しないように前記第１のワイヤレスデバイスに命令する、請求項１５に記載の装置。
【請求項１９】
前記通信延期ポリシーが、前記第２のワイヤレスデバイスのデバイスタイプおよび前記メッセージの前記メッセージタイプに基づいて、通信を延期しないように前記第１のワイヤレスデバイスに命令する、請求項１５に記載の装置。
【請求項２０】
前記通信延期ポリシーが、条件のセットに基づいてＯＢＳＳの再使用を許可するかどうかを前記第１のワイヤレスデバイスに命令する、請求項１０に記載の装置。
【請求項２１】
条件の前記セットが、前記第１のワイヤレスデバイスがサービングＡＰから距離の閾値未満にある場合に、前記第１のワイヤレスデバイスがＯＢＳＳの再使用を許可されることを示す、請求項２０に記載の装置。
【請求項２２】
条件の前記セットが、前記第１のワイヤレスデバイスがサービングＡＰから距離の閾値未満にある場合、ＯＢＳＳの再使用が原因の前記第２のワイヤレスデバイスへの干渉レベルが第１の干渉レベル未満である場合、または、ＯＢＳＳの再使用が原因の前記メッセージの意図される受信者への前記干渉レベルが第２の干渉レベル未満である場合に、前記第１のワイヤレスデバイスがＯＢＳＳの再使用を許可されることを示す、請求項２０に記載の装置。
【請求項２３】
前記少なくとも１つのプロセッサが、前記メッセージがリクエストツーセンド（ＲＴＳ）メッセージであるか、クリアツーセンド（ＣＴＳ）メッセージであるか、またはデータパケットであるかを決定することによって、前記メッセージタイプを決定するように構成される、請求項１０に記載の装置。
【請求項２４】
前記少なくとも１つのプロセッサがさらに、
前記メッセージがＲＴＳメッセージであるとき、前記メッセージが第１のＲＴＳタイプであるか、第２のＲＴＳタイプであるか、または第３のＲＴＳタイプであるかを決定すること、
前記メッセージがＣＴＳメッセージであるとき、前記メッセージが第１のＣＴＳタイプであるか、第２のＲＴＳタイプであるか、または第３のＣＴＳタイプであるかを決定すること
のうちの少なくとも１つを実行することによって、前記メッセージタイプを決定するように構成される、請求項２３に記載の装置。
【請求項２５】
前記第１のＲＴＳタイプが、受信機アドレスフィールドまたは送信機アドレスフィールドの中にＢＳＳ識別子を含む、請求項２４に記載の装置。
【請求項２６】
前記第２のＲＴＳタイプが、受信機アドレスフィールドまたは送信機アドレスフィールドの中にＢＳＳ識別子を含み、前記受信機アドレスフィールド、前記送信機アドレスフィールド、スクランブリングシードフィールド、信号フィールド、サービスフィールド、またはフレーム制御フィールドのうちの１つまたは複数に、デバイスタイプインジケータを含む、請求項２４に記載の装置。
【請求項２７】
前記第３のＲＴＳタイプが、ＢＳＳ識別子フィールドおよびデバイスタイプインジケータのうちの少なくとも１つを含み、
非延期が許可されるかどうかを前記第１のワイヤレスデバイスが決定することを可能にする受信信号強度インジケータ（ＲＳＳＩ）閾値、
非延期が許可されるかどうかを決定するための、前記第２のワイヤレスデバイスもしくは前記メッセージの意図される受信機における許容される干渉レベル、
前記第２のワイヤレスデバイスによって送信もしくは受信されるべきデータの変調およびコーディング方式（ＭＣＳ）、
性能要件のセット、または
複数のトラフィック識別子もしくはアクセスクラスと関連付けられるバッファステータスについての情報をさらに備える、請求項２４に記載の装置。
【請求項２８】
前記第１のＣＴＳタイプが、前記第１のワイヤレスデバイスが局である場合、受信機アドレスフィールドにＢＳＳ識別子を含み、前記第２のＲＴＳタイプが、前記受信機アドレスフィールド、スクランブリングシードフィールド、信号フィールド、サービスフィールド、またはフレーム制御フィールドのうちの１つまたは複数に前記ＢＳＳ識別子またはデバイスタイプインジケータのうちの少なくとも１つを含む、請求項２４に記載の装置。
【請求項２９】
前記第３のＣＴＳタイプが、ＢＳＳ識別子フィールドおよびデバイスタイプインジケータのうちの少なくとも１つを含み、
非延期が許可されるかどうかを前記第１のワイヤレスデバイスが決定することを可能にする受信信号強度インジケータ（ＲＳＳＩ）閾値、
非延期が許可されるかどうかを決定するための、前記第２のワイヤレスデバイスもしくは前記メッセージの意図される受信機における許容される干渉レベル、
前記第２のワイヤレスデバイスによって送信もしくは受信されるべきデータの変調およびコーディング方式（ＭＣＳ）、または
性能要件のセットをさらに備える、請求項２４に記載の装置。
【請求項３０】
コンピュータ実行可能コードを記憶する第１のデバイスタイプの第１のワイヤレスデバイスのコンピュータ可読媒体であって、前記コンピュータ実行可能コードが、
前記第１のワイヤレスデバイスと関連付けられる基本サービスセット（ＢＳＳ）内での通信延期ポリシーを決定し、
第２のワイヤレスデバイスからメッセージを受信し、
前記メッセージのメッセージタイプを決定し、
前記決定されたメッセージタイプに基づいて、前記メッセージが重複する基本サービスセット（ＯＢＳＳ）と関連付けられるかどうかを決定し、
前記通信延期ポリシー、前記メッセージタイプ、および前記メッセージが前記ＯＢＳＳと関連付けられるかどうかに基づいて、通信を延期するかどうかを決定する
ためのコードを備える、コンピュータ可読媒体。
【発明の詳細な説明】
【技術分野】
【０００１】
関連出願の相互参照
[0001]本出願は、その全体が参照により本明細書に明確に組み込まれる、２０１５年５月６日に出願された「ＣＯＭＭＵＮＩＣＡＴＩＯＮ  ＤＥＦＥＲＲＡＬ  ＢＡＳＥＤ  ＯＮ  ＲＥＱＵＥＳＴ  ＴＯ  ＳＥＮＤ  ＡＮＤ  ＣＬＥＡＲ  ＴＯ  ＳＥＮＤ  ＭＥＳＳＡＧＥＳ」と題される米国仮出願第６２／１５７，８９８号、および２０１６年５月５日に出願された「ＣＯＭＭＵＮＩＣＡＴＩＯＮ  ＤＥＦＥＲＲＡＬ  ＰＯＬＩＣＩＥＳ  ＴＯ  ＩＮＣＲＥＡＳＥ  ＲＥＵＳＥ」と題される米国特許出願第１５／１４７，７９３号の利益を主張する。
【０００２】
[0002]本開示は、全般に通信システムに関し、より詳細には、再使用を増やすための通信延期ポリシー（communication deferral policies）に関する。たとえば、通信の延期は、リクエストツーセンド（ＲＴＳ：request to send）メッセージ、クリアツーセンド（ＣＴＳ：clear to send）メッセージ、データメッセージ、または他のタイプのメッセージなどの、受信されたメッセージに基づき得る。本開示は、受信されたメッセージに基づいて通信をいつ延期するかを決定するための、様々な技法を提供する。
【背景技術】
【０００３】
[0003]多くの電気通信システムでは、いくつかの対話している空間的に離れたデバイスの間でメッセージを交換するために、通信ネットワークが使用される。ネットワークは、たとえば、メトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、ワイヤレスワイドエリアネットワーク（ＷＷＡＮ）、またはパーソナルエリアネットワーク（ＰＡＮ）と呼ばれる。ネットワークはまた、様々なネットワークノードとデバイスとを相互接続するために使用される交換／ルーティング技法（たとえば、回線交換対パケット交換）、送信に利用される物理媒体のタイプ（たとえば、有線対ワイヤレス）、および使用される通信プロトコルのセット（たとえば、インターネットプロトコルスイート、同期光ネットワーキング（ＳＯＮＥＴ）、イーサネット（登録商標）など）によって異なる。
【０００４】
[0004]ワイヤレスネットワークは、ネットワーク要素がモバイルであり、したがって動的な接続性が必要であるときに、またはネットワークアーキテクチャが固定されたトポロジではなくアドホックなトポロジで形成される場合に好ましいことが多い。ワイヤレスネットワークは、無線、マイクロ波、赤外線、光などの周波数帯域中の電磁波を使用する非誘導伝搬モードで無形物理媒体を利用する。ワイヤレスネットワークは、有利なことに、固定された有線ネットワークと比較すると、ユーザモビリティと迅速なフィールド展開とを容易にする。
【発明の概要】
【０００５】
[0005]本発明のシステム、方法、コンピュータ可読媒体、およびデバイスは、それぞれいくつかの態様を有し、それらのうちの単一の態様が、単独で、本発明の望ましい属性を担うとは限らない。次に、以下の特許請求の範囲によって表される本発明の範囲を限定することなく、いくつかの特徴が簡単に説明される。この説明を考慮すれば、特に「発明を実施するための形態」と題されるセクションを読めば、本発明の特徴が、ワイヤレスネットワークにおけるデバイスに利点をどのようにもたらすかが理解されよう。
【０００６】
[0006]本開示の一態様は、ワイヤレス通信のための装置（たとえば、局（ＳＴＡ）またはアクセスポイント（ＡＰ））を提供する。装置はＳＴＡであり得る。装置は、装置と関連付けられる基本サービスセット内の通信延期ポリシーを決定するように構成される。装置は、第２のワイヤレスデバイスからメッセージを受信するように構成される。装置は、メッセージのメッセージタイプを決定するように構成される。装置は、決定されたメッセージタイプに基づいて、メッセージが重複する基本サービスセット（ＯＢＳＳ：overlapping basic service set）と関連付けられるかどうかを決定するように構成される。装置は、通信延期ポリシー、メッセージタイプ、およびメッセージがＯＢＳＳと関連付けられるかどうかに基づいて、通信を延期するかどうかを決定するように構成される。
【０００７】
[0007]本開示の別の態様は、ワイヤレス通信のための装置（たとえば、ＡＰ）を提供する。装置はＡＰであり得る。装置は、装置と関連付けられるＢＳＳ内のＳＴＡのグループに対する通信延期ポリシーを決定するように構成される。装置はＳＴＡのグループに構成メッセージを送信するように構成され、構成メッセージは通信延期ポリシーを示す。
【０００８】
[0008]一実施形態では、ＡＰによるワイヤレス通信の方法が提供される。方法は、ＡＰと関連付けられるＢＳＳ内のＳＴＡのグループに対する通信延期ポリシーを決定することと、構成メッセージをＳＴＡのグループに送信することとを含むことがあり、ここで構成メッセージは通信延期ポリシーを示す。一構成では、通信延期ポリシーを決定することは、１つまたは複数の条件に基づいて、ＳＴＡのグループがＯＢＳＳ送信に従う（defer to）かどうかを決定することを含み得る。ある態様では、１つまたは複数の条件は、ＢＳＳとＯＢＳＳとの間の実効的なＢＳＳ距離を含み得る。別の態様では、通信延期ポリシーは、ＳＴＡのグループ内の各ＳＴＡに、各ＳＴＡがＢＳＳの中の別のＳＴＡからメッセージを受信するときに通信を延期するように命令し得る。別の態様では、通信延期ポリシーはさらに、ＳＴＡのグループ内の各ＳＴＡに、各ＳＴＡが別のＳＴＡからメッセージを受信するときに、メッセージがＯＢＳＳからのものであるかどうか、別のＳＴＡが第１のデバイスタイプであるか第２のデバイスタイプであるか、メッセージの受信信号強度が閾値未満（below）であるかどうか、メッセージの受信信号強度がメッセージにおいて示される第２の閾値未満であるかどうか、または非延期の要件が満たされる（met）かどうかのうちの少なくとも１つに基づいて、通信を延期しないように命令し得る。別の態様では、通信延期ポリシーは、条件のセットに基づいて、ＯＢＳＳの再使用を許可するかどうかをＳＴＡのグループに命令し得る。別の態様では、ＳＴＡのグループは、ＡＰからの距離に基づいて選択され得る。別の態様では、構成メッセージはＳＴＡのグループと関連付けられるグループインジケータを含むことがあり、ＳＴＡのグループはＢＳＳの中のＳＴＡのサブセットであることがある。別の態様では、通信延期ポリシーは、第２のＡＰの第２の通信延期ポリシーに基づき得る。別の構成では、通信延期ポリシーを決定することは、通信延期ポリシーを第２のＡＰとネゴシエートすることを含み得る。
【０００９】
[0009]別の実施形態では、ワイヤレス通信のためのＡＰが提供される。ＡＰは、ＡＰと関連付けられるＢＳＳ内のＳＴＡのグループに対する通信延期ポリシーを決定するための手段と、構成メッセージをＳＴＡのグループに送信するための手段とを含むことがあり、ここで構成メッセージは通信延期ポリシーを示す。一構成では、通信延期ポリシーを決定するための手段は、１つまたは複数の条件に基づいて、ＳＴＡのグループがＯＢＳＳ送信に従うかどうかを決定するように構成され得る。別の態様では、１つまたは複数の条件は、ＢＳＳとＯＢＳＳとの間の実効的なＢＳＳ距離を含み得る。ある態様では、通信延期ポリシーは、ＳＴＡのグループ内の各ＳＴＡに、各ＳＴＡがＢＳＳの中の別のＳＴＡからメッセージを受信するときに通信を延期するように命令し得る。別の態様では、通信延期ポリシーはさらに、ＳＴＡのグループ内の各ＳＴＡに、各ＳＴＡが別のＳＴＡからメッセージを受信するときに、メッセージがＯＢＳＳからのものであるかどうか、別のＳＴＡが第１のデバイスタイプであるか第２のデバイスタイプであるか、メッセージの受信信号強度が閾値未満であるかどうか、メッセージの受信信号強度がメッセージにおいて示される第２の閾値未満であるかどうか、または非延期の要件が満たされるかどうかのうちの少なくとも１つに基づいて、通信を延期しないように命令し得る。別の態様では、通信延期ポリシーは、条件のセットに基づいて、ＯＢＳＳの再使用を許可するかどうかをＳＴＡのグループに命令し得る。別の態様では、ＳＴＡのグループは、ＡＰからの距離に基づいて選択され得る。別の態様では、構成メッセージはＳＴＡのグループと関連付けられるグループインジケータを含むことがあり、ＳＴＡのグループはＢＳＳの中のＳＴＡのサブセットであることがある。別の態様では、通信延期ポリシーは、第２のＡＰの第２の通信延期ポリシーに基づき得る。別の構成では、通信延期ポリシーを決定するための手段は、通信延期ポリシーを第２のＡＰとネゴシエートするように構成され得る。
【００１０】
[0010]別の実施形態では、ワイヤレス通信のためのＡＰが提供される。ＡＰは、メモリと、メモリに結合され、ＡＰと関連付けられるＢＳＳ内のＳＴＡのグループに対する通信延期ポリシーを決定し、構成メッセージをＳＴＡのグループに送信するように構成される、少なくとも１つのプロセッサとを含むことがあり、ここで構成メッセージは通信延期ポリシーを示す。一構成では、少なくとも１つのプロセッサは、１つまたは複数の条件に基づいて、ＳＴＡのグループがＯＢＳＳ送信に従うかどうかを決定することによって、通信延期ポリシーを決定するように構成され得る。別の態様では、１つまたは複数の条件は、ＢＳＳとＯＢＳＳとの間の実効的なＢＳＳ距離を含み得る。ある態様では、通信延期ポリシーは、ＳＴＡのグループ内の各ＳＴＡに、各ＳＴＡがＢＳＳの中の別のＳＴＡからメッセージを受信するときに通信を延期するように命令し得る。別の態様では、通信延期ポリシーはさらに、ＳＴＡのグループ内の各ＳＴＡに、各ＳＴＡが別のＳＴＡからメッセージを受信するときに、メッセージがＯＢＳＳからのものであるかどうか、別のＳＴＡが第１のデバイスタイプであるか第２のデバイスタイプであるか、メッセージの受信信号強度が閾値未満であるかどうか、メッセージの受信信号強度がメッセージにおいて示される第２の閾値未満であるかどうか、または非延期の要件が満たされるかどうかのうちの少なくとも１つに基づいて、通信を延期しないように命令し得る。別の態様では、通信延期ポリシーは、条件のセットに基づいて、ＯＢＳＳの再使用を許可するかどうかをＳＴＡのグループに命令し得る。別の態様では、ＳＴＡのグループは、ＡＰからの距離に基づいて選択され得る。別の態様では、構成メッセージはＳＴＡのグループと関連付けられるグループインジケータを含むことがあり、ＳＴＡのグループはＢＳＳの中のＳＴＡのサブセットであることがある。別の態様では、通信延期ポリシーは、第２のＡＰの第２の通信延期ポリシーに基づき得る。別の構成では、少なくとも１つのプロセッサは、通信延期ポリシーを第２のＡＰとネゴシエートすることによって、通信延期ポリシーを決定するように構成され得る。
【００１１】
[0011]別の実施形態では、コンピュータ実行可能コードを記憶するＡＰのコンピュータ可読媒体が提供される。コンピュータ可読媒体は、ＡＰと関連付けられるＢＳＳ内のＳＴＡのグループに対する通信延期ポリシーを決定し、構成メッセージをＳＴＡのグループに送信するためのコードを含むことがあり、ここで構成メッセージは通信延期ポリシーを示す。
【図面の簡単な説明】
【００１２】
【図１】[0012]本開示の態様が利用され得る例示的なワイヤレス通信システムを示す図。
【図２】[0013]ＲＴＳ／ＣＴＳ動作の第１の例示的な方法を示す表。
【図３】[0014]ＲＴＳ／ＣＴＳ動作の第２の例示的な方法を示す表。
【図４】[0015]ＲＴＳ／ＣＴＳ動作の第３の例示的な方法を示す表。
【図５Ａ】[0016]第３のＲＴＳタイプの例示的な図。
【図５Ｂ】第３のＣＴＳタイプの例示的な図。
【図６】[0017]ＢＳＳ再使用（reuse）の制御の目的で通信延期ポリシーを決定するための例示的な方法の図。
【図７】[0018]図１のワイヤレス通信システムの中および外で通信を延期するかどうかを決定し得るワイヤレスデバイスの例示的な機能ブロック図。
【図８】[0019]ワイヤレスネットワークにおける通信を延期するかどうかを決定するための例示的な方法８００のフローチャート。
【図９】[0020]ワイヤレスネットワークにおける通信を延期するかどうかを決定し得る例示的なワイヤレス通信デバイスの機能ブロック図。
【図１０】[0021]図１のワイヤレス通信システムの中および外で通信を延期するかどうかを決定し得るワイヤレスデバイスの例示的な機能ブロック図。
【図１１】[0022]ワイヤレスネットワークにおける通信を延期するかどうかを決定するための例示的な方法のフローチャート。
【図１２】[0023]ワイヤレスネットワークにおける通信を延期するかどうかを決定し得る例示的なワイヤレス通信デバイスの機能ブロック図。
【図１３】[0024]通信延期ポリシーを示すための情報要素の例示的な図。
【発明を実施するための形態】
【００１３】
[0025]添付の図面を参照して、新規のシステム、装置、コンピュータ可読媒体、および方法の様々な態様が、以下でより十分に説明される。しかしながら、本開示は、多くの異なる形態で具現化されることがあり、本開示全体にわたって提示される特定の構造または機能に限定されるものと解釈されるべきではない。むしろ、これらの態様は、本開示が周到で完全になり、本開示の範囲を当業者に十分に伝えるように提供される。本明細書の教示に基づいて、本開示の範囲は、本発明の他の態様とは無関係に実装されるにせよ、本発明の他の態様と組み合わせて実装されるにせよ、本明細書で開示される新規のシステム、装置、コンプ、および方法のいかなる態様をも包含するものであることを、当業者は諒解されたい。たとえば、本明細書に記載される任意の数の態様を使用して、装置は実装されることが可能であり、または方法は実践されることが可能である。加えて、本発明の範囲は、本明細書に記載された本発明の様々な態様に加えて、またはそれら以外の、他の構造、機能、または構造および機能を使用して実践される装置または方法を包含するものである。本明細書で開示されるいかなる態様も、請求項の１つまたは複数の要素によって具現化され得ることを理解されたい。
【００１４】
[0026]本明細書では特定の態様が説明されるが、これらの態様の多くの変形および置換が本開示の範囲内に入る。好適な態様のいくつかの利益および利点が言及されるが、本開示の範囲は、特定の利益、使用、または目的に限定されるものではない。むしろ、本開示の態様は、様々なワイヤレス技術、システム構成、ネットワーク、および伝送プロトコルに広く適用可能なものであり、図において、および好ましい態様の以下の説明において、それらのうちのいくつかが例として示される。発明を実施するための形態および図面は、限定的ではなく本開示の例示にすぎず、本開示の範囲は、添付の特許請求の範囲およびその均等物によって定義される。
【００１５】
[0027]普及しているワイヤレスネットワーク技術は、様々なタイプのＷＬＡＮを含み得る。ＷＬＡＮは、広く使用されるネットワーキングプロトコルを利用して、近くのデバイスを互いに相互接続するために使用され得る。本明細書で説明される様々な態様は、ワイヤレスプロトコルなどの、任意の通信規格に適用され得る。
【００１６】
[0028]いくつかの態様では、ワイヤレス信号は、直交周波数分割多重（ＯＦＤＭ）、直接シーケンス拡散スペクトル（ＤＳＳＳ）通信、ＯＦＤＭとＤＳＳＳ通信との組合せ、または他の方式を使用して、８０２．１１プロトコルに従って送信され得る。８０２．１１プロトコルの実装形態は、センサ、検針、およびスマートグリッドネットワークに使用されることがある。有利なことに、８０２．１１プロトコルを実装するいくつかのデバイスの態様は、他のワイヤレスプロトコルを実装するデバイスよりも消費する電力が少ないことがあり、および／または、比較的長い距離、たとえば約１キロメートル以上にわたってワイヤレス信号を送信するために使用されることがある。
【００１７】
[0029]いくつかの実装形態では、ＷＬＡＮは、ワイヤレスネットワークにアクセスする構成要素である様々なデバイスを含む。たとえば、２つのタイプのデバイスであるアクセスポイント（ＡＰ）および（局または「ＳＴＡ」とも呼ばれる）クライアントがあり得る。一般に、ＡＰはＷＬＡＮのハブまたは基地局として働くことができ、ＳＴＡはＷＬＡＮのユーザとして働く。たとえば、ＳＴＡはラップトップコンピュータ、携帯情報端末（ＰＤＡ）、携帯電話などであり得る。一例では、ＳＴＡは、インターネットまたは他のワイドエリアネットワークへの一般的な接続性を得るためにＷｉ−Ｆｉ（登録商標）（たとえば、ＩＥＥＥ  ８０２．１１プロトコル）準拠ワイヤレスリンクを介してＡＰに接続する。いくつかの実装形態では、ＳＴＡはＡＰとして使用されることもある。
【００１８】
[0030]アクセスポイントはまた、ＮｏｄｅＢ、無線ネットワークコントローラ（ＲＮＣ）、ｅＮｏｄｅＢ、基地局コントローラ（ＢＳＣ）、基地トランシーバ局（ＢＴＳ）、基地局（ＢＳ）、トランシーバ機能（ＴＦ）、無線ルータ、無線トランシーバ、接続ポイント、もしくは何らかの他の用語を備えるか、それらのいずれかとして実装されるか、またはそれらのいずれかとして知られていることがある。
【００１９】
[0031]局はまた、アクセス端末（ＡＴ）、加入者局、加入者ユニット、移動局、リモート局、リモート端末、ユーザ端末、ユーザエージェント、ユーザデバイス、ユーザ機器、もしくは何らかの他の用語を備えるか、それらのいずれかとして実装されるか、またはそれらのいずれかとして知られていることがある。いくつかの実装形態では、ＳＴＡは、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示される１つまたは複数の態様は、電話（たとえば、携帯電話またはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれ得る。
【００２０】
[0032]「関連付ける」もしくは「関連付け」という用語、またはそれらの任意の変形は、本開示の文脈内で可能な最も広い意味を与えられるべきである。例として、第１の装置が第２の装置に関連付けるとき、２つの装置が直接関連付けられ得るか、または中間装置が存在し得ることを理解されたい。簡潔のために、２つの装置間の関連付けを確立するためのプロセスが、他の装置による「関連付け応答」によって続く、装置のうちの１つによる「関連付け要求」を必要とする、ハンドシェイクプロトコルを使用して説明される。ハンドシェイクプロトコルは、例として、認証を行うためのシグナリングなどの、他のシグナリングを必要とし得ることが、当業者には理解されよう。
【００２１】
[0033]本明細書における「第１」、「第２」などの名称を使用した要素への言及は、それらの要素の数量または順序を全般に限定するものでない。むしろ、これらの名称は、本明細書において２つまたはそれ以上の要素またはある要素の事例を区別する便利な方法として使用される。したがって、第１および第２の要素への言及は、２つの要素のみが利用され得ること、または第１の要素が第２の要素に先行しなければならないことを意味するものではない。さらに、項目のリスト「のうちの少なくとも１つ」に言及する語句は、単一のメンバーを含む、それらの項目の任意の組合せを指す。例として、「Ａ、Ｂ、またはＣのうちの少なくとも１つ」は、Ａ、またはＢ、またはＣ、またはこれらの任意の組合せ（たとえば、Ａ−Ｂ、Ａ−Ｃ、Ｂ−Ｃ、およびＡ−Ｂ−Ｃ）を包含するものとする。
【００２２】
[0034]上で論じられたように、本明細書で説明されるいくつかのデバイスは、たとえば、８０２．１１規格および／またはＬｏｎｇ  Ｔｅｒｍ  Ｅｖｏｌｕｔｉｏｎ（ＬＴＥ（登録商標））規格を実装し得る。そのようなデバイスは、ＳＴＡとして使用されるか、ＡＰとして使用されるか、他のデバイスとして使用されるかにかかわらず、スマートメータリングのために、またはスマートグリッドネットワークにおいて使用され得る。そのようなデバイスは、センサへの適用例を提供し、またはホームオートメーションにおいて使用され得る。その代わりに、またはそれに加えて、デバイスは、たとえば個人の健康管理のために、健康管理の状況で使用されることがある。デバイスはまた、監視のために、長距離のインターネット接続（たとえば、ホットスポットとともに使用される）を可能にするために、または機械間通信を実装するために使用されることがある。
【００２３】
[0035]図１は、本開示の態様が利用され得る、例示的なワイヤレス通信システム１００を示す。ワイヤレス通信システム１００は、１つまたは複数のワイヤレス規格、たとえば、８０２．１１規格および／またはＬＴＥ規格に従って動作し得る。ワイヤレス通信システム１００は、ＳＴＡ（たとえば、ＳＴＡ１１２、１１４、１１６、および１１８）と通信するＡＰ１０４を含み得る。態様では、ＡＰ１０４は、たとえば、ＷＬＡＮの中のアクセスポイントまたはＬＴＥネットワークの中の基地局（たとえば、進化型ＮｏｄｅＢ）であり得る。
【００２４】
[0036]様々なプロセスおよび方法は、ＡＰ１０４とＳＴＡとの間の、ワイヤレス通信システム１００における送信のために使用され得る。たとえば、信号は、ＯＦＤＭ／ＯＦＤＭＡ技法に従って、ＡＰ１０４とＳＴＡとの間で送信および受信され得る。そうである場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡとの間で送信および受信され得る。そうである場合、ワイヤレス通信システム１００はＣＤＭＡシステムと呼ばれることがある。
【００２５】
[0037]ＡＰ１０４からＳＴＡのうちの１つまたは複数への送信を容易にする通信リンクはダウンリンク（ＤＬ）１０８と呼ばれることがあり、ＳＴＡのうちの１つまたは複数からＡＰ１０４への送信を容易にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。いくつかの態様では、ＤＬ通信は、ユニキャストまたはマルチキャストのトラフィック指示を含み得る。
【００２６】
[0038]ＡＰ１０４は、いくつかの態様では、ＡＰ１０４が顕著なアナログデジタル変換（ＡＤＣ）クリッピング雑音を引き起こすことなく同時に２つ以上のチャネル上でＵＬ通信を受信し得るように、隣接チャネル干渉（ＡＣＩ：adjacent channel interference）を抑制し得る。ＡＰ１０４は、たとえば、各チャネルに対して別々の有限インパルス応答（ＦＩＲ）フィルタを有すること、または拡大されたビット幅をもつより長いＡＤＣバックオフ期間を有することによって、ＡＣＩの抑制を改善し得る。
【００２７】
[0039]ＡＰ１０４は、基地局として働き、基本サービスエリア（ＢＳＡ）１０２においてワイヤレス通信カバレージを与え得る。ＢＳＡ（たとえば、ＢＳＡ１０２）は、ＡＰ（たとえば、ＡＰ１０４）のカバレージエリアである。ＡＰ１０４は、ＡＰ１０４と関連付けられ通信にＡＰ１０４を使用するＳＴＡとともに、基本サービスセット（ＢＳＳ）と呼ばれることがある。ワイヤレス通信システム１００は、中央ＡＰ（たとえば、ＡＰ１０４）をもたないことがあり、むしろ、ＳＴＡ間のピアツーピアネットワークとして機能することがあることに留意されたい。したがって、本明細書で説明されるＡＰ１０４の機能は、ＳＴＡのうちの１つまたは複数によって代わりに実行されることがある。
【００２８】
[0040]ＡＰ１０４は、ダウンリンク１０８などの通信リンクを介して、ワイヤレス通信システム１００の他のノード（ＳＴＡ）にビーコン信号（または単に「ビーコン」）を、１つまたは複数のチャネル（たとえば、各チャネルが周波数帯域幅を含む、複数の狭帯域チャネル）上で送信することができ、ビーコン信号は、他のノード（ＳＴＡ）がそれらのタイミングをＡＰ１０４と同期させるのを助けることができ、または他の情報もしくは機能を提供することができる。そのようなビーコンは、定期的に送信されることがある。一態様では、連続する送信同士の間の期間は、スーパーフレームと呼ばれることがある。ビーコンの送信は、いくつかのグループまたは間隔に分割されることがある。一態様では、ビーコンは、限定はされないが、共通クロックを設定するためのタイムスタンプ情報、ピアツーピアネットワーク識別子、デバイス識別子、能力情報、スーパーフレーム持続時間、送信方向情報、受信方向情報、近隣リスト、および／または拡張近隣リストなどの情報を含むことがあり、それらのうちのいくつかが以下でさらに詳細に説明される。したがって、ビーコンは、いくつかのデバイスの間で共通である（たとえば、共有される）とともに所与のデバイスに固有である情報を含むことがある。
【００２９】
[0041]いくつかの態様では、ＳＴＡ（たとえば、ＳＴＡ１１４）は、ＡＰ１０４に通信を送信するために、および／またはＡＰ１０４から通信を受信するために、ＡＰ１０４に関連付けるように要求されることがある。一態様では、関連付けるための情報は、ＡＰ１０４によってブロードキャストされるビーコンに含まれる。そのようなビーコンを受信するために、ＳＴＡ１１４は、たとえば、カバレージ領域にわたって広範なカバレージ探索を実行することができる。また、探索は、ＳＴＡ１１４によって、たとえば、灯台方式でカバレージ領域を掃引することによって実行され得る。ビーコンとプローブ応答フレームのいずれかから、関連付けるための情報を受信した後、ＳＴＡ１１４は、関連付けプローブまたは要求などの基準信号をＡＰ１０４に送信し得る。いくつかの態様では、ＡＰ１０４は、たとえば、インターネットまたは公衆交換電話網（ＰＳＴＮ）などのより大きいネットワークと通信するために、バックホールサービスを使用することがある。
【００３０】
[0042]一態様では、ＳＴＡ１１４は、様々な機能を実行するための１つまたは複数の構成要素を含み得る。たとえば、ＳＴＡ１１４は、通信を延期するかどうかを決定することに関する手順を実行するように構成される通信延期構成要素１２６を含み得る。通信延期構成要素１２６は、ＳＴＡ１１４と関連付けられるＢＳＳ内での通信延期ポリシーを決定するように構成され得る。通信延期構成要素１２６は、第２のワイヤレスデバイスからメッセージを受信するように構成され得る。通信延期構成要素１２６は、メッセージのメッセージタイプを決定するように構成され得る。通信延期構成要素１２６は、決定されたメッセージタイプに基づいて、メッセージがＯＢＳＳと関連付けられるかどうかを決定するように構成され得る。通信延期構成要素１２６は、通信延期ポリシー、メッセージタイプ、およびメッセージがＯＢＳＳと関連付けられるかどうかに基づいて、通信を延期するかどうかを決定するように構成され得る。別の態様では、ＡＰ１０４は、通信延期構成要素１２６に関して説明されたのと同じ機能を実行する、通信延期構成要素を含み得る。
【００３１】
[0043]別の態様では、ＡＰ１０４は、様々な機能を実行するための１つまたは複数の構成要素を含み得る。たとえば、ＡＰ１０４は、通信延期ポリシーを決定するように構成されるポリシー構成要素１２４を含み得る。ポリシー構成要素１２４は、ＡＰ１０４と関連付けられるＢＳＳ内のＳＴＡのグループに対する通信延期ポリシーを決定するように構成され得る。ポリシー構成要素１２４はＳＴＡのグループに構成メッセージを送信するように構成されることがあり、構成メッセージは通信延期ポリシーを示すことがある。
【００３２】
[0044]（たとえば、未来のＩＥＥＥ  ８０２．１１規格のワイヤレスネットワークを含む）ワイヤレスネットワークの中のデータフローを管理するために、ワイヤレスデバイスは、データを受信することが可能であることを示すために、ＲＴＳメッセージを受信したことに応答して、データとＣＴＳメッセージとを送信する意図を示すためにＲＴＳメッセージを送信し得る。ＲＴＳメッセージおよびＣＴＳメッセージは、コリジョンを減らし隠れ端末（hidden nodes）をなくすために、密集した（dense）ネットワークにおいて有用であり得る。しかしながら、密集したネットワークにおいてＲＴＳメッセージとＣＴＳメッセージとを使用することは、ネットワークを過剰に抑制して、劣悪な（poor）スループットにつながることがある。複数のワイヤレスデバイス（wireless devices）が近接しているとき、これらのワイヤレスデバイスは、ＯＢＳＳと関連付けられるＲＴＳメッセージおよび／またはＣＴＳメッセージを検出する可能性がより高いことがあり、これは、ワイヤレスデバイスに通信をより頻繁に延期させることがある。再使用の増大を可能にするＲＴＳ／ＣＴＳメッセージが必要とされている。再使用の増大を可能にするＲＴＳ／ＣＴＳメッセージを使用することによって、ワイヤレスデバイスは、隠れ端末と誘発された（induced）隠れ端末とを減らしながら（while）、同時により多くの再使用を可能にし、それによりスループットを向上させることを含む、ＲＴＳ／ＣＴＳメッセージの利点を維持することができる。搬送波感知多重アクセス（ＣＳＭＡ）コリジョンの影響も軽減され得る。
【００３３】
[0045]以下でさらに詳細に論じられるように、ＲＴＳ／ＣＴＳメッセージにおいて再使用を増やすための方法は、ＲＴＳ／ＣＴＳメッセージに情報を追加することである。ＢＳＳ識別子（ＢＳＳＩＤ）情報は、ＲＴＳ／ＣＴＳメッセージがＢＳＳからのものかＯＢＳＳからのものかを受信機が決定することを可能にするために、ＲＴＳ／ＣＴＳメッセージに追加され得る。加えて、レガシーＲＴＳ／ＣＴＳメッセージ（たとえば、ＩＥＥＥ  ８０２．１１ａ、８０２．１１ａｃにおけるＲＴＳ／ＣＴＳ）と未来のＩＥＥＥ  ８０２．１１規格（たとえば、ＩＥＥＥ  ８０２．１１ａｘ）に関するＲＴＳ／ＣＴＳメッセージを区別するための情報が、異なるタイプのＲＴＳ／ＣＴＳメッセージに関して異なる動作を可能にするために使用される異なるタイプのＲＴＳ／ＣＴＳメッセージを作成するために追加され得る。本明細書でのＩＥＥＥ  ８０２．１１ａｘへの言及は、未来のＩＥＥＥ  ８０２．１１規格への例示的な言及として意図されている。ある態様では、ワイヤレスデバイスが、ＯＢＳＳ  ＲＴＳ／ＣＴＳメッセージと付随する（accompanying）データパケットとを送信する他のワイヤレスデバイスを無視してそれに優先して（over other）送信することを選びながら（while）、ＢＳＳ中（in-BSS）ＲＴＳ／ＣＴＳメッセージとデータパケットとに従い得るように、方法および規則が定義され得る。別の態様では、ＯＢＳＳ  ＲＴＳ／ＣＴＳメッセージと付随するデータパケットとを無視するという決定は、様々な要因に基づき得る。この決定は、ＲＴＳ／ＣＴＳメッセージがＯＢＳＳからのものであるかどうかに基づき得る。この決定は、ＲＴＳ／ＣＴＳメッセージ／データパケットが受信されたワイヤレスデバイスのタイプに基づき得る。この決定は、ＲＴＳ／ＣＴＳメッセージのタイプに基づき得る。たとえば、ワイヤレスデバイスは、ＯＢＳＳの中のＩＥＥＥ  ８０２．１１ａｘ適合デバイスによって送信されるＲＴＳ／ＣＴＳ／データパケットを無視する、たとえば、ＲＴＳ／ＣＴＳ／データパケットに（従わないことを選ぶ）ことがある。この決定は、ＲＴＳ／ＣＴＳメッセージ／データパケットからの受信信号強度インジケータ（ＲＳＳＩ）または信号干渉対雑音比（ＳＩＮＲ）に基づき得る。ある態様では、ワイヤレスデバイスは、ＯＢＳＳ  ＲＴＳ／ＣＴＳメッセージ／データパケットのＲＳＳＩがＲＳＳＩ閾値未満（less than）である場合、または、ＯＢＳＳ  ＲＴＳ／ＣＴＳメッセージ／データパケットのＳＩＮＲがＳＩＮＲ閾値未満である場合、ＯＢＳＳ  ＲＴＳ／ＣＴＳメッセージ／データパケットを無視し得る。ＲＳＳＩ閾値および／またはＳＩＮＲ閾値は、ＲＴＳメッセージ、ＣＴＳメッセージ、および／またはデータパケットに対して異なり得る。たとえば、ＯＢＳＳ  ＲＴＳメッセージは、ＲＳＳＩRTSがＲＴＳ  ＲＳＳＩ閾値未満である場合には無視されることがあり、ＯＢＳＳ  ＣＴＳメッセージは、ＲＳＳＩCTSがＣＴＳ  ＲＳＳＩ閾値未満である場合には無視されることがある。別の態様では、ワイヤレスデバイスは、ＲＴＳメッセージのＲＳＳＩがＲＴＳ  ＲＳＳＩ閾値未満であり、および、ＣＴＳメッセージのＲＳＳＩがＣＴＳ  ＲＳＳＩ閾値未満である場合、通信を延期しないと決定し得る。別の態様��は、ワイヤレスデバイスは、ＲＴＳメッセージのＳＩＮＲがＲＴＳ  ＳＩＮＲ閾値未満であり、および、ＣＴＳメッセージのＳＩＮＲがＣＴＳ  ＳＩＮＲ閾値未満である場合、通信を延期しないと決定し得る。別の態様では、異なるデバイスは異なる閾値を有し得る。たとえば、ワイヤレスデバイスは、別のワイヤレスデバイスとは異なる閾値／複数の閾値を使用し得る。ＯＢＳＳ  ＲＴＳ／ＣＴＳメッセージ／データパケットを無視するという決定は、ワイヤレスデバイスからサービングＡＰまでの距離、またはワイヤレスデバイスからサービングＡＰへのＲＳＳＩにも依存し得る。サービングＡＰにより近いワイヤレスデバイスは、サービングＡＰへの送信またはサービングＡＰからの受信が成功する可能性がより高いので、より高いＯＢＳＳ  ＲＴＳ／ＣＴＳメッセージ／データパケットのＲＳＳＩ／ＳＩＮＲ閾値を受け入れる意思があることがある。対照的に、サービングＡＰから遠く離れているワイヤレスデバイスは、より耐性が低いことがあり、そのような送信が下限の（lower）ＲＳＳＩ／ＳＩＮＲ閾値を下回って受信される場合には、ＯＢＳＳ  ＲＴＳ／ＣＴＳメッセージ／データパケットを無視することがある。別の態様では、各ワイヤレスデバイスに対する様々な閾値は、ＢＳＳにわたって、またはネットワークにわたって同じであり得る。別の態様では、様々な閾値は、ＩＥＥＥ  ８０２．１１規格の互換性に基づいて変化し得る。ＩＥＥＥ  ８０２．１１ａ／ａｃ規格に適合するワイヤレスデバイスは、未来のＩＥＥＥ  ８０２．１１規格（たとえば、ＩＥＥＥ  ８０２．１１ａｘ規格）に適合する別のワイヤレスデバイスとは異なる閾値を利用し得る。
【００３４】
[0046]別の態様では、ワイヤレスデバイスによって送信されるＲＴＳ／ＣＴＳメッセージは、ＯＢＳＳデバイスがＲＴＳ／ＣＴＳメッセージ／データパケットに加えて（on top of）送信することをＲＴＳ／ＣＴＳメッセージが許可するかどうかを示し得る。ＲＴＳ／ＣＴＳメッセージは、ＯＢＳＳワイヤレスデバイスがＲＴＳ／ＣＴＳメッセージ／データパケットに加えて送信することをＲＴＳ／ＣＴＳメッセージが許可する、条件のセットを示し得る。一例では、ＲＴＳ／ＣＴＳメッセージは、ＲＴＳ／ＣＴＳメッセージが無視され得るかどうかを決定するために使用されるべきＲＳＳＩ閾値を含み得る。ＲＴＳメッセージに対するＲＳＳＩ閾値は、ＣＴＳメッセージに対するＲＳＳＩ閾値とは異なり得る。別の例では、ＲＴＳ／ＣＴＳメッセージは、データパケットに必要とされるＳＩＮＲマージンを含むことがあり、ＳＩＮＲマージンは、ＯＢＳＳパケットが無視され得るかどうかを決定するために使用され得る。ＲＴＳ／ＣＴＳメッセージは、データ送信の変調コーディング方式（ＭＣＳ）を含むことがあり、これは、許容可能な干渉の量を決定するために使用され得る。さらに別の例では、ＲＴＳ／ＣＴＳメッセージは、ワイヤレスデバイスがメッセージの送信機に対してどれだけの干渉を引き起こすか、および、したがって通信を延期するかどうかを、ワイヤレスデバイスが決定することを可能にするために、ＲＴＳ／ＣＴＳメッセージの送信電力を含み得る。
【００３５】
[0047]図２は、ＲＴＳ／ＣＴＳ動作の第１の例示的な方法を示す表２００である。表２００を参照すると、ワイヤレスデバイス２１０は、第１のデバイスタイプ（たとえば、８０２．１１ａｘ適合ＳＴＡまたはＡＰ）であり得る。ワイヤレスデバイス２１２は、第２のデバイスタイプ（たとえば、８０２．１１ａｘ適合ではない）であることがあり、ワイヤレスデバイス２１０と同じＢＳＳの中にあることがある。ワイヤレスデバイス２１０は送信すべきデータを有し得る。送信の前に、ワイヤレスデバイス２１０は、ワイヤレスデバイス２１４、２１６、２１８、および２２０のいずれか１つであり得る第２のワイヤレスデバイスによって送信されるＲＴＳメッセージ、ＣＴＳメッセージ、および／またはデータパケットを検出することがある。ワイヤレスデバイス２１４は第１のデバイスタイプ（たとえば、８０２．１１ａｘ適合）であることがあり、ワイヤレスデバイス２１６は第２のデバイスタイプ（たとえば、８０２．１１ａｘ適合ではない）であることがある。ワイヤレスデバイス２１４、２１６は、ワイヤレスデバイス２１０と同じＢＳＳの中にあり得る。ワイヤレスデバイス２１８は第１のデバイスタイプであることがあり、ワイヤレスデバイス２２０は第２のデバイスタイプであることがある。ワイヤレスデバイス２１８、２２０は、ワイヤレスデバイス２１０およびワイヤレスデバイス２１２に関するある（an）ＯＢＳＳの中にあり得る。
【００３６】
[0048]第２のワイヤレスデバイスからＲＴＳメッセージ、ＣＴＳメッセージ、および／またはデータパケットを検出すると、ワイヤレスデバイス２１０は、通信延期ポリシーに基づいて通信を延期するかどうかを決定することができ、それは、送信が送られた元である（from which）ＢＳＳおよび／または他の要因に基づいて通信を延期するようにワイヤレスデバイス２１０に命令し得る。通信延期ポリシーはネットワーク全体に対して同じであることがあり、または、通信延期ポリシーはＢＳＳごとに（from one BSS to another BSS）異なることがある。通信延期ポリシーは、ＢＳＳのサービングＡＰによって決定されることがあり、または、ワイヤレスデバイス２１０内で事前に構成される（preconfigured）ことがある。通信延期ポリシーは、構成メッセージにおいてＡＰからＳＴＡに送信されることがあり、または、ＳＴＡおよび／もしくはＡＰ内で事前に構成されることがある。ある態様では、ワイヤレスデバイス２１０が通信延期ポリシーに基づいて延期すると決定するとき、ワイヤレスデバイス２１０は、受信された送信の時間長（duration）以上の時間の期間、通信を延期し得る。通信延期ポリシーは、ワイヤレスデバイス２１０が延期すると決定する場合には、延期の時間長が受信された送信の長さ以上であることを明示的に示し得る。
【００３７】
[0049]表２００は、第１の通信延期ポリシーと関連付けられる一般的なガイドラインを示す。第１の通信延期ポリシーのもとで、第１のデバイスタイプのワイヤレスデバイス２１０は、ＯＢＳＳ  ＲＴＳ／ＣＴＳメッセージとＢＳＳ中ＲＴＳ／ＣＴＳメッセージとを区別することが可能であることが必要である。しかしながら、ワイヤレスデバイス２１０は、第１のデバイスタイプ（たとえば、８０２．１１ａｘデバイス）と第２のデバイスタイプ（たとえば、８０２．１１ａ／ａｃデバイス）を区別する必要はなく、それは、第１の通信延期ポリシーが、通信を延期するかどうかを決定する際にデバイスタイプを考慮しないからである。第１の通信延期ポリシーでは、ワイヤレスデバイス２１０は、ワイヤレスデバイス２１０が（たとえば、ワイヤレスデバイス２１４またはワイヤレスデバイス２１６からの）ＢＳＳ中ＲＴＳ／ＣＴＳメッセージ／データパケットを検出するときには延期し得るが、ワイヤレスデバイス２１０が（たとえば、ワイヤレスデバイス２１８またはワイヤレスデバイス２２０からの）ＯＢＳＳ  ＲＴＳ／ＣＴＳメッセージ／データパケットを検出するときには延期する必要がない。以下で論じられるように、ワイヤレスデバイス２１０はそれでも（nevertheless）、ＲＴＳ／ＣＴＳメッセージ／データパケットに含まれる特性もしくは他の情報に基づいて、または、他の要因に基づいて、ＯＢＳＳ  ＲＴＳ／ＣＴＳメッセージ／データパケットに従い得る。第１の通信延期ポリシーのもとで、ワイヤレスデバイス２１０は、ＢＳＳ中のコリジョンを防ぐために、ＢＳＳ中メッセージに従う。ワイヤレスデバイス２１２は、ワイヤレスデバイス２１２が第２のデバイスタイプでありＯＢＳＳメッセージとＢＳＳ中メッセージとを区別することが可能ではないことがあるので、ＢＳＳ中ＲＴＳ／ＣＴＳメッセージとＯＢＳＳ  ＲＴＳ／ＣＴＳメッセージとに従う。ＯＢＳＳメッセージとＢＳＳ中メッセージを区別できないワイヤレスデバイス２１２は、延期し得る。
【００３８】
[0050]使用されるＲＴＳ／ＣＴＳメッセージの構成に応じて、ワイヤレスデバイス２１０は、第２のワイヤレスデバイスから受信されたメッセージがＢＳＳ中であるかＯＢＳＳであるか（whether）を決定するために、様々な方法を使用し得る。ある態様では、３つのタイプのＲＴＳメッセージおよび３つのタイプのＣＴＳメッセージがあり得る。第１のＲＴＳタイプは受信機アドレスフィールドと送信機アドレスフィールドとを含むことがあり、受信機アドレスフィールドおよび／または送信機アドレスフィールドはＢＳＳＩＤを含むことがある。ある態様では、第１のＲＴＳタイプはレガシーＲＴＳメッセージ（たとえば、ＩＥＥＥ  ８０２．１１ａ／ａｃ  ＲＴＳメッセージ）であり得る。第２のＲＴＳタイプは、第１のＲＴＳタイプのすべての態様を含み、次のフィールド：受信機アドレスフィールド、送信機アドレスフィールド、スクランブリングシードフィールド、信号フィールド、サービスフィールド、またはフレーム制御フィールド、のうちの１つまたは複数に、デバイスタイプインジケータをさらに含み得る。ある態様では、デバイスタイプインジケータは、受信機アドレスフィールドまたは送信機アドレスフィールドの中のＩ／Ｇビットであり得る。別の態様では、第２のＲＴＳタイプは、（たとえば、デバイスがＩＥＥＥ  ８０２．１１ａｘデバイスであることを示す）デバイスタイプインジケータを含む、レガシーＲＴＳメッセージであり得る。第３のＲＴＳタイプは、ＢＳＳ識別子フィールドおよびデバイスタイプインジケータのうちの少なくとも１つを含む、ＩＥＥＥ  ８０２．１１ａｘ  ＲＴＳメッセージであり得る。第３のＲＴＳタイプはさらに、非延期が許可されるかどうかをワイヤレスデバイス２１０が決定することを可能にするＲＳＳＩ閾値、非延期が許可されるかどうかを決定するための第２のワイヤレスデバイスまたはＲＴＳメッセージの意図される受信機における許容される干渉レベル、第２のワイヤレスデバイスにより送信されるべきデータのＭＣＳ、性能要件のセット、または、複数のトラフィック識別子もしくはアクセスクラスと関連付けられるバッファステータスについての情報のうちの、１つまたは複数を含み得る。
【００３９】
[0051]ＣＴＳタイプに関して、第１のＣＴＳタイプは、ワイヤレスデバイス２１０が局である場合には受信機アドレスフィールドの中にＢＳＳＩＤを含むことがあり、そうではなくワイヤレスデバイス２１０がＡＰである場合には、受信機アドレスはＢＳＳＩＤではなく局のアドレスを含むことがある。ある態様では、第１のＣＴＳタイプはレガシーＣＴＳメッセージ（たとえば、ＩＥＥＥ  ８０２．１１ａ／ａｃ  ＣＴＳメッセージ）であり得る。第２のＣＴＳタイプは、受信機アドレスフィールド、スクランブリングシードフィールド、信号フィールド、サービスフィールド、またはフレーム制御フィールドに、ＢＳＳＩＤまたはデバイスタイプインジケータのうちの少なくとも１つを含み得る。ある態様では、第２のＣＴＳタイプは、様々なフィールドのうちの１つにＢＳＳＩＤおよび／またはデバイスタイプインジケータを含む、レガシーＣＴＳメッセージであり得る。第３のＣＴＳタイプは、ＢＳＳ識別子フィールドおよびデバイスタイプインジケータのうちの少なくとも１つを含む、ＩＥＥＥ  ８０２．１１ａｘ適合ＣＴＳメッセージであり得る。第３のＣＴＳタイプはまた、非延期が許可されるかどうかをワイヤレスデバイス２１０が決定することを可能にするＲＳＳＩ閾値と、非延期が許可されるかどうかを決定するための第２のワイヤレスデバイスまたはメッセージの意図される受信機における許容される干渉レベルと、第２のワイヤレスデバイスにより受信されるべきデータのＭＣＳと、性能要件のセットとを含み得る。第１のデバイスタイプのワイヤレスデバイスは、様々なＲＴＳ／ＣＴＳタイプの様々な組合せを使用し得る。しかしながら、第２のデバイスタイプのワイヤレスデバイスは、第１のＲＴＳタイプと第１のＣＴＳタイプとを使用し得る。ＲＴＳ／ＣＴＳメッセージの５つの異なる構成の選択肢（options）が以下で説明される。
【００４０】
[0052]選択肢１Ａ：第１のＲＴＳタイプおよびＣＴＳタイプ
[0053]選択肢１Ａにおいて、第１のデバイスタイプ（たとえば、ＩＥＥＥ  ８０２．１１ａｘ適合製品）は、第１のＲＴＳタイプ（たとえば、ＩＥＥＥ  ８０２．１１ａ／ａｃ  ＲＴＳ）と第１のＣＴＳタイプ（たとえば、ＩＥＥＥ  ８０２．１１ａ／ａｃ  ＣＴＳ）とを使用する。第２のデバイスタイプ（たとえば、ＩＥＥＥ  ８０２．１１ａ／ａｃ製品）は第１のＲＴＳタイプと第１のＣＴＳタイプとを使用する。
【００４１】
[0054]この選択肢では、ワイヤレスデバイス２１０は、ワイヤレスデバイス２１０と関連付けられるＢＳＳ内での第１の通信延期ポリシーを決定し得る。ワイヤレスデバイス２１０がＳＴＡである場合、ワイヤレスデバイス２１０はサービングＡＰから構成メッセージを受信することができ、構成メッセージは第１の通信延期ポリシーを含み得る。ワイヤレスデバイス２１０は、受信された構成メッセージにおいて第１の通信延期ポリシーを受信することによって、第１の通信延期ポリシーを決定し得る。ワイヤレスデバイス２１０がＡＰである場合、ワイヤレスデバイス２１０は、以下でさらに論じられるように、第１の通信延期ポリシーを決定し得る。別の態様では、第１の通信延期ポリシーは、ワイヤレスデバイス２１０へと事前に構成され得る。
【００４２】
[0055]第１の通信延期ポリシーを決定した後で、ワイヤレスデバイス２１０は、第２のワイヤレスデバイス（たとえば、ＳＴＡまたはＡＰ）からメッセージを受信し得る。第２のワイヤレスデバイスは、ワイヤレスデバイス２１４、２１６、２１８、２２０のうちの１つであり得る。この選択肢では、第１のデバイスタイプのワイヤレスデバイス２１４、２１８は、第１のＲＴＳタイプと第１のＣＴＳタイプとを使用し得る。第２のデバイスタイプのワイヤレスデバイス２１６、２２０（are）は、第１のＲＴＳタイプと第１のＣＴＳタイプとを使用し得る。第２のワイヤレスデバイスからメッセージを受信すると、ワイヤレスデバイス２１０は、受信されたメッセージのメッセージタイプを決定し得る。ある態様では、ワイヤレスデバイス２１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス２１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス２１０は、メッセージがＯＢＳＳと関連付けられるかＢＳＳと関連付けられるかを決定し得る。
【００４３】
[0056]一態様では、ワイヤレスデバイス２１０は、（たとえば、メッセージにおいて示されるメッセージタイプに基づいて、および／またはメッセージに含まれる情報に基づいて）メッセージが第１のＲＴＳタイプのＲＴＳメッセージであると決定し得る。ワイヤレスデバイスは、（アップリンクの間は）ＲＴＳメッセージの受信機アドレスの中の（in）ＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージはＢＳＳ中ＲＴＳメッセージである。ＢＳＳＩＤがＯＢＳＳと関連付けられる場合、メッセージはＯＢＳＳ  ＲＴＳメッセージである。一態様では、メッセージが（たとえば、ワイヤレスデバイス２１４、２１６からの）ＢＳＳ中ＲＴＳメッセージである場合、ワイヤレスデバイス２１０は、通信を延期すると決定し得る。別の態様では、メッセージが（たとえば、ワイヤレスデバイス２１８、２２０からの）ＯＢＳＳ  ＲＴＳメッセージである場合、ワイヤレスデバイス２１０は、通信を延期しないことがある。別の態様では、メッセージがＯＢＳＳ  ＲＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージのＲＳＳＩまたはＳＩＮＲを決定し得る。ワイヤレスデバイス２１０は、受信されたメッセージの受信信号強度（たとえば、ＲＳＳＩまたはＳＩＮＲ）が第１の閾値未満であり、受信されたメッセージがＯＢＳＳからのものである場合、延期しないことがある。ワイヤレスデバイス２１０は、受信信号強度がＲＴＳ閾値未満であり、受信されたメッセージがＯＢＳＳからのものである場合、延期しないことがある。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。
【００４４】
[0057]別の態様では、ワイヤレスデバイス２１０は、（たとえば、メッセージの中のメッセージタイプインジケータおよび／またはメッセージに含まれる情報に基づいて）メッセージが第１のＣＴＳタイプのＣＴＳメッセージであると決定し得る。メッセージがアップリンク送信で送信される場合、メッセージはＢＳＳＩＤと関連付けられる受信機アドレスを含み得る。ＢＳＳＩＤに基づいて、ワイヤレスデバイス２１０は、メッセージがＯＢＳＳと関連付けられるかＢＳＳと関連付けられるかを決定し得る。メッセージがダウンリンク送信で送信される場合、ワイヤレスデバイス２１０は、メッセージがＯＢＳＳ  ＲＴＳメッセージからＳＩＦＳ後に受信されるかどうかに基づいて、メッセージがＯＢＳＳ  ＣＴＳメッセージであるかどうかを決定し得る。メッセージが（たとえば、ワイヤレスデバイス２１４、２１６からの）ＢＳＳ中ＣＴＳメッセージである場合、ワイヤレスデバイス２１０は、通信を延期すると決定し得る。一態様では、メッセージが（たとえば、ワイヤレスデバイス２１８、２２０からの）ＯＢＳＳ  ＣＴＳメッセージである場合、ワイヤレスデバイス２１０は、通信を延期しないことがある。別の態様では、メッセージがＯＢＳＳ  ＣＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージの受信信号強度（たとえば、ＲＳＳＩまたはＳＩＮＲ）を決定し得る。ワイヤレスデバイス２１０は、メッセージの受信信号強度が第１の閾値未満であり、受信されたメッセージがＯＢＳＳからのものである場合には、延期しないことがあるが、それ以外の場合には延期し得る。ワイヤレスデバイス２１０は、受信信号強度がＣＴＳ閾値未満であり、受信されたメッセージがＯＢＳＳからのものである場合には、延期しないことがあるが、それ以外の場合には延期し得る。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。
【００４５】
[0058]別の態様では、ワイヤレスデバイス２１０は、（たとえば、メッセージとともに含まれるインジケータ／フィールドに基づいて）メッセージがデータパケットであると決定し得る。ワイヤレスデバイス２１０は、プリアンブルおよびまたはＭＡＣヘッダの中の送信識別子および受信識別子に基づいて、データパケットがＯＢＳＳと関連付けられるかどうかを決定し得る。プリアンブルまたはＭＡＣヘッダの中に直接ＢＳＳ情報があることもある。ワイヤレスデバイス２１０は、データパケットがＯＢＳＳ  ＲＴＳメッセージにリンクされるかどうかに基づいて、データパケットがＯＢＳＳと関連付けられるかどうかを決定し得る。たとえば、ワイヤレスデバイス２１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス２１０は、データパケットがＯＢＳＳと関連付けられると決定し得る。一態様では、メッセージがＢＳＳデータパケットである場合、ワイヤレスデバイスは通信を延期し得る。別の態様では、メッセージがＯＢＳＳデータパケットである場合、ワイヤレスデバイス２１０は通信を延期しないことがある。この態様では、ワイヤレスデバイス２１０は、対応するＣＴＳメッセージによって設定される任意のネットワーク割振りベクトルを取り消し得る。別の態様では、メッセージがＯＢＳＳデータパケットである場合、ワイヤレスデバイス２１０は、データパケットがＯＢＳＳからのものでありデータパケットのＲＳＳＩに対するいくつかの（certain）条件が満たされる場合にのみ、通信を延期しないことがある。別の態様では、メッセージがＯＢＳＳデータパケットである場合、ワイヤレスデバイス２１０は、ワイヤレスデバイス２１０が対応するＲＴＳおよび／またはＣＴＳメッセージに従わなかった場合、対応するＲＴＳおよび／またはＣＴＳメッセージが受信された場合にのみ、通信を延期しないことがある。
【００４６】
[0059]選択肢１Ｂ：ＯＢＳＳ色を有する第１のＲＴＳタイプおよびＣＴＳタイプ
[0060]選択肢１Ｂにおいて、第１のデバイスタイプ（たとえば、ＩＥＥＥ  ８０２．１１ａｘ製品）は、第１のＲＴＳタイプ（たとえば、ＩＥＥＥ  ８０２．１１ａ／ａｃ  ＲＴＳ）と第２のＣＴＳタイプ（たとえば、ＩＥＥＥ  ８０２．１１ａ／ａｃ  ＣＴＳ）とを使用する。しかしながら、第１のＣＴＳタイプとは異なり、第２のＣＴＳタイプは、１つまたは複数のフィールドの中に常にＢＳＳＩＤ（または色情報）を含み得る。第２のデバイスタイプ（たとえば、ＩＥＥＥ  ８０２．１１ａ／ａｃ製品）は第１のＲＴＳタイプと第１のＣＴＳタイプとを使用する。
【００４７】
[0061]この選択肢では、ワイヤレスデバイス２１０は、ワイヤレスデバイス２１０と関連付けられるＢＳＳ内での第１の通信延期ポリシーを決定し得る。ワイヤレスデバイス２１０がＳＴＡである場合、ワイヤレスデバイス２１０はサービングＡＰから構成メッセージを受信することができ、構成メッセージは第１の通信延期ポリシーを含み得る。ワイヤレスデバイス２１０は、受信された構成メッセージにおいて第１の通信延期ポリシーを受信することによって、第１の通信延期ポリシーを決定し得る。ワイヤレスデバイス２１０がＡＰである場合、ワイヤレスデバイス２１０は、以下でさらに論じられるように、第１の通信延期ポリシーを決定し得る。別の態様では、第１の通信延期ポリシーは、ワイヤレスデバイス２１０へと事前に構成され得る。
【００４８】
[0062]第１の通信延期ポリシーを決定した後で、ワイヤレスデバイス２１０は、第２のワイヤレスデバイス（たとえば、ＳＴＡまたはＡＰ）からメッセージを受信し得る。第２のワイヤレスデバイスは、ワイヤレスデバイス２１４、２１６、２１８、２２０のうちの１つであり得る。この選択肢では、第１のデバイスタイプのワイヤレスデバイス２１４、２１８は、第１のＲＴＳタイプと第２のＣＴＳタイプとを使用し得る。第２のデバイスタイプのワイヤレスデバイス２１６、２２０アーは、第１のＲＴＳタイプと第１のＣＴＳタイプとを使用し得る。第２のワイヤレスデバイスからメッセージを受信すると、ワイヤレスデバイス２１０は、受信されたメッセージのメッセージタイプを決定し得る。ある態様では、ワイヤレスデバイス２１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス２１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス２１０は、メッセージがＯＢＳＳと関連付けられるかＢＳＳと関連付けられるかを決定し得る。
【００４９】
[0063]一態様では、ワイヤレスデバイス２１０は、（たとえば、メッセージにおいて示されるメッセージタイプに基づいて、および／またはメッセージに含まれる情報に基づいて）メッセージが第１のＲＴＳタイプのＲＴＳメッセージであると決定し得る。ワイヤレスデバイスは、（アップリンクの間は）ＲＴＳメッセージの受信機アドレスの中のＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージはＢＳＳ中ＲＴＳメッセージである。ＢＳＳＩＤがＯＢＳＳと関連付けられる場合、メッセージはＯＢＳＳ  ＲＴＳメッセージである。メッセージが（たとえば、ワイヤレスデバイス２１４、２１６からの）ＢＳＳ中ＲＴＳメッセージである場合、ワイヤレスデバイス２１０は、通信を延期すると決定し得る。一態様では、メッセージが（たとえば、ワイヤレスデバイス２１８、２２０からの）ＯＢＳＳ  ＲＴＳメッセージである場合、ワイヤレスデバイス２１０は、通信を延期しないことがある。別の態様では、メッセージがＯＢＳＳ  ＲＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージのＲＳＳＩまたはＳＩＮＲを決定し得る。ワイヤレスデバイス２１０は、受信されたメッセージの受信信号強度（たとえば、ＲＳＳＩまたはＳＩＮＲ）が第１の閾値未満であり、受信されたメッセージがＯＢＳＳからのものである場合、延期しないことがある。ワイヤレスデバイス２１０は、受信信号強度がＲＴＳ閾値未満であり、受信されたメッセージがＯＢＳＳからのものである場合、延期しないことがある。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。
【００５０】
[0064]別の態様では、ワイヤレスデバイス２１０は、（たとえば、メッセージの中のメッセージタイプインジケータおよび／またはメッセージに含まれる情報に基づいて）メッセージが第２のＣＴＳタイプのＣＴＳメッセージであると決定し得る。メッセージは、メッセージ内のフィールドの１つまたは複数にＢＳＳＩＤを含み得る。さらに、メッセージがアップリンク送信で送信される場合、メッセージは受信機アドレスフィールドにＢＳＳＩＤを含み得る。ＢＳＳＩＤに基づいて、ワイヤレスデバイス２１０は、メッセージがＯＢＳＳと関連付けられるかＢＳＳと関連付けられるかを決定し得る。また、ワイヤレスデバイス２１０は、メッセージがＯＢＳＳ  ＲＴＳメッセージからＳＩＦＳ後に受信されるかどうかに基づいて、メッセージがＯＢＳＳ  ＣＴＳメッセージであるかどうかを決定し得る。メッセージが（たとえば、ワイヤレスデバイス２１４からの）ＢＳＳ中ＣＴＳメッセージである場合、ワイヤレスデバイス２１０は、通信を延期すると決定し得る。一態様では、メッセージが（たとえば、ワイヤレスデバイス２１８からの）ＯＢＳＳ  ＣＴＳメッセージである場合、ワイヤレスデバイス２１０は、通信を延期しないことがある。別の態様では、メッセージがＯＢＳＳ  ＣＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージの受信信号強度（たとえば、ＲＳＳＩまたはＳＩＮＲ）を決定し得る。ワイヤレスデバイス２１０は、メッセージの受信信号強度が第１の閾値未満であり、受信されたメッセージがＯＢＳＳからのものである場合には、延期しないことがある。ワイヤレスデバイス２１０は、受信信号強度がＣＴＳ閾値未満であり、受信されたメッセージがＯＢＳＳからのものである場合、延期しないことがある。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。別の態様では、ワイヤレスデバイス２１０は、メッセージに含まれる１つまたは複数の条件／基準に基づいて、メッセージがＯＢＳＳと関連付けられるときに通信を延期するかどうかを決定し得る。１つまたは複数の条件は、ＣＴＳメッセージを無視するためのＲＳＳＩまたはＳＩＮＲ閾値、ＲＴＳメッセージに必要なＳＩＮＲマージン、許容可能な干渉の量を決定するために使用され得るデータ送信のＭＣＳ、および／または、ＣＴＳメッセージの送信電力を示し得る。
【００５１】
[0065]別の態様では、ワイヤレスデバイス２１０は、（たとえば、メッセージとともに含まれるインジケータ／フィールドに基づいて）メッセージがデータパケットであると決定し得る。ワイヤレスデバイス２１０は、プリアンブルおよびまたはＭＡＣヘッダの中の送信機識別子および／または受信機識別子に基づいて、データパケットがＯＢＳＳと関連付けられるかどうかを決定し得る。プリアンブルまたはＭＡＣヘッダの中に直接ＢＳＳ情報があることもある。ワイヤレスデバイス２１０は、データパケットがＯＢＳＳ  ＲＴＳメッセージにリンクされるかどうかに基づいて、データパケットがＯＢＳＳと関連付けられるかどうかを決定し得る。たとえば、ワイヤレスデバイス２１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス２１０は、データパケットがＯＢＳＳと関連付けられると決定し得る。一態様では、メッセージがＢＳＳデータパケットである場合、ワイヤレスデバイスは通信を延期し得る。別の態様では、メッセージがＯＢＳＳデータパケットである場合、ワイヤレスデバイス２１０は通信を延期しないことがある。この態様では、ワイヤレスデバイス２１０は、対応するＣＴＳメッセージによって設定される任意のネットワーク割振りベクトルを取り消し得る。別の態様では、メッセージがＯＢＳＳデータパケットである場合、ワイヤレスデバイス２１０は、データパケットがＯＢＳＳからのものでありデータパケットのＲＳＳＩに対するいくつかの条件が満たされる場合にのみ、通信を延期しないことがある。別の態様では、メッセージがＯＢＳＳデータパケットである場合、ワイヤレスデバイス２１０は、ワイヤレスデバイス２１０が対応するＲＴＳおよび／またはＣＴＳメッセージに従わなかった場合、対応するＲＴＳおよび／またはＣＴＳメッセージが受信された場合にのみ、通信を延期しないことがある。
【００５２】
[0066]ある態様では、メッセージが（たとえば、ワイヤレスデバイス２２０からの）第１のＲＴＳタイプまたは第１のＣＴＳタイプである場合、選択肢１Ａはワイヤレスデバイス２１０の挙動（behavior）について説明する。
【００５３】
[0067]選択肢１Ｃ：ＯＢＳＳ色とＮＡＶとを有する第１のＲＴＳタイプおよび第３のＣＴＳタイプ
[0068]選択肢１Ｃにおいて、第１のデバイスタイプ（たとえば、ＩＥＥＥ  ８０２．１１ａｘ製品）は、第１のＲＴＳタイプ（たとえば、ＩＥＥＥ  ８０２．１１ａ／ａｃ  ＲＴＳ）と第３のＣＴＳタイプ（たとえば、ＩＥＥＥ  ８０２．１１ａｘ  ＣＴＳ）とを使用する。この選択肢では、第３のＣＴＳタイプはＢＳＳＩＤフィールド（または色情報フィールド）を含み得る。第３のＣＴＳタイプは、第２のデバイスタイプ（たとえば、ＩＥＥＥ  ８０２．１１ａ／ａｃデバイス）に適合するネットワーク割振りベクトルを含み得る。第２のデバイスタイプ（たとえば、ＩＥＥＥ  ８０２．１１ａ／ａｃ製品）は第１のＲＴＳタイプと第１のＣＴＳタイプとを使用する。
【００５４】
[0069]この選択肢では、ワイヤレスデバイス２１０は、ワイヤレスデバイス２１０と関連付けられるＢＳＳ内での第１の通信延期ポリシーを決定し得る。ワイヤレスデバイス２１０がＳＴＡである場合、ワイヤレスデバイス２１０はサービングＡＰから構成メッセージを受信することができ、構成メッセージは第１の通信延期ポリシーを含み得る。ワイヤレスデバイス２１０は、受信された構成メッセージにおいて第１の通信延期ポリシーを受信することによって、第１の通信延期ポリシーを決定し得る。ワイヤレスデバイス２１０がＡＰである場合、ワイヤレスデバイス２１０は、以下でさらに論じられるように、第１の通信延期ポリシーを決定し得る。別の態様では、第１の通信延期ポリシーは、ワイヤレスデバイス２１０へと事前に構成され得る。
【００５５】
[0070]第１の通信延期ポリシーを決定した後で、ワイヤレスデバイス２１０は、第２のワイヤレスデバイス（たとえば、ＳＴＡまたはＡＰ）からメッセージを受信し得る。第２のワイヤレスデバイスは、ワイヤレスデバイス２１４、２１６、２１８、２２０のうちの１つであり得る。この選択肢では、第１のデバイスタイプのワイヤレスデバイス２１４、２１８は、第１のＲＴＳタイプと第３のＣＴＳタイプとを使用し得る。第２のデバイスタイプのワイヤレスデバイス２１６、２２０は、第１のＲＴＳタイプと第１のＣＴＳタイプとを使用し得る。第２のワイヤレスデバイスからメッセージを受信すると、ワイヤレスデバイス２１０は、受信されたメッセージのメッセージタイプを決定し得る。ある態様では、ワイヤレスデバイス２１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス２１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス２１０は、メッセージがＯＢＳＳと関連付けられるかＢＳＳと関連付けられるかを決定し得る。
【００５６】
[0071]一態様では、ワイヤレスデバイス２１０は、（たとえば、メッセージにおいて示されるメッセージタイプに基づいて、および／またはメッセージに含まれる情報に基づいて）メッセージが第１のＲＴＳタイプのＲＴＳメッセージであると決定し得る。ワイヤレスデバイスは、（アップリンクの間は）ＲＴＳメッセージの受信機アドレスの中のＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージはＢＳＳ中ＲＴＳメッセージである。ＢＳＳＩＤがＯＢＳＳと関連付けられる場合、メッセージはＯＢＳＳ  ＲＴＳメッセージである。メッセージが（たとえば、ワイヤレスデバイス２１４、２１６からの）ＢＳＳ中ＲＴＳメッセージである場合、ワイヤレスデバイス２１０は、通信を延期すると決定し得る。一態様では、メッセージが（たとえば、ワイヤレスデバイス２１８、２２０からの）ＯＢＳＳ  ＲＴＳメッセージである場合、ワイヤレスデバイス２１０は、通信を延期しないことがある。別の態様では、メッセージがＯＢＳＳ  ＲＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージのＲＳＳＩまたはＳＩＮＲを決定し得る。ワイヤレスデバイス２１０は、受信されたメッセージの受信信号強度（たとえば、ＲＳＳＩまたはＳＩＮＲ）が第１の閾値未満であり、受信されたメッセージがＯＢＳＳからのものである場合、延期しないことがある。ワイヤレスデバイス２１０は、受信信号強度がＲＴＳ閾値未満であり、受信されたメッセージがＯＢＳＳからのものである場合、延期しないことがある。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。
【００５７】
[0072]別の態様では、ワイヤレスデバイス２１０は、（たとえば、メッセージの中のメッセージタイプインジケータおよび／またはメッセージに含まれる情報に基づいて）メッセージが第３のＣＴＳタイプのＣＴＳメッセージであると決定し得る。メッセージがアップリンク送信で送信される場合、メッセージは受信機アドレスフィールドにＢＳＳＩＤを含み得る。メッセージはＢＳＳＩＤフィールドも含み、ワイヤレスデバイス２１０はメッセージに含まれるＢＳＳＩＤフィールド（または色情報フィールド）の中の値に基づいてＢＳＳＩＤを決定し得る。ＢＳＳＩＤに基づいて、ワイヤレスデバイス２１０は、メッセージがＯＢＳＳと関連付けられるかＢＳＳと関連付けられるかを決定し得る。メッセージが（たとえば、ワイヤレスデバイス２１４からの）ＢＳＳ中ＣＴＳメッセージである場合、ワイヤレスデバイス２１０は、通信を延期すると決定し得る。一態様では、メッセージが（たとえば、ワイヤレスデバイス２１８からの）ＯＢＳＳ  ＣＴＳメッセージである場合、ワイヤレスデバイス２１０は、通信を延期しないことがある。別の態様では、メッセージがＯＢＳＳ  ＣＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージの受信信号強度（たとえば、ＲＳＳＩまたはＳＩＮＲ）を決定し得る。ワイヤレスデバイス２１０は、メッセージの受信信号強度が第１の閾値未満であり、受信されたメッセージがＯＢＳＳからのものである場合には、延期しないことがある。ワイヤレスデバイス２１０は、受信信号強度がＣＴＳ閾値未満であり、受信されたメッセージがＯＢＳＳからのものである場合、延期しないことがある。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。別の態様では、ワイヤレスデバイス２１０は、メッセージに含まれる１つまたは複数の条件／基準に基づいて、メッセージがＯＢＳＳと関連付けられるときに通信を延期するかどうかを決定し得る。１つまたは複数の条件は、ＣＴＳメッセージを無視するためのＲＳＳＩまたはＳＩＮＲ閾値、ＲＴＳメッセージに必要なＳＩＮＲマージン、許容可能な干渉の量を決定するために使用され得るデータ送信のＭＣＳ、および／または、ＣＴＳメッセージの送信電力を示し得る。
【００５８】
[0073]別の態様では、ワイヤレスデバイス２１０は、（たとえば、メッセージとともに含まれるインジケータ／フィールドに基づいて）メッセージがデータパケットであると決定し得る。ワイヤレスデバイス２１０は、データパケットがＯＢＳＳ  ＲＴＳメッセージまたはＯＢＳＳ  ＣＴＳメッセージにリンクされるかどうかに基づいて、データパケットがＯＢＳＳと関連付けられるかどうかを決定し得る。たとえば、ワイヤレスデバイス２１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス２１０は、データパケットがＯＢＳＳと関連付けられると決定し得る。ワイヤレスデバイス２１０は、プリアンブルまたはＭＡＣヘッダの中の受信識別子および送信識別子に基づいて、データパケットがＯＢＳＳと関連付けられるかどうかを決定し得る。プリアンブルまたはＭＡＣヘッダの中に直接ＢＳＳ情報があることもある。一態様では、メッセージがＢＳＳデータパケットである場合、ワイヤレスデバイスは通信を延期し得る。別の態様では、メッセージがＯＢＳＳデータパケットである場合、ワイヤレスデバイス２１０は通信を延期しないことがある。この態様では、ワイヤレスデバイス２１０は、対応するＣＴＳメッセージによって設定される任意のネットワーク割振りベクトルを取り消し得る。別の態様では、メッセージがＯＢＳＳデータパケットである場合、ワイヤレスデバイス２１０は、データパケットがＯＢＳＳからのものでありパケットのＲＳＳＩに対するいくつかの条件が満たされる場合にのみ、通信を延期しないことがある。別の態様では、メッセージがＯＢＳＳデータパケットである場合、ワイヤレスデバイス２１０は、ワイヤレスデバイス２１０が対応するＲＴＳおよび／またはＣＴＳメッセージに従わなかった場合、対応するＲＴＳおよび／またはＣＴＳメッセージが受信された場合にのみ、通信を延期しないことがある。
【００５９】
[0074]ある態様では、メッセージが（たとえば、ワイヤレスデバイス２２０からの）第１のＣＴＳタイプである場合、選択肢１Ａはワイヤレスデバイス２１０の挙動について説明する。
【００６０】
[0075]選択肢１Ｄ：ＯＢＳＳ色とＮＡＶとを有する第３のＲＴＳタイプおよび第３のＣＴＳタイプ
[0076]選択肢１Ｄにおいて、第１のデバイスタイプ（たとえば、ＩＥＥＥ  ８０２．１１ａｘ製品）は、第３のＲＴＳタイプ（たとえば、ＩＥＥＥ  ８０２．１１ａｘ  ＲＴＳ）と第３のＣＴＳタイプ（たとえば、ＩＥＥＥ  ８０２．１１ａｘ  ＣＴＳ）とを使用する。この選択肢では、第３のＲＴＳタイプと第３のＣＴＳタイプの両方がＢＳＳＩＤフィールド（または色情報フィールド）を含み得る。第３のＣＴＳタイプは、第２のデバイスタイプ（たとえば、ＩＥＥＥ  ８０２．１１ａ／ａｃデバイス）に適合するネットワーク割振りベクトルを含み得る。第３のＲＴＳタイプは、第２のデバイスタイプに適合するネットワーク割振りベクトルを含み得る。第２のデバイスタイプ（たとえば、ＩＥＥＥ  ８０２．１１ａ／ａｃ製品）は第１のＲＴＳタイプと第１のＣＴＳタイプとを使用する。
【００６１】
[0077]この選択肢では、ワイヤレスデバイス２１０は、ワイヤレスデバイス２１０と関連付けられるＢＳＳ内での第１の通信延期ポリシーを決定し得る。ワイヤレスデバイス２１０がＳＴＡである場合、ワイヤレスデバイス２１０はサービングＡＰから構成メッセージを受信することができ、構成メッセージは第１の通信延期ポリシーを含み得る。ワイヤレスデバイス２１０は、受信された構成メッセージにおいて第１の通信延期ポリシーを受信することによって、第１の通信延期ポリシーを決定し得る。ワイヤレスデバイス２１０がＡＰである場合、ワイヤレスデバイス２１０は、以下でさらに論じられるように、第１の通信延期ポリシーを決定し得る。別の態様では、第１の通信延期ポリシーは、ワイヤレスデバイス２１０へと事前に構成され得る。
【００６２】
[0078]第１の通信延期ポリシーを決定した後で、ワイヤレスデバイス２１０は、第２のワイヤレスデバイス（たとえば、ＳＴＡまたはＡＰ）からメッセージを受信し得る。第２のワイヤレスデバイスは、ワイヤレスデバイス２１４、２１６、２１８、２２０のうちの１つであり得る。この選択肢では、第１のデバイスタイプのワイヤレスデバイス２１４、２１８は、第３のＲＴＳタイプと第３のＣＴＳタイプとを使用し得る。第２のデバイスタイプのワイヤレスデバイス２１６、２２０は、第１のＲＴＳタイプと第１のＣＴＳタイプとを使用し得る。第２のワイヤレスデバイスからメッセージを受信すると、ワイヤレスデバイス２１０は、受信されたメッセージのメッセージタイプを決定し得る。ある態様では、ワイヤレスデバイス２１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス２１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス２１０は、メッセージがＯＢＳＳと関連付けられるかＢＳＳと関連付けられるかを決定し得る。
【００６３】
[0079]一態様では、ワイヤレスデバイス２１０は、（たとえば、メッセージにおいて示されるメッセージタイプに基づいて）メッセージが第３のＲＴＳタイプのＲＴＳメッセージであると決定し得る。ワイヤレスデバイスは、ＢＳＳＩＤフィールドの値に基づいて、または（アップリンクの間は）ＲＴＳメッセージの受信機アドレスの中のＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージは（たとえば、ワイヤレスデバイス２１４からの）ＢＳＳ中ＲＴＳメッセージである。ＢＳＳＩＤがＯＢＳＳと関連付けられる場合、メッセージは（たとえば、ワイヤレスデバイス２１８からの）ＯＢＳＳ  ＲＴＳメッセージである。メッセージがＢＳＳ中ＲＴＳメッセージである場合、ワイヤレスデバイス２１０は、通信を延期すると決定し得る。一態様では、メッセージがＯＢＳＳ  ＲＴＳメッセージである場合、ワイヤレスデバイス２１０は通信を延期しないことがある。別の態様では、メッセージがＯＢＳＳ  ＲＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージのＲＳＳＩまたはＳＩＮＲを決定し得る。ワイヤレスデバイス２１０は、受信されたメッセージの受信信号強度（たとえば、ＲＳＳＩまたはＳＩＮＲ）が第１の閾値未満であり、受信されたメッセージがＯＢＳＳからのものである場合、延期しないことがある。ワイヤレスデバイス２１０は、受信信号強度がＲＴＳ閾値未満であり、受信されたメッセージがＯＢＳＳからのものである場合、延期しないことがある。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。別の態様では、ワイヤレスデバイス２１０は、メッセージに含まれる１つまたは複数の条件／基準に基づいて、メッセージがＯＢＳＳと関連付けられるときに通信を延期するかどうかを決定し得る。条件は、ＲＴＳメッセージを無視するためのＲＳＳＩ閾値、ＲＴＳメッセージに必要なＳＩＮＲマージン、許容可能な干渉の量を決定するために使用され得るデータ送信のＭＣＳ、および／または、ＲＴＳメッセージの送信電力を示し得る。
【００６４】
[0080]別の態様では、ワイヤレスデバイス２１０は、（たとえば、メッセージの中のメッセージタイプインジケータおよび／またはメッセージに含まれる情報に基づいて）メッセージが第３のＣＴＳタイプのＣＴＳメッセージであると決定し得る。メッセージがアップリンク送信で送信される場合、メッセージは受信機アドレスフィールドにＢＳＳＩＤを含み得る。メッセージはＢＳＳＩＤフィールドも含み、ワイヤレスデバイス２１０はメッセージに含まれるＢＳＳＩＤフィールド（または色情報フィールド）の中の値に基づいてＢＳＳＩＤを決定し得る。ＢＳＳＩＤに基づいて、ワイヤレスデバイス２１０は、メッセージがＯＢＳＳと関連付けられるかＢＳＳと関連付けられるかを決定し得る。メッセージが（たとえば、ワイヤレスデバイス２１４からの）ＢＳＳ中ＣＴＳメッセージである場合、ワイヤレスデバイス２１０は、通信を延期すると決定し得る。一態様では、メッセージが（たとえば、ワイヤレスデバイス２１８からの）ＯＢＳＳ  ＣＴＳメッセージである場合、ワイヤレスデバイス２１０は、通信を延期しないことがある。別の態様では、メッセージがＯＢＳＳ  ＣＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージの受信信号強度（たとえば、ＲＳＳＩまたはＳＩＮＲ）を決定し得る。ワイヤレスデバイス２１０は、メッセージの受信信号強度が第１の閾値未満であり、受信されたメッセージがＯＢＳＳからのものである場合には、延期しないことがある。ワイヤレスデバイス２１０は、受信信号強度がＣＴＳ閾値未満であり、受信されたメッセージがＯＢＳＳからのものである場合、延期しないことがある。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。別の態様では、ワイヤレスデバイス２１０は、メッセージに含まれる１つまたは複数の条件／基準に基づいて、メッセージがＯＢＳＳと関連付けられるときに通信を延期するかどうかを決定し得る。１つまたは複数の条件は、ＣＴＳメッセージを無視するためのＲＳＳＩまたはＳＩＮＲ閾値、ＲＴＳメッセージに必要なＳＩＮＲマージン、許容可能な干渉の量を決定するために使用され得るデータ送信のＭＣＳ、および／または、ＣＴＳメッセージの送信電力を示し得る。
【００６５】
[0081]別の態様では、ワイヤレスデバイス２１０は、（たとえば、メッセージとともに含まれるインジケータ／フィールドに基づいて）メッセージがデータパケットであると決定し得る。ワイヤレスデバイス２１０は、データパケットがＯＢＳＳ  ＲＴＳメッセージまたはＯＢＳＳ  ＣＴＳメッセージにリンクされるかどうかに基づいて、データパケットがＯＢＳＳと関連付けられるかどうかを決定し得る。たとえば、ワイヤレスデバイス２１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス２１０は、データパケットがＯＢＳＳと関連付けられると決定し得る。ワイヤレスデバイス２１０は、プリアンブルの中の受信識別子情報および送信識別子情報、ならびに／または、ＭＡＣヘッダの中の受信識別子情報および送信識別子情報に基づいて、データパケットがＯＢＳＳと関連付けられるかどうかを決定し得る。プリアンブルまたはＭＡＣヘッダの中に直接ＢＳＳ情報があることもある。一態様では、メッセージがＢＳＳデータパケットである場合、ワイヤレスデバイスは通信を延期し得る。別の態様では、メッセージがＯＢＳＳデータパケットである場合、ワイヤレスデバイス２１０は通信を延期しないことがある。この態様では、ワイヤレスデバイス２１０は、対応するＣＴＳメッセージによって設定される任意のネットワーク割振りベクトルを取り消し得る。別の態様では、メッセージがＯＢＳＳデータパケットである場合、ワイヤレスデバイス２１０は、ＲＳＳＩの制約などの追加の基準が満たされる場合にのみ、通信を延期しないことがある。別の態様では、メッセージがＯＢＳＳデータパケットである場合、ワイヤレスデバイス２１０は、ワイヤレスデバイス２１０がメッセージと関連付けられるＲＴＳおよび／またはＣＴＳメッセージ（受信されれば）の通信に従わなかった場合にのみ、通信を延期しないことがある。
【００６６】
[0082]ある態様では、メッセージが（たとえば、ワイヤレスデバイス２２０からの）第１のＲＴＳタイプまたは第１のＣＴＳタイプである場合、選択肢１Ａはワイヤレスデバイス２１０の挙動について説明する。
【００６７】
[0083]選択肢１Ｅ：第３のＲＴＳタイプおよび第２のＣＴＳタイプ
[0084]選択肢１Ｅにおいて、第１のデバイスタイプ（たとえば、ＩＥＥＥ  ８０２．１１ａｘ製品）は、第３のＲＴＳタイプ（たとえば、ＩＥＥＥ  ８０２．１１ａｘ  ＲＴＳ）と第２のＣＴＳタイプ（たとえば、ＩＥＥＥ  ８０２．１１ａ／ａｃ  ＣＴＳ）とを使用する。第２のデバイスタイプ（たとえば、ＩＥＥＥ  ８０２．１１ａ／ａｃ製品）は第１のＲＴＳタイプと第１のＣＴＳタイプとを使用する。
【００６８】
[0085]この選択肢では、ワイヤレスデバイス２１０は、ワイヤレスデバイス２１０と関連付けられるＢＳＳ内での第１の通信延期ポリシーを決定し得る。ワイヤレスデバイス２１０がＳＴＡである場合、ワイヤレスデバイス２１０はサービングＡＰから構成メッセージを受信することができ、構成メッセージは第１の通信延期ポリシーを含み得る。ワイヤレスデバイス２１０は、受信された構成メッセージにおいて第１の通信延期ポリシーを受信することによって、第１の通信延期ポリシーを決定し得る。ワイヤレスデバイス２１０がＡＰである場合、ワイヤレスデバイス２１０は、以下でさらに論じられるように、第１の通信延期ポリシーを決定し得る。別の態様では、第１の通信延期ポリシーは、ワイヤレスデバイス２１０へと事前に構成され得る。
【００６９】
[0086]第１の通信延期ポリシーを決定した後で、ワイヤレスデバイス２１０は、第２のワイヤレスデバイス（たとえば、ＳＴＡまたはＡＰ）からメッセージを受信し得る。第２のワイヤレスデバイスは、ワイヤレスデバイス２１４、２１６、２１８、２２０のうちの１つであり得る。この選択肢では、第１のデバイスタイプのワイヤレスデバイス２１４、２１８は、第３のＲＴＳタイプと第２のＣＴＳタイプとを使用し得る。第２のデバイスタイプのワイヤレスデバイス２１６、２２０は、第１のＲＴＳタイプと第１のＣＴＳタイプとを使用し得る。第２のワイヤレスデバイスからメッセージを受信すると、ワイヤレスデバイス２１０は、受信されたメッセージのメッセージタイプを決定し得る。ある態様では、ワイヤレスデバイス２１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス２１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス２１０は、メッセージがＯＢＳＳと関連付けられるかＢＳＳと関連付けられるかを決定し得る。
【００７０】
[0087]一態様では、ワイヤレスデバイス２１０は、（たとえば、メッセージにおいて示されるメッセージタイプおよび／またはメッセージの中の情報に基づいて）メッセージが第３のＲＴＳタイプのＲＴＳメッセージであると決定し得る。ワイヤレスデバイスは、ＢＳＳＩＤフィールドの値に基づいて、または（アップリンクの間は）ＲＴＳメッセージの受信機アドレスの中のＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージは（たとえば、ワイヤレスデバイス２１４からの）ＢＳＳ中ＲＴＳメッセージである。ＢＳＳＩＤがＯＢＳＳと関連付けられる場合、メッセージは（たとえば、ワイヤレスデバイス２１８からの）ＯＢＳＳ  ＲＴＳメッセージである。メッセージがＢＳＳ中ＲＴＳメッセージである場合、ワイヤレスデバイス２１０は、通信を延期すると決定し得る。一態様では、メッセージがＯＢＳＳ  ＲＴＳメッセージである場合、ワイヤレスデバイス２１０は通信を延期しないことがある。別の態様では、メッセージがＯＢＳＳ  ＲＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージのＲＳＳＩまたはＳＩＮＲを決定し得る。ワイヤレスデバイス２１０は、受信されたメッセージの受信信号強度（たとえば、ＲＳＳＩまたはＳＩＮＲ）が第１の閾値未満であり、受信されたメッセージがＯＢＳＳからのものである場合、延期しないことがある。ワイヤレスデバイス２１０は、受信信号強度がＲＴＳ閾値未満であり、受信されたメッセージがＯＢＳＳからのものである場合、延期しないことがある。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。別の態様では、ワイヤレスデバイス２１０は、メッセージに含まれる１つまたは複数の条件／基準に基づいて、メッセージがＯＢＳＳと関連付けられるときに通信を延期するかどうかを決定し得る。条件は、ＲＴＳメッセージを無視するためのＲＳＳＩ閾値、ＲＴＳメッセージに必要なＳＩＮＲマージン、許容可能な干渉の量を決定するために使用され得るデータ送信のＭＣＳ、および／または、ＲＴＳメッセージの送信電力を示し得る。
【００７１】
[0088]別の態様では、ワイヤレスデバイス２１０は、（たとえば、メッセージの中のメッセージタイプインジケータおよび／またはメッセージに含まれる情報に基づいて）メッセージが第２のＣＴＳタイプのＣＴＳメッセージであると決定し得る。メッセージは、メッセージ内のフィールドの１つまたは複数にＢＳＳＩＤを含み得る。さらに、メッセージがアップリンク送信で送信される場合、メッセージは受信機アドレスフィールドにＢＳＳＩＤを含み得る。ＢＳＳＩＤに基づいて、ワイヤレスデバイス２１０は、メッセージがＯＢＳＳと関連付けられるかＢＳＳと関連付けられるかを決定し得る。また、ワイヤレスデバイス２１０は、メッセージがＯＢＳＳ  ＲＴＳメッセージからＳＩＦＳ後に受信されるかどうかに基づいて、メッセージがＯＢＳＳ  ＣＴＳメッセージであるかどうかを決定し得る。メッセージが（たとえば、ワイヤレスデバイス２１４からの）ＢＳＳ中ＣＴＳメッセージである場合、ワイヤレスデバイス２１０は、通信を延期すると決定し得る。一態様では、メッセージが（たとえば、ワイヤレスデバイス２１８からの）ＯＢＳＳ  ＣＴＳメッセージである場合、ワイヤレスデバイス２１０は、通信を延期しないことがある。別の態様では、メッセージがＯＢＳＳ  ＣＴＳメッセージである場合、ワイヤレスデバイス２１０は、通信を延期するかどうかを決定するために、１つまたは複数の基準／要因を考慮し得る。たとえば、ワイヤレスデバイス２１０は、メッセージの受信信号強度（たとえば、ＲＳＳＩまたはＳＩＮＲ）を決定し得る。ワイヤレスデバイス２１０は、メッセージの受信信号強度が第１の閾値未満であり、受信されたメッセージがＯＢＳＳからのものである場合には、延期しないことがある。ワイヤレスデバイス２１０は、受信信号強度がＣＴＳ閾値未満であり、受信されたメッセージがＯＢＳＳからのものである場合、延期しないことがある。ワイヤレスデバイス２１０は、受信信号強度がワイヤレスデバイス２１０と関連付けられる第２の閾値未満である場合、延期しないことがある。別の態様では、ワイヤレスデバイス２１０は、ＯＢＳＳデバイスがメッセージに加えて送信できないことをメッセージが示す場合、延期し得る。別の態様では、ワイヤレスデバイス２１０は、メッセージに含まれる１つまたは複数の条件／基準に基づいて、メッセージがＯＢＳＳと関連付けられるときに通信を延期するかどうかを決定し得る。１つまたは複数の条件は、ＣＴＳメッセージを無視するためのＲＳＳＩまたはＳＩＮＲ閾値、ＲＴＳメッセージに必要なＳＩＮＲマージン、許容可能な干渉の量を決定するために使用され得るデータ送信のＭＣＳ、および／または、ＣＴＳメッセージの送信電力を示し得る。
【００７２】
[0089]別の態様では、ワイヤレスデバイス２１０は、（たとえば、メッセージとともに含まれるインジケータ／フィールドに基づいて）メッセージがデータパケットであると決定し得る。ワイヤレスデバイス２１０は、データパケットがＯＢＳＳ  ＲＴＳメッセージにリンクされるかどうかに基づいて、データパケットがＯＢＳＳと関連付けられるかどうかを決定し得る。たとえば、ワイヤレスデバイス２１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス２１０は、データパケットがＯＢＳＳと関連付けられると決定し得る。ワイヤレスデバイス２１０は、プリアンブルの中またはＭＡＣヘッダの中の送信機識別子および受信機識別子に基づいて、データパケットがＯＢＳＳと関連付けられるかどうかを決定し得る。プリアンブルまたはＭＡＣヘッダの中に直接ＢＳＳ情報があることもある。一態様では、メッセージがＢＳＳデータパケットである場合、ワイヤレスデバイスは通信を延期し得る。別の態様では、メッセージがＯＢＳＳデータパケットである場合、ワイヤレスデバイス２１０は通信を延期しないことがある。この態様では、ワイヤレスデバイス２１０は、対応するＣＴＳメッセージによって設定される任意のネットワーク割振りベクトルを取り消し得る。別の態様では、メッセージがＯＢＳＳデータパケットである場合、ワイヤレスデバイス２１０は、ＲＳＳＩ基準のようなある他の基準が満たされる場合にのみ、通信を延期しないことがある。別の態様では、メッセージがＯＢＳＳデータパケットである場合、ワイヤレスデバイス２１０は、メッセージと関連付けられるＲＴＳおよび／またはＣＴＳメッセージ（受信されれば）に従わなかった場合にのみ、延期しないことがある。
【００７３】
[0090]ある態様では、メッセージが（たとえば、ワイヤレスデバイス２２０からの）第１のＲＴＳタイプまたは第１のＣＴＳタイプである場合、選択肢１Ａはワイヤレスデバイス２１０の挙動について説明する。
【００７４】
[0091]図３は、ＲＴＳ／ＣＴＳ動作の第２の例示的な方法を示す表３００である。表３００を参照すると、ワイヤレスデバイス３１０は、第１のデバイスタイプ（たとえば、８０２．１１ａｘ適合ＳＴＡまたはＡＰ）であり得る。ワイヤレスデバイス３１２は、第２のデバイスタイプ（たとえば、８０２．１１ａｘ適合ではない）であることがあり、ワイヤレスデバイス３１０と同じＢＳＳの中にあることがある。ワイヤレスデバイス３１０は送信すべきデータを有し得る。送信の前に、ワイヤレスデバイス３１０は、ワイヤレスデバイス３１４、３１６、３１８、および３２０のいずれか１つによって送信されるＲＴＳメッセージ、ＣＴＳメッセージ、および／またはデータパケットを検出することがある。ワイヤレスデバイス３１４は第１のデバイスタイプ（たとえば、８０２．１１ａｘ適合）であることがあり、ワイヤレスデバイス３１６は第２のデバイスタイプ（たとえば、８０２．１１ａｘ適合ではない）であることがある。ワイヤレスデバイス３１４、３１６は、ワイヤレスデバイス３１０と同じＢＳＳの中にあり得る。ワイヤレスデバイス３１８は第１のデバイスタイプであることがあり、ワイヤレスデバイス３２０は第２のデバイスタイプであることがある。ワイヤレスデバイス３１８、３２０は、ワイヤレスデバイス３１０およびワイヤレスデバイス３１２に関するあるＯＢＳＳの中にあり得る。
【００７５】
[0092]ＲＴＳメッセージ、ＣＴＳメッセージ、および／またはデータパケットを検出すると、ワイヤレスデバイス３１０は、通信延期ポリシーに基づいて通信を延期するかどうかを決定することができ、それは、送信が送られた元であるＢＳＳ、デバイスのタイプ（たとえば、第１のデバイスタイプまたは第２のデバイスタイプ）、および／または他の要因に基づいて通信を延期するようにワイヤレスデバイス２１０に命令し得る。通信延期ポリシーはネットワーク全体に対して同じであることがあり、または、通信延期ポリシーはＢＳＳごとに異なることがある。通信延期ポリシーは、ＢＳＳのサービングＡＰによって決定され得る。通信延期ポリシーは、構成メッセージにおいてＡＰからＳＴＡに送信されることがあり、または、ＳＴＡおよび／もしくはＡＰ内で事前に構成されることがある。
【００７６】
[0093]表３００は、第２の通信延期ポリシーと関連付けられる一般的なガイドラインを示す。第２の通信延期ポリシーのもとで、第１のデバイスタイプのワイヤレスデバイス３１０は、ＯＢＳＳ  ＲＴＳ／ＣＴＳメッセージとＢＳＳ中ＲＴＳ／ＣＴＳメッセージとを区別することが可能でなければならない。ワイヤレスデバイス３１０はまた、第１のデバイスタイプ（たとえば、８０２．１１ａｘデバイス）と第２のデバイスタイプ（たとえば、８０２．１１ａ／ａｃデバイス）を区別する必要があり、それは、第２の通信延期ポリシーが、通信を延期するかどうかを決定する際にデバイスタイプを考慮するからである。ワイヤレスデバイス３１０は、ＲＴＳ／ＣＴＳメッセージ／データパケットに含まれるデバイスタイプインジケータに基づいて、第１のデバイスタイプと第２のデバイスタイプを区別することが可能であり得る。ある態様では、ワイヤレスデバイス３１０は、メッセージ／データパケットの内容に基づいて、レガシーＲＴＳ／ＣＴＳメッセージ／データパケットがレガシーであると決定することが可能であり得る。第２の通信延期ポリシーでは、ワイヤレスデバイス３１０は、ワイヤレスデバイス３１０が（たとえば、ワイヤレスデバイス３１４またはワイヤレスデバイス３１６から）ＢＳＳ中ＲＴＳ／ＣＴＳメッセージを検出するときにはデバイスタイプとは無関係に延期し得るが、ワイヤレスデバイス３１０が（たとえば、ワイヤレスデバイス２１８から）第１のデバイスタイプによって送信されるＯＢＳＳ  ＲＴＳ／ＣＴＳメッセージ／データパケットを検出するときには延期しなくてよい。しかしながら、ワイヤレスデバイス３１０は、ＯＢＳＳと関連付けられる第２のデバイスタイプのより良好な送信品質（たとえば、ＳＩＮＲ）を可能にするために、第２のデバイスタイプからのＯＢＳＳ  ＲＴＳ／ＣＴＳメッセージをワイヤレスデバイス３１０が検出するときに、延期し得る。ある態様では、ワイヤレスデバイス３１０は、ワイヤレスデバイスが第２のデバイスタイプからのＲＴＳ／ＣＴＳメッセージ／データパケットを検出するときに延期し得る。ＯＢＳＳの第１のデバイスタイプに関して、ワイヤレスデバイス３１０はそれでも、ＲＴＳ／ＣＴＳメッセージ／データパケットに含まれる特性もしくは他の情報に基づいて、または、他の要因に基づいて、ＯＢＳＳ  ＲＴＳ／ＣＴＳメッセージ／データパケットに従い得る。第２の通信延期ポリシーのもとで、ワイヤレスデバイス３１０は、ＢＳＳ中のコリジョンを防ぐために、ＢＳＳ中メッセージに従う。ワイヤレスデバイス３１２は、ワイヤレスデバイス３１２が第２のデバイスタイプであるので、ＢＳＳ中ＲＴＳ／ＣＴＳメッセージおよびＯＢＳＳ  ＲＴＳ／ＣＴＳメッセージのために延期し（defer for）続ける。ＯＢＳＳメッセージとＢＳＳ中メッセージを区別できない、または第１のデバイスタイプと第２のデバイスタイプを区別できないワイヤレスデバイス３１２は常に、延期し得る。
【００７７】
[0094]使用されるＲＴＳ／ＣＴＳメッセージの構成に応じて、ワイヤレスデバイス３１０は、第２のワイヤレスデバイスから受信されたからのメッセージがＢＳＳ中であるかＯＢＳＳであるかということと、第１のデバイスタイプであるか第２のデバイスタイプであるかということとを決定するために、様々な方法を使用し得る。ある態様では、３つのタイプのＲＴＳメッセージおよび３つのタイプのＣＴＳメッセージがあり得る。第１のＲＴＳタイプは受信機アドレスフィールドと送信機アドレスフィールドとを含むことがあり、受信機アドレスフィールドおよび／または送信機アドレスフィールドはＢＳＳＩＤを含むことがある。ある態様では、第１のＲＴＳタイプはレガシーＲＴＳメッセージ（たとえば、ＩＥＥＥ  ８０２．１１ａ／ａｃ  ＲＴＳメッセージ）であり得る。第２のＲＴＳタイプは、第１のＲＴＳタイプのすべての態様を含み、受信機アドレスフィールド、送信機アドレスフィールド、スクランブリングシードフィールド、信号フィールド、サービスフィールド、またはフレーム制御フィールドのうちの１つまたは複数に、デバイスタイプインジケータをさらに含み得る。ある態様では、第２のＲＴＳタイプは、（たとえば、デバイスがＩＥＥＥ  ８０２．１１ａｘデバイスであることを示す）デバイスタイプインジケータを含む、レガシーＲＴＳメッセージであり得る。ある態様では、デバイスタイプインジケータは、受信機アドレスフィールドおよび／または送信機アドレスフィールドの中のＩ／Ｇビットであり得る。第３のＲＴＳタイプは、ＢＳＳ識別子フィールドおよびデバイスタイプインジケータのうちの少なくとも１つを含む、ＩＥＥＥ  ８０２．１１ａｘ  ＲＴＳメッセージであり得る。第３のＲＴＳタイプはさらに、非延期が許可されるかどうかをワイヤレスデバイス２１０が決定することを可能にするＲＳＳＩ閾値、非延期が許可されるかどうかを決定するための第２のワイヤレスデバイスまたはＲＴＳメッセージの意図される受信機における許容される干渉レベル、第２のワイヤレスデバイスにより送信または受信されるべきデータのＭＣＳ、性能要件のセット、または、複数のトラフィック識別子もしくはアクセスクラスと関連付けられるバッファステータスについての情報のうちの、１つまたは複数を含み得る。
【００７８】
[0095]ＣＴＳタイプに関して、第１のＣＴＳタイプは、ワイヤレスデバイス２１０が局である場合には受信機アドレスフィールドの中にＢＳＳＩＤを含むことがあり、そうではなくワイヤレスデバイス２１０がＡＰである場合には、受信機アドレスはＢＳＳＩＤではなく局のアドレスを含むことがある。ある態様では、第１のＣＴＳタイプはレガシーＣＴＳメッセージ（たとえば、ＩＥＥＥ  ８０２．１１ａ／ａｃ  ＣＴＳメッセージ）であり得る。第２のＣＴＳタイプは、第１のＣＴＳタイプの特徴と、ＢＳＳＩＤまたはデバイスタイプインジケータのうちの少なくとも１つとを、受信機アドレスフィールド、スクランブリングシードフィールド、信号フィールド、サービスフィールド、またはフレーム制御フィールドの中に含み得る。ある態様では、第２のＣＴＳタイプは、様々なフィールドのうちの１つにＢＳＳＩＤおよび／またはデバイスタイプインジケータを常に含む、レガシーＣＴＳメッセージであり得る。第３のＣＴＳタイプは、ＢＳＳ識別子フィールドまたはデバイスタイプインジケータのうちの少なくとも１つを含む、ＩＥＥＥ  ８０２．１１ａｘ  ＣＴＳメッセージであり得る。第３のＣＴＳタイプはまた、非延期が許可されるかどうかをワイヤレスデバイス２１０が決定することを可能にするＲＳＳＩ閾値と、非延期が許可されるかどうかを決定するための第２のワイヤレスデバイスまたはメッセージの意図される受信機における許可する干渉レベルと、送信されるべきデータのＭＣＳと、性能要件のセットとを含み得る。第１のデバイスタイプのワイヤレスデバイスは、様々なＲＴＳ／ＣＴＳタイプの様々な組合せを使用し得る。しかしながら、第２のデバイスタイプのワイヤレスデバイスは、第１のＲＴＳタイプと第１のＣＴＳタイプとを使用し得る。ＲＴＳ／ＣＴＳメッセージの５つの異なる構成の選択肢が以下で説明される。
【００７９】
[0096]選択肢２Ａ：第２のＲＴＳタイプ（および「ａｘ」ビット）＆第１のＣＴＳタイプ（任意選択の「ａｘ」ビット）
[0097]選択肢２Ａにおいて、第１のデバイスタイプ（たとえば、ＩＥＥＥ  ８０２．１１ａｘ製品）は、第２のＲＴＳタイプ（たとえば、デバイスタイプインジケータを有するＩＥＥＥ  ８０２．１１ａ／ａｃ  ＲＴＳ）と第１のＣＴＳタイプ（たとえば、ＩＥＥＥ  ８０２．１１ａ／ａｃ  ＣＴＳ）とを使用する。第２のデバイスタイプ（たとえば、ＩＥＥＥ  ８０２．１１ａ／ａｃ製品）は第１のＲＴＳタイプと第１のＣＴＳタイプとを使用する。
【００８０】
[0098]この選択肢では、ワイヤレスデバイス３１０は、ワイヤレスデバイス３１０と関連付けられるＢＳＳ内での第２の通信延期ポリシーを決定し得る。ワイヤレスデバイス３１０がＳＴＡである場合、ワイヤレスデバイス３１０はサービングＡＰから構成メッセージを受信することができ、構成メッセージは第２の通信延期ポリシーを含み得る。ワイヤレスデバイス３１０は、受信された構成メッセージにおいて第２の通信延期ポリシーを受信することによって、第２の通信延期ポリシーを決定し得る。ワイヤレスデバイス３１０がＡＰである場合、ワイヤレスデバイス３１０は、以下でさらに論じられるように、第２の通信延期ポリシーを決定し得る。別の態様では、第２の通信延期ポリシーは、ワイヤレスデバイス３１０へと事前に構成され得る。
【００８１】
[0099]第２の通信延期ポリシーを決定した後で、ワイヤレスデバイス３１０は、第２のワイヤレスデバイス（たとえば、ＳＴＡまたはＡＰ）からメッセージを受信し得る。第２のワイヤレスデバイスは、ワイヤレスデバイス３１４、３１６、３１８、３２０のうちの１つであり得る。この選択肢では、第１のデバイスタイプのワイヤレスデバイス３１４、３１８は、第２のＲＴＳタイプと第１のＣＴＳタイプとを使用し得る。ワイヤレスデバイス３１６、３２０は、第２のデバイスタイプであり、第１のＲＴＳタイプと第１のＣＴＳタイプとを使用し得る。第２のワイヤレスデバイスからメッセージを受信すると、ワイヤレスデバイス３１０は、受信されたメッセージのメッセージタイプを決定し得る。ある態様では、ワイヤレスデバイス３１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス３１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス３１０は、メッセージがＯＢＳＳと関連付けられるかＢＳＳと関連付けられるかを決定し得る。ワイヤレスデバイス３１０はまた、メッセージの中のデバイスタイプインジケータまたは他の内容に基づいて、第２のワイヤレスデバイスが第１のデバイスタイプであるか第２のデバイスタイプであるかを決定し得る。ある例では、デバイスタイプインジケータは、第２のワイヤレスデバイスが第１のデバイスタイプであることを示すために１に設定されることがあり、または、第２のワイヤレスデバイスが第２のデバイスタイプであることを示すために０に設定されることがある。メッセージがデバイスタイプインジケータ（たとえば、第１のＲＴＳタイプまたは第１のＣＴＳタイプ）を含まない場合、ワイヤレスデバイス３１０は、第２のワイヤレスデバイスが第２のデバイスタイプであると決定し得る。ワイヤレスデバイス３１０は、メッセージがＯＢＳＳであるか（whether）ＢＳＳ中であるか（whether）に基づいて、第２のワイヤレスデバイスが第１のデバイスタイプであるか第２のデバイスタイプであるかに基づいて、およびメッセージに含まれる任意の他の情報に基づいて、通信を延期するかどうかを決定し得る。
【００８２】
[00100]一態様では、ワイヤレスデバイス３１０は、（たとえば、メッセージにおいて示されるメッセージタイプおよび／またはメッセージの中の情報に基づいて）メッセージが第２のＲＴＳタイプのＲＴＳメッセージであると決定し得る。ワイヤレスデバイスは、（アップリンクの間は）ＲＴＳメッセージの受信機アドレスの中のＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージはＢＳＳ中ＲＴＳメッセージである。ＢＳＳＩＤがＯＢＳＳと関連付けられる場合、メッセージはＯＢＳＳ  ＲＴＳメッセージである。メッセージが（たとえば、ワイヤレスデバイス３１４、３１６からの）ＢＳＳ中ＲＴＳメッセージである場合、ワイヤレスデバイス３１０は、通信を延期すると決定し得る。一態様では、メッセージがＯＢＳＳ  ＲＴＳメッセージであり、第２のワイヤレスデバイスがデバイスタイプインジケータ（たとえば、ワイヤレスデバイス３２０）に基づいて決定される第２のデバイスタイプである場合、ワイヤレスデバイス３１０は通信を延期し得る。別の態様では、メッセージがＯＢＳＳ  ＲＴＳメッセージであり、第２のワイヤレスデバイスがデバイスタイプインジケータ（たとえば、ワイヤレスデバイス３１８）に基づいて決定される第１のデバイスタイプである場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージのＲＳＳＩまたはＳＩＮＲを決定し得る。ワイヤレスデバイス３１０は、受信されたメッセージの受信信号強度（たとえば、ＲＳＳＩまたはＳＩＮＲ）が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＲＴＳ閾値未満であり、受信されたメッセージがＯＢＳＳからのものであり、第２のワイヤレスデバイスが第１のデバイスタイプである場合、通信を延期しないことがある。ワイヤレスデバイス３１０は、受信信号強度がワイヤレスデバイス３１０と関連付けられる第２の閾値未満であり、メッセージがＯＢＳＳからのものであり、第２のワイヤレスデバイスが第１のデバイスタイプである場合、延期しないことがある。別の態様では、ワイヤレスデバイス３１０は、ＯＢＳＳデバイスがメッセージに加えて送信できないことをメッセージが示す場合、延期し得る。別の態様では、ワイヤレスデバイス３１０は、メッセージに含まれる１つまたは複数の条件／基準に基づいて、メッセージがＯＢＳＳと関連付けられるときに、および第２のワイヤレスデバイスが第１のデバイスタイプであるときに、通信を延期するかどうかを決定し得る。条件は、ＲＴＳメッセージを無視するためのＲＳＳＩ閾値、ＲＴＳメッセージに必要なＳＩＮＲマージン、許容可能な干渉の量を決定するために使用され得るデータ送信のＭＣＳ、および／または、ＲＴＳメッ��ージの送信電力を示し得る。
【００８３】
[00101]別の態様では、ワイヤレスデバイス３１０は、（たとえば、メッセージの中のメッセージタイプインジケータおよび／またはメッセージの中の情報に基づいて）メッセージが第１のＣＴＳタイプのＣＴＳメッセージであると決定し得る。メッセージがアップリンク送信で送信される場合、メッセージは受信機アドレスフィールドにＢＳＳＩＤを含み得る。ＢＳＳＩＤに基づいて、ワイヤレスデバイス３１０は、メッセージがＯＢＳＳと関連付けられるかＢＳＳと関連付けられるかを決定し得る。メッセージがダウンリンク送信で送信される場合、ワイヤレスデバイス３１０は、メッセージがＯＢＳＳ  ＲＴＳメッセージからＳＩＦＳ後に受信されるかどうかに基づいて、メッセージがＯＢＳＳ  ＣＴＳメッセージであるかどうかを決定し得る。一態様では、メッセージが（たとえば、ワイヤレスデバイス３１４、３１６からの）ＢＳＳ中ＣＴＳメッセージである場合、ワイヤレスデバイス３１０は、通信を延期すると決定し得る。別の態様では、メッセージがＯＢＳＳ  ＣＴＳメッセージであり、第２のワイヤレスデバイスがデバイスタイプインジケータの欠如またはメッセージの内容（たとえば、ワイヤレスデバイス３２０）に基づいて決定される第２のデバイスタイプである場合、ワイヤレスデバイス３１０は通信を延期し得る。別の態様では、メッセージがＯＢＳＳ  ＣＴＳメッセージであり、第２のワイヤレスデバイスがデバイスタイプインジケータ（たとえば、ワイヤレスデバイス３１８）に基づいて決定される第１のデバイスタイプである場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージの受信信号強度（たとえば、ＲＳＳＩまたはＳＩＮＲ）を決定し得る。ワイヤレスデバイス３１０は、メッセージの受信信号強度が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＣＴＳ閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がワイヤレスデバイス３１０と関連付けられる第２の閾値未満であり、受信されたメッセージがＯＢＳＳからのものであり、第２のワイヤレスデバイスが第１のデバイスタイプである場合、延期しないことがある。別の態様では、ワイヤレスデバイス３１０は、ＯＢＳＳデバイスがメッセージに加えて（またはメッセージと関連付けられるデータパケットに加えて）送信しないことがある（may）ことをメッセージが示す場合、通信を延期し得る。さらに別の態様では、メッセージが第１のＣＴＳタイプのＯＢＳＳメッセージであり、第２のワイヤレスデバイスが第２のデバイスタイプである場合、ワイヤレスデバイス３１０は延期し得る。
【００８４】
[00102]別の態様では、ワイヤレスデバイス３１０は、（たとえば、メッセージとともに含まれるインジケータ／フィールドに基づいて）メッセージがデータパケットであると決定し得る。ワイヤレスデバイス３１０は、プリアンブルおよび／またはＭＡＣヘッダの中の受信識別子および送信識別子に基づいて、データパケットがＯＢＳＳと関連付けられるかどうかを決定し得る。プリアンブルまたはＭＡＣヘッダの中に直接ＢＳＳ情報があることもある。ワイヤレスデバイス３１０は、データパケットがＯＢＳＳ  ＲＴＳメッセージにリンクされるかどうかに基づいて、データパケットがＯＢＳＳと関連付けられるかどうかを決定し得る。たとえば、ワイヤレスデバイス３１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス３１０は、データパケットがＯＢＳＳと関連付けられると決定し得る。ワイヤレスデバイス３１０はさらに、デバイスタイプインジケータおよび／またはプリアンブルのタイプに基づいて、データパケットが第１のデバイスタイプによって送信されるか第２のデバイスタイプによって送信されるかを決定し得る。一態様では、メッセージがＢＳＳデータパケットである場合、データパケットが第１のデバイスタイプにより送信されるか第２のデバイスタイプにより送信されるかにかかわらず、ワイヤレスデバイス３１０は通信を延期し得る。別の態様では、メッセージがＯＢＳＳデータパケットであり、ＯＢＳＳデータパケットが第１のデバイスタイプによって送信される場合、ワイヤレスデバイス３１０は通信を延期しないことがある。延期しないことは、ＲＳＳＩの制約、または対応するＲＴＳメッセージおよびＣＴＳメッセージの中の追加の制約などの、追加の制約を受けることがある。この態様では、ワイヤレスデバイス３１０は、対応するＣＴＳメッセージによって設定される任意のネットワーク割振りベクトルを取り消し得る。しかしながら、メッセージがＯＢＳＳデータパケットであり、ＯＢＳＳデータパケットが第２のデバイスタイプによって送信される場合、ワイヤレスデバイス３１０は通信を延期し得る。この態様では、ワイヤレスデバイス３１０は、対応するＣＴＳメッセージによって設定される任意のネットワーク割振りベクトルを取り消さないことがある。
【００８５】
[00103]選択肢２Ｂ：第２のＲＴＳタイプ（および「ａｘ」ビット）および第２のＣＴＳタイプ（色／「ａｘ」を有する）
[00104]選択肢２Ｂにおいて、第１のデバイスタイプ（たとえば、ＩＥＥＥ  ８０２．１１ａｘ製品）は、第２のＲＴＳタイプ（たとえば、デバイスタイプインジケータを有するＩＥＥＥ  ８０２．１１ａ／ａｃ  ＲＴＳ）と第２のＣＴＳタイプ（たとえば、デバイスタイプインジケータとＢＳＳＩＤとを有するＩＥＥＥ  ８０２．１１ａ／ａｃ  ＣＴＳ）とを使用する。
【００８６】
[00105]この選択肢では、ワイヤレスデバイス３１０は、ワイヤレスデバイス３１０と関連付けられるＢＳＳ内での第２の通信延期ポリシーを決定し得る。ワイヤレスデバイス３１０がＳＴＡである場合、ワイヤレスデバイス３１０はサービングＡＰから構成メッセージを受信することができ、構成メッセージは第２の通信延期ポリシーを含み得る。ワイヤレスデバイス３１０は、受信された構成メッセージにおいて第２の通信延期ポリシーを受信することによって、第２の通信延期ポリシーを決定し得る。ワイヤレスデバイス３１０がＡＰである場合、ワイヤレスデバイス３１０は、以下でさらに論じられるように、第２の通信延期ポリシーを決定し得る。別の態様では、第２の通信延期ポリシーは、ワイヤレスデバイス３１０へと事前に構成され得る。
【００８７】
[00106]第２の通信延期ポリシーを決定した後で、ワイヤレスデバイス３１０は、第２のワイヤレスデバイス（たとえば、ＳＴＡまたはＡＰ）からメッセージを受信し得る。第２のワイヤレスデバイスは、ワイヤレスデバイス３１４、３１６、３１８、３２０のうちの１つであり得る。この選択肢では、第１のデバイスタイプのワイヤレスデバイス３１４、３１８は、第２のＲＴＳタイプと第２のＣＴＳタイプとを使用し得る。ワイヤレスデバイス３１６、３２０は、第２のデバイスタイプであり、第１のＲＴＳタイプと第１のＣＴＳタイプとを使用し得る。第２のワイヤレスデバイスからメッセージを受信すると、ワイヤレスデバイス３１０は、受信されたメッセージのメッセージタイプを決定し得る。ある態様では、ワイヤレスデバイス３１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス３１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス３１０は、メッセージがＯＢＳＳと関連付けられるかＢＳＳと関連付けられるかを決定し得る。ワイヤレスデバイス３１０はまた、メッセージの中のデバイスタイプインジケータに基づいて、第２のワイヤレスデバイスが第１のデバイスタイプであるか第２のデバイスタイプであるかを決定し得る。たとえば、デバイスタイプインジケータは、第２のワイヤレスデバイスが第１のデバイスタイプであることを示すために１に設定されることがあり、または、第２のワイヤレスデバイスが第２のデバイスタイプであることを示すために０に設定されることがある。メッセージがデバイスタイプインジケータ（たとえば、第１のＲＴＳタイプまたは第１のＣＴＳタイプ）を含まない場合、ワイヤレスデバイス３１０は、第２のワイヤレスデバイスが第２のデバイスタイプであると決定し得る。ワイヤレスデバイス３１０は、メッセージがＯＢＳＳであるかＢＳＳ中であるかに基づいて、第２のワイヤレスデバイスが第１のデバイスタイプであるか第２のデバイスタイプであるかに基づいて、およびメッセージに含まれる任意の他の情報に基づいて、通信を延期するかどうかを決定し得る。
【００８８】
[00107]一態様では、ワイヤレスデバイス３１０は、（たとえば、メッセージにおいて示されるメッセージタイプおよび／またはメッセージの中の情報に基づいて）メッセージが第２のＲＴＳタイプのＲＴＳメッセージであると決定し得る。ワイヤレスデバイスは、（アップリンクの間は）ＲＴＳメッセージの受信機アドレスの中のＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージはＢＳＳ中ＲＴＳメッセージである。ＢＳＳＩＤがＯＢＳＳと関連付けられる場合、メッセージはＯＢＳＳ  ＲＴＳメッセージである。メッセージが（たとえば、ワイヤレスデバイス３１４、３１６からの）ＢＳＳ中ＲＴＳメッセージである場合、ワイヤレスデバイス３１０は、通信を延期すると決定し得る。一態様では、メッセージがＯＢＳＳ  ＲＴＳメッセージであり、第２のワイヤレスデバイスがデバイスタイプインジケータ（たとえば、ワイヤレスデバイス３２０）に基づいて決定される第２のデバイスタイプである場合、ワイヤレスデバイス３１０は通信を延期し得る。別の態様では、メッセージがＯＢＳＳ  ＲＴＳメッセージであり、第２のワイヤレスデバイスがデバイスタイプインジケータ（たとえば、ワイヤレスデバイス３１８）に基づいて決定される第１のデバイスタイプである場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージのＲＳＳＩまたはＳＩＮＲを決定し得る。ワイヤレスデバイス３１０は、受信されたメッセージの受信信号強度（たとえば、ＲＳＳＩまたはＳＩＮＲ）が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＲＴＳ閾値未満であり、受信されたメッセージがＯＢＳＳからのものであり、第２のワイヤレスデバイスが第１のデバイスタイプである場合、通信を延期しないことがある。ワイヤレスデバイス３１０は、受信信号強度がワイヤレスデバイス３１０と関連付けられる第２の閾値未満であり、受信されたメッセージがＯＢＳＳからのものであり、第２のワイヤレスデバイスが第１のタイプである場合、延期しないことがある。別の態様では、ワイヤレスデバイス３１０は、ＯＢＳＳデバイスがメッセージに加えて送信できないことをメッセージが示す場合、延期し得る。別の態様では、ワイヤレスデバイス３１０は、メッセージに含まれる１つまたは複数の条件／基準に基づいて、メッセージがＯＢＳＳと関連付けられるときに、および第２のワイヤレスデバイスが第１のデバイスタイプであるときに、通信を延期するかどうかを決定し得る。条件は、ＲＴＳメッセージを無視するためのＲＳＳＩ閾値、ＲＴＳメッセージに必要なＳＩＮＲマージン、許容可能な干渉の量を決定するために使用され得るデータ送信のＭＣＳ、および／または、ＲＴＳメ��セージの送信電力を示し得る。
【００８９】
[00108]別の態様では、ワイヤレスデバイス３１０は、（たとえば、メッセージの中のメッセージタイプインジケータおよび／またはメッセージの中の情報に基づいて）メッセージが第２のＣＴＳタイプのＣＴＳメッセージであると決定し得る。メッセージは、メッセージ内のフィールドの１つまたは複数にＢＳＳＩＤを含み得る。さらに、メッセージがアップリンク送信で送信される場合、メッセージは受信機アドレスフィールドにＢＳＳＩＤを含み得る。ＢＳＳＩＤに基づいて、ワイヤレスデバイス３１０は、メッセージがＯＢＳＳと関連付けられるかＢＳＳと関連付けられるかを決定し得る。また、メッセージがダウンリンク送信で送信される場合、ワイヤレスデバイス３１０は、メッセージがＯＢＳＳ  ＲＴＳメッセージからＳＩＦＳ後に受信されるかどうかに基づいて、メッセージがＯＢＳＳ  ＣＴＳメッセージであるかどうかを決定し得る。一態様では、メッセージが（たとえば、ワイヤレスデバイス３１４、３１６からの）ＢＳＳ中ＣＴＳメッセージである場合、ワイヤレスデバイス３１０は、通信を延期すると決定し得る。別の態様では、メッセージがＯＢＳＳ  ＣＴＳメッセージであり、第２のワイヤレスデバイスがデバイスタイプインジケータ（たとえば、ワイヤレスデバイス３２０）に基づいて決定される第２のデバイスタイプである場合、ワイヤレスデバイス３１０は通信を延期し得る。別の態様では、メッセージがＯＢＳＳ  ＣＴＳメッセージであり、第２のワイヤレスデバイスがデバイスタイプインジケータ（たとえば、ワイヤレスデバイス３１８）に基づいて決定される第１のデバイスタイプである場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージの受信信号強度（たとえば、ＲＳＳＩまたはＳＩＮＲ）を決定し得る。ワイヤレスデバイス３１０は、メッセージの受信信号強度が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＣＴＳ閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がワイヤレスデバイス３１０と関連付けられる第２の閾値未満である場合、延期しないことがある。別の態様では、ワイヤレスデバイス３１０は、ＯＢＳＳデバイスがメッセージに加えて（またはメッセージと関連付けられるデータパケットに加えて）送信できないことをメッセージが示す場合、通信を延期し得る。別の態様では、ワイヤレスデバイス３１０は、メッセージに含まれる１つまたは複数の条件／基準に基づいて、メッセージがＯＢＳＳと関連付けられるときに、および第２のワイヤレスデバイスが第１のデバイスタイプであるときに、通信を延期するかどうかを決定し得る。１つまたは複数の条件は、ＣＴＳメッセージを無視するためのＲＳＳＩまたはＳＩＮＲ閾値、後続のデータパケットに必要なＳＩＮＲマージン、許容可能な干渉の量を決定するために使用され得るデータ送信のＭＣＳ、および／または、ＣＴＳメッセージの送信電力を示し得る。別の態様では、メッセージが第１のＣＴＳタイプのＯＢＳＳメッセージであり、第２のワイヤレスデバイスが第１のデバイスタイプである場合、ワイヤレスデバイス３１０は延期し得る。さらに別の態様では、メッセージが第１のＣＴＳタイプのＯＢＳＳメッセージであり、第２のワイヤレスデバイスが第２のデバイスタイプである場合、ワイヤレスデバイス３１０は延期し得る。
【００９０】
[00109]別の態様では、ワイヤレスデバイス３１０は、（たとえば、メッセージとともに含まれるインジケータ／フィールドに基づいて）メッセージがデータパケットであると決定し得る。ワイヤレスデバイス３１０は、プリアンブルの中および／またはＭＡＣヘッダの中の受信インジケータおよび送信インジケータに基づいて、データパケットがＯＢＳＳからのものであると決定し得る。プリアンブルまたはＭＡＣヘッダの中に直接ＢＳＳ情報があることもある。ワイヤレスデバイス３１０は、データパケットがＯＢＳＳ  ＲＴＳメッセージにリンクされるかどうかに基づいて、データパケットがＯＢＳＳと関連付けられるかどうかを決定し得る。たとえば、ワイヤレスデバイス３１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス３１０は、データパケットがＯＢＳＳと関連付けられると決定し得る。ワイヤレスデバイス３１０はさらに、デバイスタイプインジケータに基づいて、データパケットが第１のデバイスタイプによって送信されるか第２のデバイスタイプによって送信されるかを決定し得る。一態様では、メッセージがＢＳＳデータパケットである場合、データパケットが第１のデバイスタイプにより送信されるか第２のデバイスタイプにより送信されるかにかかわらず、ワイヤレスデバイス３１０は通信を延期し得る。別の態様では、メッセージがＯＢＳＳデータパケットであり、ＯＢＳＳデータパケットが第１のデバイスタイプによって送信される場合、ワイヤレスデバイス３１０は通信を延期しないことがある。この態様では、ワイヤレスデバイス３１０は、対応するＣＴＳメッセージによって設定される任意のネットワーク割振りベクトルを取り消し得る。しかしながら、メッセージがＯＢＳＳデータパケットであり、ＯＢＳＳデータパケットが第２のデバイスタイプによって送信される場合、ワイヤレスデバイス３１０は通信を延期し得る。この態様では、ワイヤレスデバイス３１０は、対応するＣＴＳメッセージによって設定される任意のネットワーク割振りベクトルを取り消さないことがある。別の態様では、メッセージがＯＢＳＳデータパケットであり、第１のデバイスタイプにより送信される場合、ワイヤレスデバイス３１０は、ＲＳＳＩ要件などの追加の要件、または関連するＲＴＳおよび／もしくはＣＴＳメッセージにおいて与えられる任意の要件に基づいて、延期しないことがある。
【００９１】
[00110]選択肢２Ｃ：色とＮＡＶとを有する第２のＲＴＳタイプ（および「ａｘ」）および第３のＣＴＳタイプ
[00111]選択肢２Ｃにおいて、第１のデバイスタイプ（たとえば、ＩＥＥＥ  ８０２．１１ａｘ製品）は、第２のＲＴＳタイプ（たとえば、デバイスタイプインジケータを有するＩＥＥＥ  ８０２．１１ａ／ａｃ  ＲＴＳ）と第３のＣＴＳタイプ（たとえば、ＩＥＥＥ  ８０２．１１ａｘ  ＣＴＳ）とを使用する。この選択肢では、第３のＣＴＳタイプはＢＳＳＩＤフィールド（または色情報フィールド）を含み得る。第３のＣＴＳタイプは、第２のデバイスタイプ（たとえば、ＩＥＥＥ  ８０２．１１ａ／ａｃデバイス）に適合するネットワーク割振りベクトルを含み得る。
【００９２】
[00112]この選択肢では、ワイヤレスデバイス３１０は、ワイヤレスデバイス３１０と関連付けられるＢＳＳ内での第２の通信延期ポリシーを決定し得る。ワイヤレスデバイス３１０がＳＴＡである場合、ワイヤレスデバイス３１０はサービングＡＰから構成メッセージを受信することができ、構成メッセージは第２の通信延期ポリシーを含み得る。ワイヤレスデバイス３１０は、受信された構成メッセージにおいて第２の通信延期ポリシーを受信することによって、第２の通信延期ポリシーを決定し得る。ワイヤレスデバイス３１０がＡＰである場合、ワイヤレスデバイス３１０は、以下でさらに論じられるように、第２の通信延期ポリシーを決定し得る。別の態様では、第２の通信延期ポリシーは、ワイヤレスデバイス３１０へと事前に構成され得る。
【００９３】
[00113]第２の通信延期ポリシーを決定した後で、ワイヤレスデバイス３１０は、第２のワイヤレスデバイス（たとえば、ＳＴＡまたはＡＰ）からメッセージを受信し得る。第２のワイヤレスデバイスは、ワイヤレスデバイス３１４、３１６、３１８、３２０のうちの１つであり得る。この選択肢では、第１のデバイスタイプのワイヤレスデバイス３１４、３１８は、第２のＲＴＳタイプと第３のＣＴＳタイプとを使用し得る。ワイヤレスデバイス３１６、３２０は、第２のデバイスタイプであり、第１のＲＴＳタイプと第１のＣＴＳタイプとを使用し得る。第２のワイヤレスデバイスからメッセージを受信すると、ワイヤレスデバイス３１０は、受信されたメッセージのメッセージタイプを決定し得る。ある態様では、ワイヤレスデバイス３１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス３１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス３１０は、メッセージがＯＢＳＳと関連付けられるかＢＳＳと関連付けられるかを決定し得る。ワイヤレスデバイス３１０はまた、メッセージの中のデバイスタイプインジケータに基づいて、第２のワイヤレスデバイスが第１のデバイスタイプであるか第２のデバイスタイプであるかを決定し得る。たとえば、デバイスタイプインジケータは、第２のワイヤレスデバイスが第１のデバイスタイプであることを示すために１に設定されることがあり、または、第２のワイヤレスデバイスが第２のデバイスタイプであることを示すために０に設定されることがある。メッセージがデバイスタイプインジケータ（たとえば、第１のＲＴＳタイプまたは第１のＣＴＳタイプ）を含まない場合、ワイヤレスデバイス３１０は、第２のワイヤレスデバイスが第２のデバイスタイプであると決定し得る。ワイヤレスデバイス３１０は、メッセージがＯＢＳＳであるかＢＳＳ中であるかに基づいて、第２のワイヤレスデバイスが第１のデバイスタイプであるか第２のデバイスタイプであるかに基づいて、およびメッセージに含まれる任意の他の情報に基づいて、通信を延期するかどうかを決定し得る。
【００９４】
[00114]一態様では、ワイヤレスデバイス３１０は、（たとえば、メッセージにおいて示されるメッセージタイプおよび／またはメッセージの中の情報に基づいて）メッセージが第２のＲＴＳタイプのＲＴＳメッセージであると決定し得る。ワイヤレスデバイスは、（アップリンクの間は）ＲＴＳメッセージの受信機アドレスの中のＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージはＢＳＳ中ＲＴＳメッセージである。ＢＳＳＩＤがＯＢＳＳと関連付けられる場合、メッセージはＯＢＳＳ  ＲＴＳメッセージである。メッセージが（たとえば、ワイヤレスデバイス３１４、３１６からの）ＢＳＳ中ＲＴＳメッセージである場合、ワイヤレスデバイス３１０は、通信を延期すると決定し得る。一態様では、メッセージがＯＢＳＳ  ＲＴＳメッセージであり、第２のワイヤレスデバイスがデバイスタイプインジケータ（たとえば、ワイヤレスデバイス３２０）に基づいて決定される第２のデバイスタイプである場合、ワイヤレスデバイス３１０は通信を延期し得る。別の態様では、メッセージがＯＢＳＳ  ＲＴＳメッセージであり、第２のワイヤレスデバイスがデバイスタイプインジケータ（たとえば、ワイヤレスデバイス３１８）に基づいて決定される第１のデバイスタイプである場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージのＲＳＳＩまたはＳＩＮＲを決定し得る。ワイヤレスデバイス３１０は、受信されたメッセージの受信信号強度（たとえば、ＲＳＳＩまたはＳＩＮＲ）が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＲＴＳ閾値未満であり、受信されたメッセージがＯＢＳＳからのものであり、第２のワイヤレスデバイスが第１のデバイスタイプである場合、通信を延期しないことがある。ワイヤレスデバイス３１０は、受信信号強度がワイヤレスデバイス３１０と関連付けられる第２の閾値未満であり、受信されたメッセージがＯＢＳＳからのものであり、第２のワイヤレスデバイスが第１のデバイスタイプである場合、延期しないことがある。別の態様では、ワイヤレスデバイス３１０は、ＯＢＳＳデバイスがメッセージに加えて送信できないことをメッセージが示す場合、延期し得る。別の態様では、ワイヤレスデバイス３１０は、メッセージに含まれる１つまたは複数の条件／基準に基づいて、メッセージがＯＢＳＳと関連付けられるときに、および第２のワイヤレスデバイスが第１のデバイスタイプであるときに、通信を延期するかどうかを決定し得る。条件は、ＲＴＳメッセージを無視するためのＲＳＳＩ閾値、ＲＴＳメッセージに必要なＳＩＮＲマージン、許容可能な干渉の量を決定するために使用され得るデータ送信のＭＣＳ、および／または、��ＴＳメッセージの送信電力を示し得る。
【００９５】
[00115]別の態様では、ワイヤレスデバイス３１０は、（たとえば、メッセージの中のメッセージタイプインジケータおよび／またはプリアンブルなどのメッセージの中の情報に基づいて）メッセージが第３のＣＴＳタイプのＣＴＳメッセージであると決定し得る。メッセージがアップリンク送信で送信される場合、メッセージは受信機アドレスフィールドにＢＳＳＩＤを含み得る。そしてメッセージのアップリンク送信とダウンリンク送信の両方において、ワイヤレスデバイス３１０は、メッセージに含まれるＢＳＳＩＤフィールド（または色情報フィールド）または送信機アドレスフィールドの中の値に基づいてＢＳＳＩＤを決定し得る。ＢＳＳＩＤに基づいて、ワイヤレスデバイス３１０は、メッセージがＯＢＳＳと関連付けられるかＢＳＳと関連付けられるかを決定し得る。メッセージがＢＳＳ中ＣＴＳメッセージである場合、ワイヤレスデバイス３１０は、通信を延期すると決定し得る。一態様では、メッセージがＯＢＳＳ  ＣＴＳメッセージであり、第２のワイヤレスデバイスが第２のデバイスタイプである場合、ワイヤレスデバイス３１０は通信を延期し得る。別の態様では、メッセージがＯＢＳＳ  ＣＴＳメッセージであり、第２のワイヤレスデバイスが第１のデバイスタイプである場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージの受信信号強度（たとえば、ＲＳＳＩまたはＳＩＮＲ）を決定し得る。ワイヤレスデバイス３１０は、メッセージの受信信号強度が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＣＴＳ閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がワイヤレスデバイス３１０と関連付けられる第２の閾値未満であり、受信されたメッセージがＯＢＳＳからのものであり、第２のワイヤレスデバイスが第１のデバイスタイプである場合、延期しないことがある。別の態様では、ワイヤレスデバイス３１０は、ＯＢＳＳデバイスがメッセージに加えて（またはメッセージと関連付けられるデータパケットに加えて）送信できないことをメッセージが示す場合、通信を延期し得る。別の態様では、ワイヤレスデバイス３１０は、メッセージに含まれる１つまたは複数の条件／基準に基づいて、メッセージがＯＢＳＳと関連付けられるときに、および第２のワイヤレスデバイスが第１のデバイスタイプであるときに、通信を延期するかどうかを決定し得る。１つまたは複数の条件は、ＣＴＳメッセージを無視するためのＲＳＳＩまたはＳＩＮＲ閾値、ＲＴＳメッセージに必要なＳＩＮＲマージン、許容可能な干渉の量を決定するために使用され得るデータ送信のＭＣＳ、および／または、ＣＴＳメッセージの送信電力を示し得る。
【００９６】
[00116]別の態様では、ワイヤレスデバイス３１０は、（たとえば、メッセージとともに含まれるインジケータ／フィールドに基づいて）メッセージがデータパケットであると決定し得る。ワイヤレスデバイス３１０は、プリアンブルおよび／またはＭＡＣヘッダの中の受信機識別子および送信機識別子に基づいて、データパケットがＯＢＳＳと関連付けられるかどうかを決定し得る。プリアンブルまたはＭＡＣヘッダの中に直接ＢＳＳ情報があることもある。ワイヤレスデバイス３１０は、データパケットがＯＢＳＳ  ＲＴＳメッセージまたはＣＴＳメッセージにリンクされるかどうかに基づいて、データパケットがＯＢＳＳと関連付けられるかどうかを決定し得る。たとえば、ワイヤレスデバイス３１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス３１０は、データパケットがＯＢＳＳと関連付けられると決定し得る。ワイヤレスデバイス３１０はさらに、デバイスタイプインジケータに基づいて、データパケットが第１のデバイスタイプによって送信されるか第２のデバイスタイプによって送信されるかを決定し得る。一態様では、メッセージがＢＳＳデータパケットである場合、データパケットが第１のデバイスタイプにより送信されるか第２のデバイスタイプにより送信されるかにかかわらず、ワイヤレスデバイス３１０は通信を延期し得る。別の態様では、メッセージがＯＢＳＳデータパケットであり、ＯＢＳＳデータパケットが第１のデバイスタイプによって送信される場合、ワイヤレスデバイス３１０は通信を延期しないことがあり、または、ＲＳＳＩ要件などのいくつかの（certain）要件が満たされる場合に、通信を延期しないことがある。他の要件は、含まれる関連するＲＴＳ／ＣＴＳメッセージであり得る。メッセージがＯＢＳＳデータパケットであり、ＯＢＳＳデータパケットが第２のデバイスタイプによって送信される場合、ワイヤレスデバイス３１０は通信を延期し得る。
【００９７】
[00117]選択肢２Ｄ：色／ＮＡＶを有する第３のＲＴＳタイプおよび色／ＮＡＶを有する第３のＣＴＳタイプ
[00118]選択肢２Ｄにおいて、第１のデバイスタイプ（たとえば、ＩＥＥＥ  ８０２．１１ａｘ製品）は、第３のＲＴＳタイプ（たとえば、ＩＥＥＥ  ８０２．１１ａｘ  ＲＴＳ）と第３のＣＴＳタイプ（たとえば、ＩＥＥＥ  ８０２．１１ａｘ  ＣＴＳ）とを使用する。この選択肢では、第３のＲＴＳタイプと第３のＣＴＳタイプの両方がＢＳＳＩＤフィールド（または色情報フィールド）を含み得る。第３のＲＴＳタイプおよびＣＴＳタイプは、第２のデバイスタイプ（たとえば、ＩＥＥＥ  ８０２．１１ａ／ａｃデバイス）に適合するネットワーク割振りベクトルを含み得る。また、第３のＲＴＳタイプおよびＣＴＳタイプは、デバイスタイプインジケータを含み得る。
【００９８】
[00119]この選択肢では、ワイヤレスデバイス３１０は、ワイヤレスデバイス３１０と関連付けられるＢＳＳ内での第２の通信延期ポリシーを決定し得る。ワイヤレスデバイス３１０がＳＴＡである場合、ワイヤレスデバイス３１０はサービングＡＰから構成メッセージを受信することができ、構成メッセージは第２の通信延期ポリシーを含み得る。ワイヤレスデバイス３１０は、受信された構成メッセージにおいて第２の通信延期ポリシーを受信することによって、第２の通信延期ポリシーを決定し得る。ワイヤレスデバイス３１０がＡＰである場合、ワイヤレスデバイス３１０は、以下でさらに論じられるように、第２の通信延期ポリシーを決定し得る。別の態様では、第２の通信延期ポリシーは、ワイヤレスデバイス３１０へと事前に構成され得る。
【００９９】
[00120]第２の通信延期ポリシーを決定した後で、ワイヤレスデバイス３１０は、第２のワイヤレスデバイス（たとえば、ＳＴＡまたはＡＰ）からメッセージを受信し得る。第２のワイヤレスデバイスは、ワイヤレスデバイス３１４、３１６、３１８、３２０のうちの１つであり得る。この選択肢では、第１のデバイスタイプのワイヤレスデバイス３１４、３１８は、第３のＲＴＳタイプと第３のＣＴＳタイプとを使用し得る。ワイヤレスデバイス３１６、３２０は、第２のデバイスタイプであり、第１のＲＴＳタイプと第１のＣＴＳタイプとを使用し得る。第２のワイヤレスデバイスからメッセージを受信すると、ワイヤレスデバイス３１０は、受信されたメッセージのメッセージタイプを決定し得る。ある態様では、ワイヤレスデバイス３１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス３１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス３１０は、メッセージがＯＢＳＳと関連付けられるかＢＳＳと関連付けられるかを決定し得る。ワイヤレスデバイス３１０はまた、メッセージの中のデバイスタイプインジケータに基づいて、第２のワイヤレスデバイスが第１のデバイスタイプであるか第２のデバイスタイプであるかを決定し得る。たとえば、デバイスタイプインジケータは、第２のワイヤレスデバイスが第１のデバイスタイプであることを示すために１に設定されることがあり、または、第２のワイヤレスデバイスが第２のデバイスタイプであることを示すために０に設定されることがある。メッセージがデバイスタイプインジケータ（たとえば、第１のＲＴＳタイプまたは第１のＣＴＳタイプ）を含まない場合、ワイヤレスデバイス３１０は、第２のワイヤレスデバイスが第２のデバイスタイプであると決定し得る。ワイヤレスデバイス３１０は、メッセージがＯＢＳＳであるかＢＳＳ中であるかに基づいて、第２のワイヤレスデバイスが第１のデバイスタイプであるか第２のデバイスタイプであるかに基づいて、およびメッセージに含まれる任意の他の情報に基づいて、通信を延期するかどうかを決定し得る。
【０１００】
[00121]一態様では、ワイヤレスデバイス３１０は、（たとえば、メッセージにおいて示されるメッセージタイプおよび／またはプリアンブルなどのメッセージの中の情報に基づいて）メッセージが第３のＲＴＳタイプのＲＴＳメッセージであると決定し得る。ワイヤレスデバイスは、ＢＳＳＩＤフィールドの値に基づいて、または（アップリンクの間は）ＲＴＳメッセージの受信機アドレスの中のＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージはＢＳＳ中ＲＴＳメッセージである。ＢＳＳＩＤがＯＢＳＳと関連付けられる場合、メッセージはＯＢＳＳ  ＲＴＳメッセージである。メッセージが（たとえば、ワイヤレスデバイス３１４、１３６からの）ＢＳＳ中ＲＴＳメッセージである場合、ワイヤレスデバイス３１０は、通信を延期すると決定し得る。一態様では、メッセージがＯＢＳＳ  ＲＴＳメッセージであり、第２のワイヤレスデバイスが第２のデバイスタイプ（たとえば、ワイヤレスデバイス３２０）である場合、ワイヤレスデバイス３１０は通信を延期し得る。別の態様では、メッセージがＯＢＳＳ  ＲＴＳメッセージであり、第２のワイヤレスデバイスが第１のデバイスタイプ（たとえば、ワイヤレスデバイス３１８）である場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージのＲＳＳＩまたはＳＩＮＲを決定し得る。ワイヤレスデバイス３１０は、受信されたメッセージの受信信号強度（たとえば、ＲＳＳＩまたはＳＩＮＲ）が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＲＴＳ閾値未満であり、受信されたメッセージがＯＢＳＳからのものであり、第２のワイヤレスデバイスが第１のデバイスタイプである場合、通信を延期しないことがある。ワイヤレスデバイス３１０は、受信信号強度がワイヤレスデバイス３１０と関連付けられる第２の閾値未満であり、受信されたメッセージがＯＢＳＳからのものであり、第２のワイヤレスデバイスが第１のデバイスタイプである場合、延期しないことがある。別の態様では、ワイヤレスデバイス３１０は、ＯＢＳＳデバイスがメッセージに加えて送信できないことをメッセージが示す場合、延期し得る。別の態様では、ワイヤレスデバイス３１０は、メッセージに含まれる１つまたは複数の条件／基準に基づいて、メッセージがＯＢＳＳと関連付けられるときに、および第２のワイヤレスデバイスが第１のデバイスタイプであるときに、通信を延期するかどうかを決定し得る。条件は、ＲＴＳメッセージを無視するためのＲＳＳＩ閾値、後続のデータパケットに必要なＳＩＮＲマージン、許容可能な干渉の量を決定するために使用され得るデータ送信のＭＣＳ、および／または、ＲＴＳメッセージの送信電力を��し得る。
【０１０１】
[00122]別の態様では、ワイヤレスデバイス３１０は、（たとえば、メッセージの中のメッセージタイプインジケータおよび／またはプリアンブルなどのメッセージの中の情報に基づいて）メッセージが第３のＣＴＳタイプのＣＴＳメッセージであると決定し得る。メッセージがアップリンク送信で送信される場合、メッセージは受信機アドレスフィールドにＢＳＳＩＤを含み得る。そしてメッセージのアップリンク送信とダウンリンク送信の両方において、ワイヤレスデバイス３１０は、メッセージに含まれるＢＳＳＩＤフィールド（または色情報フィールド）または送信機アドレスフィールドもしくは受信機アドレスフィールドの中の値に基づいてＢＳＳＩＤを決定し得る。ＢＳＳＩＤに基づいて、ワイヤレスデバイス３１０は、メッセージがＯＢＳＳと関連付けられるかＢＳＳと関連付けられるかを決定し得る。メッセージがＢＳＳ中ＣＴＳメッセージである場合、ワイヤレスデバイス３１０は、通信を延期すると決定し得る。一態様では、メッセージがＯＢＳＳ  ＣＴＳメッセージであり、第２のワイヤレスデバイスが第２のデバイスタイプである場合、ワイヤレスデバイス３１０は通信を延期し得る。別の態様では、メッセージがＯＢＳＳ  ＣＴＳメッセージであり、第２のワイヤレスデバイスが第１のデバイスタイプである場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージの受信信号強度（たとえば、ＲＳＳＩまたはＳＩＮＲ）を決定し得る。ワイヤレスデバイス３１０は、メッセージの受信信号強度が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＣＴＳ閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がワイヤレスデバイス３１０と関連付けられる第２の閾値未満であり、受信されたメッセージがＯＢＳＳからのものであり、第２のワイヤレスデバイスが第１のデバイスタイプである場合、延期しないことがある。別の態様では、ワイヤレスデバイス３１０は、ＯＢＳＳデバイスがメッセージに加えて（またはメッセージと関連付けられるデータパケットに加えて）送信できないことをメッセージが示す場合、通信を延期し得る。別の態様では、ワイヤレスデバイス３１０は、メッセージに含まれる１つまたは複数の条件／基準に基づいて、メッセージがＯＢＳＳと関連付けられるときに、および第２のワイヤレスデバイスが第１のデバイスタイプであるときに、通信を延期するかどうかを決定し得る。１つまたは複数の条件は、ＣＴＳメッセージを無視するためのＲＳＳＩまたはＳＩＮＲ閾値、ＲＴＳメッセージに必要なＳＩＮＲマージン、許容可能な干渉の量を決定するために使用され得るデータ送信のＭＣＳ、および／または、ＣＴＳメッセージの送信電力を示し得る。
【０１０２】
[00123]別の態様では、ワイヤレスデバイス３１０は、（たとえば、メッセージとともに含まれるインジケータ／フィールドに基づいて）メッセージがデータパケットであると決定し得る。ワイヤレスデバイス３１０は、プリアンブルおよびまたはＭＡＣヘッダの中の受信識別子および送信識別子に基づいて、データパケットがＯＢＳＳと関連付けられるかどうかを決定し得る。プリアンブルまたはＭＡＣヘッダの中に直接ＢＳＳ情報があることもある。ワイヤレスデバイス３１０は、データパケットがＯＢＳＳ  ＲＴＳメッセージまたはＣＴＳメッセージにリンクされるかどうかに基づいて、データパケットがＯＢＳＳと関連付けられるかどうかを決定し得る。たとえば、ワイヤレスデバイス３１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス３１０は、データパケットがＯＢＳＳと関連付けられると決定し得る。ワイヤレスデバイス３１０はさらに、デバイスタイプインジケータに基づいて、データパケットが第１のデバイスタイプによって送信されるか第２のデバイスタイプによって送信されるかを決定し得る。一態様では、メッセージがＢＳＳデータパケットである場合、データパケットが第１のデバイスタイプにより送信されるか第２のデバイスタイプにより送信されるかにかかわらず、ワイヤレスデバイス３１０は通信を延期し得る。別の態様では、メッセージがＯＢＳＳデータパケットであり、ＯＢＳＳデータパケットが第１のデバイスタイプによって送信される場合、ワイヤレスデバイス３１０は通信を延期しないことがある。別の態様では、延期しないという決定は、追加の基準が満たされる場合にのみ行われ得る。たとえば、ＲＳＳＩがあるレベル未満である場合、または、関連するＲＴＳおよび／もしくはＣＴＳメッセージにおいて見出される非延期の要件が満たされる場合。しかしながら、メッセージがＯＢＳＳデータパケットであり、ＯＢＳＳデータパケットが第２のデバイスタイプによって送信される場合、ワイヤレスデバイス３１０は通信を延期し得る。
【０１０３】
[00124]選択肢２Ｅ：第３のＲＴＳタイプおよび第２のＣＴＳタイプ
[00125]選択肢２Ｅにおいて、第１のデバイスタイプ（たとえば、ＩＥＥＥ  ８０２．１１ａｘ製品）は、第３のＲＴＳタイプ（たとえば、ＩＥＥＥ  ８０２．１１ａｘ  ＲＴＳ）と第２のＣＴＳタイプ（たとえば、色情報とデバイスタイプインジケータとを有するＩＥＥＥ  ８０２．１１ａ／ａｃ  ＣＴＳ）とを使用する。
【０１０４】
[00126]この選択肢では、ワイヤレスデバイス３１０は、ワイヤレスデバイス３１０と関連付けられるＢＳＳ内での第２の通信延期ポリシーを決定し得る。ワイヤレスデバイス３１０がＳＴＡである場合、ワイヤレスデバイス３１０はサービングＡＰから構成メッセージを受信することができ、構成メッセージは第２の通信延期ポリシーを含み得る。ワイヤレスデバイス３１０は、受信された構成メッセージにおいて第２の通信延期ポリシーを受信することによって、第２の通信延期ポリシーを決定し得る。ワイヤレスデバイス３１０がＡＰである場合、ワイヤレスデバイス３１０は、以下でさらに論じられるように、第２の通信延期ポリシーを決定し得る。別の態様では、第２の通信延期ポリシーは、ワイヤレスデバイス３１０へと事前に構成され得る。
【０１０５】
[00127]第２の通信延期ポリシーを決定した後で、ワイヤレスデバイス３１０は、第２のワイヤレスデバイス（たとえば、ＳＴＡまたはＡＰ）からメッセージを受信し得る。第２のワイヤレスデバイスは、ワイヤレスデバイス３１４、３１６、３１８、３２０のうちの１つであり得る。この選択肢では、第１のデバイスタイプのワイヤレスデバイス３１４、３１８は、第３のＲＴＳタイプと第２のＣＴＳタイプとを使用し得る。ワイヤレスデバイス３１６、３２０は、第２のデバイスタイプであり、第１のＲＴＳタイプと第１のＣＴＳタイプとを使用し得る。第２のワイヤレスデバイスからメッセージを受信すると、ワイヤレスデバイス３１０は、受信されたメッセージのメッセージタイプを決定し得る。ある態様では、ワイヤレスデバイス３１０は、受信されたメッセージがＲＴＳメッセージであるか、ＣＴＳメッセージであるか、またはデータパケットであるかを決定し得る。メッセージがＲＴＳメッセージまたはＣＴＳメッセージである場合、ワイヤレスデバイス３１０は、メッセージがＲＴＳメッセージの３つのタイプのうちの１つであるか、またはＣＴＳメッセージの３つのタイプのうちの１つであるかを決定し得る。決定されたメッセージタイプに基づいて、ワイヤレスデバイス３１０は、メッセージがＯＢＳＳと関連付けられるかＢＳＳと関連付けられるかを決定し得る。ワイヤレスデバイス３１０はまた、メッセージの中のデバイスタイプインジケータに基づいて、第２のワイヤレスデバイスが第１のデバイスタイプであるか第２のデバイスタイプであるかを決定し得る。たとえば、デバイスタイプインジケータは、第２のワイヤレスデバイスが第１のデバイスタイプであることを示すために１に設定されることがあり、または、第２のワイヤレスデバイスが第２のデバイスタイプであることを示すために０に設定されることがある。メッセージがデバイスタイプインジケータ（たとえば、第１のＲＴＳタイプまたは第１のＣＴＳタイプ）を含まない場合、ワイヤレスデバイス３１０は、第２のワイヤレスデバイスが第２のデバイスタイプであると決定し得る。ワイヤレスデバイス３１０は、メッセージがＯＢＳＳであるかＢＳＳ中であるかに基づいて、第２のワイヤレスデバイスが第１のデバイスタイプであるか第２のデバイスタイプであるかに基づいて、およびメッセージに含まれる任意の他の情報に基づいて、通信を延期するかどうかを決定し得る。
【０１０６】
[00128]一態様では、ワイヤレスデバイス３１０は、（たとえば、メッセージにおいて示されるメッセージタイプおよび／またはプリアンブルなどのメッセージの中の情報に基づいて）メッセージが第３のＲＴＳタイプのＲＴＳメッセージであると決定し得る。ワイヤレスデバイスは、ＢＳＳＩＤフィールドの値に基づいて、または（アップリンクの間は）ＲＴＳメッセージの受信機アドレスの中のＢＳＳＩＤに基づいて、または（ダウンリンクの間は）ＲＴＳメッセージの送信機アドレスの中のＢＳＳＩＤに基づいて、ＲＴＳメッセージがＯＢＳＳと関連付けられるかＢＳＳと関連付けられるかを決定し得る。ＢＳＳＩＤがＢＳＳと関連付けられる場合、メッセージはＢＳＳ中ＲＴＳメッセージである。ＢＳＳＩＤがＯＢＳＳと関連付けられる場合、メッセージはＯＢＳＳ  ＲＴＳメッセージである。メッセージが（たとえば、ワイヤレスデバイス３１４、１３６からの）ＢＳＳ中ＲＴＳメッセージである場合、ワイヤレスデバイス３１０は、通信を延期すると決定し得る。一態様では、メッセージがＯＢＳＳ  ＲＴＳメッセージであり、第２のワイヤレスデバイスが第２のデバイスタイプ（たとえば、ワイヤレスデバイス３２０）である場合、ワイヤレスデバイス３１０は通信を延期し得る。別の態様では、メッセージがＯＢＳＳ  ＲＴＳメッセージであり、第２のワイヤレスデバイスが第１のデバイスタイプ（たとえば、ワイヤレスデバイス３１８）である場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージのＲＳＳＩまたはＳＩＮＲを決定し得る。ワイヤレスデバイス３１０は、受信されたメッセージの受信信号強度（たとえば、ＲＳＳＩまたはＳＩＮＲ）が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＲＴＳ閾値未満であり、受信されたメッセージがＯＢＳＳからのものであり、第２のワイヤレスデバイスが第１のデバイスタイプである場合、通信を延期しないことがある。ワイヤレスデバイス３１０は、受信信号強度がワイヤレスデバイス３１０と関連付けられる第２の閾値未満である場合、延期しないことがある。別の態様では、ワイヤレスデバイス３１０は、ＯＢＳＳデバイスがメッセージに加えて送信できないことをメッセージが示す場合、延期し得る。別の態様では、ワイヤレスデバイス３１０は、メッセージに含まれる１つまたは複数の条件／基準に基づいて、メッセージがＯＢＳＳと関連付けられるときに、および第２のワイヤレスデバイスが第１のデバイスタイプであるときに、通信を延期するかどうかを決定し得る。条件は、ＲＴＳメッセージを無視するためのＲＳＳＩ閾値、後続のデータパケットに必要なＳＩＮＲマージン、許容可能な干渉の量を決定するために使用され得るデータ送信のＭＣＳ、および／または、ＲＴＳメッセージの送信電力を示し得る。
【０１０７】
[00129]別の態様では、ワイヤレスデバイス３１０は、（たとえば、メッセージの中のメッセージタイプインジケータおよび／またはメッセージの中の情報に基づいて）メッセージが第２のＣＴＳタイプのＣＴＳメッセージであると決定し得る。メッセージは、メッセージ内のフィールドの１つまたは複数にＢＳＳＩＤを含み得る。さらに、メッセージがアップリンク送信で送信される場合、メッセージは受信機アドレスフィールドにＢＳＳＩＤを含み得る。ＢＳＳＩＤに基づいて、ワイヤレスデバイス３１０は、メッセージがＯＢＳＳと関連付けられるかＢＳＳと関連付けられるかを決定し得る。また、メッセージがダウンリンク送信で送信される場合、ワイヤレスデバイス３１０は、メッセージがＯＢＳＳ  ＲＴＳメッセージからＳＩＦＳ後に受信されるかどうかに基づいて、メッセージがＯＢＳＳ  ＣＴＳメッセージであるかどうかを決定し得る。一態様では、メッセージが（たとえば、ワイヤレスデバイス３１４、３１６からの）ＢＳＳ中ＣＴＳメッセージである場合、ワイヤレスデバイス３１０は、通信を延期すると決定し得る。別の態様では、メッセージがＯＢＳＳ  ＣＴＳメッセージであり、第２のワイヤレスデバイスがデバイスタイプインジケータ（たとえば、ワイヤレスデバイス３２０）に基づいて決定される第２のデバイスタイプである場合、ワイヤレスデバイス３１０は通信を延期し得る。別の態様では、メッセージがＯＢＳＳ  ＣＴＳメッセージであり、第２のワイヤレスデバイスがデバイスタイプインジケータ（たとえば、ワイヤレスデバイス３１８）に基づいて決定される第１のデバイスタイプである場合、ワイヤレスデバイス３１０は、通信を延期しないことがあり、または、通信を延期するかどうかを決定するために１つまたは複数の基準／要因を考慮することがある。たとえば、ワイヤレスデバイス３１０は、メッセージの受信信号強度（たとえば、ＲＳＳＩまたはＳＩＮＲ）を決定し得る。ワイヤレスデバイス３１０は、メッセージの受信信号強度が第１の閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がＣＴＳ閾値未満であり、受信されたメッセージがＯＢＳＳからのものであり、第２のワイヤレスデバイスが第１のデバイスタイプである場合、延期しないことがある。ワイヤレスデバイス３１０は、受信信号強度がワイヤレスデバイス３１０と関連付けられる第２の閾値未満である場合、延期しないことがある。別の態様では、ワイヤレスデバイス３１０は、ＯＢＳＳデバイスがメッセージに加えて（またはメッセージと関連付けられるデータパケットに加えて）送信できないことをメッセージが示す場合、通信を延期し得る。別の態様では、ワイヤレスデバイス３１０は、メッセージに含まれる１つまたは複数の条件／基準に基づいて、メッセージがＯＢＳＳと関連付けられるときに、および第２のワイヤレスデバイスが第１のデバイスタイプであるときに、通信を延期するかどうかを決定し得る。１つまたは複数の条件は、ＣＴＳメッセージを無視するためのＲＳＳＩまたはＳＩＮＲ閾値、後続のデータパケットに必要なＳＩＮＲマージン、許容可能な干渉の量を決定するために使用され得るデータ送信のＭＣＳ、および／または、ＣＴＳメッセージの送信電力を示し得る。別の態様では、メッセージが第１のＣＴＳタイプのＯＢＳＳメッセージであり、第２のワイヤレスデバイスが第１のデバイスタイプである場合、ワイヤレスデバイス３１０は延期し得、または、第２のＣＴＳタイプと同様に前述の条件に基づいて延期しないことがある。さらに別の態様では、メッセージが第１のＣＴＳタイプのＯＢＳＳメッセージであり、第２のワイヤレスデバイスが第２のデバイスタイプである場合、ワイヤレスデバイス３１０は延期し得る。
【０１０８】
[00130]別の態様では、ワイヤレスデバイス３１０は、（たとえば、メッセージとともに含まれるインジケータ／フィールドに基づいて）メッセージがデータパケットであると決定し得る。ワイヤレスデバイス３１０は、プリアンブルおよび／またはＭＡＣヘッダの中の送信識別子および受信識別子に基づいて、メッセージがＯＢＳＳと関連付けられると決定し得る。プリアンブルまたはＭＡＣヘッダの中に直接ＢＳＳ情報があることもある。ワイヤレスデバイス３１０はまた、データパケットがＯＢＳＳ  ＲＴＳメッセージにリンクされるかどうかに基づいて、データパケットがＯＢＳＳと関連付けられるかどうかを決定し得る。たとえば、ワイヤレスデバイス３１０がＯＢＳＳ  ＲＴＳメッセージを受信し、次いでＳＩＦＳ後にＯＢＳＳ  ＣＴＳメッセージを受信し、次いで別のＳＩＦＳ後にデータパケットを受信する場合、ワイヤレスデバイス３１０は、データパケットがＯＢＳＳと関連付けられると決定し得る。ワイヤレスデバイス３１０はさらに、デバイスタイプインジケータに基づいて、データパケットが第１のデバイスタイプによって送信されるか第２のデバイスタイプによって送信されるかを決定し得る。一態様では、メッセージがＢＳＳデータパケットである場合、データパケットが第１のデバイスタイプにより送信されるか第２のデバイスタイプにより送信されるかにかかわらず、ワイヤレスデバイス３１０は通信を延期し得る。別の態様では、メッセージがＯＢＳＳデータパケットであり、ＯＢＳＳデータパケットが第１のデバイスタイプによって送信される場合、ワイヤレスデバイス３１０は通信を延期しないことがある。一態様では、延期しないという決定は、追加の条件が満たされる場合にのみ行われ得る。これらは、ＲＳＳＩに対する条件、または関連するＲＴＳ／ＣＴＳメッセージに含まれる条件であり得る。この態様では、ワイヤレスデバイス３１０は、対応するＣＴＳメッセージによって設定される任意のネットワーク割振りベクトルを取り消し得る。しかしながら、メッセージがＯＢＳＳデータパケットであり、ＯＢＳＳデータパケットが第２のデバイスタイプによって送信される場合、ワイヤレスデバイス３１０は通信を延期し得る。この態様では、ワイヤレスデバイス３１０は、対応するＣＴＳメッセージによって設定される任意のネットワーク割振りベクトルを取り消さないことがある。
【０１０９】
[00131]図４は、ＲＴＳ／ＣＴＳ動作の第３の例示的な方法を示す表４００である。表４００を参照すると、ワイヤレスデバイス４１０は、第１のデバイスタイプ（たとえば、８０２．１１ａｘ適合ＳＴＡまたはＡＰ）であり得る。ワイヤレスデバイス４１２は、第２のデバイスタイプ（たとえば、８０２．１１ａｘ適合ではない）であることがあり、ワイヤレスデバイス４１０と同じＢＳＳの中にあることがある。ワイヤレスデバイス４１０は送信すべきデータを有し得る。送信の前に、ワイヤレスデバイス４１０は、ワイヤレスデバイス４１４、４１６、４１８、および４２０のいずれか１つであり得る第２のワイヤレスデバイスによって送信されるＲＴＳメッセージ、ＣＴＳメッセージ、および／またはデータパケットを検出することがある。ワイヤレスデバイス４１４は第１のデバイスタイプ（たとえば、８０２．１１ａｘ適合）であることがあり、ワイヤレスデバイス４１６は第２のデバイスタイプ（たとえば、８０２．１１ａｘ適合ではない）であることがある。ワイヤレスデバイス４１４、４１６は、ワイヤレスデバイス４１０と同じＢＳＳの中にあり得る。ワイヤレスデバイス４１８は第１のデバイスタイプであることがあり、ワイヤレスデバイス４２０は第２のデバイスタイプであることがある。ワイヤレスデバイス４１８、４２０は、ワイヤレスデバイス４１０およびワイヤレスデバイス４１２に関するあるＯＢＳＳの中にあり得る。
【０１１０】
[00132]第２のワイヤレスデバイスからのＲＴＳメッセージ、ＣＴＳメッセージ、および／またはデータパケットを検出すると、ワイヤレスデバイス４１０、４１２は、通信を延期するかどうかを決定し得る。表４００は、第３の通信延期ポリシーと関連付けられる一般的なガイドラインを示す。第３の通信延期ポリシーのもとで、ワイヤレスデバイス４１０は、上で論じられたように、ワイヤレスデバイス３１０と同じように振る舞う。しかしながら、ワイヤレスデバイス４１２は、任意のデバイスタイプと関連付けられるＢＳＳ中ＲＴＳ／ＣＴＳメッセージと、第２のデバイスタイプと関連付けられるＯＢＳＳ  ＲＴＳ／ＣＴＳメッセージとに従うが、ワイヤレスデバイス２１２、３１２とは異なり、第１のデバイスタイプのＯＢＳＳ  ＲＴＳ／ＣＴＳメッセージに従わない。第３の通信延期ポリシーの目標は、第２のデバイスタイプのＯＢＳＳワイヤレスデバイスを過剰に沈黙させないこと（to not over silence）である。
【０１１１】
[00133]しかしながら、ワイヤレスデバイス４１２は第２のデバイスタイプであるので、ワイヤレスデバイス４１２は、サービングＡＰからのシグナリングによって修正され得ない事前に構成された通信延期ポリシーを有し得る。それでも、ワイヤレスデバイス４１２がワイヤレスデバイス４１８からのＯＢＳＳメッセージに従わないことを可能にするようにワイヤレスデバイス４１２の挙動を変更するための、様々な方法が存在する。一態様では、第３のＲＴＳタイプおよび第３のＣＴＳタイプは、ワイヤレスデバイス４１２によって復号可能ではないことがある。別の態様では、サービングＡＰは、ワイヤレスデバイス４１２を沈黙させるための静穏間隔（quiet interval）と、ワイヤレスデバイス４１２およびワイヤレスデバイス４１０が同時に媒体をめぐって競合しないように第１のデバイスタイプによってのみ復号可能である静穏成分打消し（quiet element cancellation）とを使用し得る。このようにして、ＢＳＳ内の第１のデバイスタイプおよび第２のデバイスタイプのデバイスは、互いに従うことを強いられ、第１のデバイスタイプのデバイスは、第２のデバイスタイプのデバイスにより理解され得ない第３のタイプのＲＴＳメッセージとＣＴＳメッセージとを使用し得る。このことは、第２のデバイスタイプのデバイスが、第１のデバイスタイプのＯＢＳＳデバイスにより送信されたＲＴＳメッセージとＣＴＳメッセージとに従わないことを可能にする。別の態様では、第１のデバイスタイプのワイヤレスデバイスは、沈黙領域（silencing area）が最小限になるように、第１のデバイスタイプにより復号可能な任意のＲＴＳ／ＣＴＳタイプの出力（power）および／またはレートを制限し得る。別の態様では、第１のデバイスタイプは、（たとえば、ＣＴＳだけをカバーするように）ＲＴＳネットワーク割振りベクトルを減らし、または、第３のタイプのＲＴＳを使用する場合、ＲＴＳネットワーク割振りベクトルを、第２のデバイスタイプにより復号可能ではない（たとえば、８０２．１１ａ／ａｃ製品などのレガシーデバイスにより復号可能ではない）ようにし得る（may）。さらに別の態様では、第１のデバイスタイプは、第２のデバイスタイプと比較して、より好ましくない（less favorable）拡張型分散チャネルアクセス（ＥＤＣＡ）パラメータを有し得る。
【０１１２】
[00134]ＲＴＳ／ＣＴＳメッセージシグナリング
[00135]上で論じられたように、デバイスタイプインジケータは、ＲＴＳ／ＣＴＳメッセージ／データパケットを送信しているデバイスタイプを示すために使用され得る。第２のＲＴＳタイプの一構成では、デバイスタイプインジケータは、送信機アドレスフィールドまたは受信機アドレスフィールドの個別／グループ（Ｉ／Ｇ）ビットの中にあり得る。Ｉ／Ｇビットは、アドレスが個別である（ユニキャストされる）かグループである（マルチキャストされる）かを示す。ある態様では、デバイスタイプインジケータが１に設定される場合、デバイスタイプは第１のデバイスタイプである。デバイスタイプインジケータが０に設定される場合、デバイスタイプは第２のデバイスタイプである。第２のＲＴＳタイプの別の構成では、デバイスタイプインジケータは、送信機アドレスフィールドまたは受信機アドレスフィールドの中の他のビットを、第１のデバイスタイプを示すための特殊文字列（special string）で置き換えることによって、実装され得る。第２のＲＴＳタイプの別の構成では、デバイスタイプインジケータは、スクランブリングシードの中に位置し得る。この構成では、Ｉ／Ｇビットは、スクランブリングシードの中の隠された情報を示すために使用され得る。第２のＲＴＳタイプの別の構成では、デバイスタイプインジケータは、信号フィールドの中の予備ビットの中に実装され得る。第２のＲＴＳタイプの別の構成では、デバイスタイプインジケータは、サービスフィールドの中の予備ビットの中に実装され得る。第２のＲＴＳタイプの別の構成では、デバイスタイプインジケータは、フレーム制御フィールドの中に実装され得る。この構成では、最初は（originally）０に設定されていた様々なビット（たとえば、再試行（ｒｅｔｒｙ）ビット、さらなる断片化（ｍｏｒｅ  ｆｒａｇｍｅｎｔａｔｉｏｎ）ビット、保護フレーム（ｐｒｏｔｅｃｔｅｄ  ｆｒａｍｅ）ビット）が、デバイスタイプを示すために１に設定され得る。さらに別の構成では、複数のフィールドからの複数のビットが、デバイスタイプインジケータを実装するために使用され得る。たとえば、送信機アドレスフィールドの中のＩ／Ｇビットまたは受信機アドレスフィールドの中のＩ／Ｇビット、およびスクランブリングシードの中の１つまたは複数のビットが、第２のＲＴＳタイプにおいて第１のデバイスタイプを示すために１に設定され得る。別の例では、送信機アドレスフィールドの中のＩ／Ｇビットまたは受信機アドレスフィールドの中のＩ／Ｇビット、および送信機アドレスフィールドまたは受信機アドレスフィールドの中の１つまたは複数のビットが、デバイスタイプインジケータを実装するために使用され得る。
【０１１３】
[00136]デバイスタイプインジケータを実装するために、および、第２のＣＴＳタイプのＣＴＳメッセージにＢＳＳＩＤ情報を含めるために、（ＣＴＳメッセージが送信機アドレスフィールドを有しないことがあるので送信機アドレスフィールドが使用されないことがあることを除いて）同様の方法が使用され得る。たとえば、デバイスタイプインジケータおよび／またはＢＳＳＩＤ情報は、受信機アドレスフィールド、スクランブリングシード、信号フィールドもしくはサービスフィールドの中の予備ビット、または、最初は固定された値に設定されていたフレーム制御フィールドビットに含まれ得る。フレーム制御フィールドビットの例には、再試行ビット、さらなる断片化ビット、および保護フレームビットがあり得る。ビットの０ではない組合せが、ＢＳＳＩＤを示すために使用され得る。別の構成では、受信機アドレスフィールドはＢＳＳＩＤを含むことがあり、受信機アドレスの中の残りのビット（left over bits）および／またはＣＴＳメッセージの中の他のビットが受信機を特定するために使用されることがある。たとえば、ＡＰは、ワイヤレスデバイスが意図するＣＴＳメッセージの受信者を特定するために、ＲＴＳメッセージ中のスクランブリングシードと同じ、ＣＴＳメッセージ中のスクランブリングシードを選択し得る。代替的には、ワイヤレスデバイスの受信機アドレスを受信機アドレスフィールドに入れる（putting）代わりに、受信機アドレスは異なるフィールドに入れられることがある。別の態様では、ＡＰは、ワイヤレスデバイスの媒体アクセス制御（ＭＡＣ）識別子のハッシュされたバージョンを使用することによって、ワイヤレスデバイスを特定するために他の予備ビットを使用し得る。別の態様では、第２のＣＴＳタイプのＣＴＳメッセージの中の受信機アドレスフィールドまたは任意の他のフィールドが、応答されるべきノードのＭＡＣアドレス（たとえば、元の受信機アドレス）を部分的に搬送するように修正され得る。この態様では、受信機アドレスは、より少数のビットへと圧縮され得る。第２のＣＴＳタイプのＣＴＳメッセージの中の受信機アドレスフィールドまたは任意の他のフィールドはまた、デバイスタイプインジケータ（たとえば、特殊ビット文字列）またはＢＳＳ識別子と関連付けられる情報（たとえば、より少数のビットを有する色ビットまたは圧縮されたＢＳＳＩＤ）を搬送するように修正され得る。第２のＣＴＳタイプのＣＴＳメッセージの中の様々なフィールドは、次の：送信機アドレス、受信機アドレス、ＢＳＳ  ＩＤ、ネットワーク割振りベクトル、デバイスタイプインジケータ、色ビット、選択されるＭＣＳ、バッファリングされるデータの量（データ全体、アクセスカテゴリごとのデータ、および／またはセッションごとのデータ）、必要とされるリソース（たとえば、ＴＸＯＰ、帯域幅）、非延期のために必要とされるＲＳＳＩレベル、固執すべき（adhere to）ワイヤレスデバイスを再使用するための必要とされる干渉レベル、および／または、任意の性能関連の尺度（metrics）（たとえば、ＰＥＲ、レイテンシ、スループット（全体、アクセスカテゴリごと、および／またはセッションごと））、のうちの１つまたは複数の少なくとも一部も含み得る。
【０１１４】
[00137]第２のＲＴＳタイプの、および第２のＣＴＳタイプのＲＴＳ／ＣＴＳメッセージを利用する代わりに、第３のＲＴＳタイプおよび第３のＣＴＳタイプのＲＴＳ／ＣＴＳメッセージが使用され得る。第３のＲＴＳ／ＣＴＳタイプは、ＩＥＥＥ  ８０２．１１ａｘ規格に適合する新しいＲＴＳ／ＣＴＳタイプを表し得る。第３のＲＴＳタイプと第３のＣＴＳタイプとを定義するための複数の選択肢が存在する。
【０１１５】
[00138]第３のＲＴＳタイプに関して、１つの構成は、第３のＲＴＳタイプを制御フレームフォーマットに基づくものにする（to base）が、送信機アドレスフィールド、受信機アドレスフィールド、ネットワーク割振りベクトル、およびＢＳＳ情報を示すための色フィールドなどの追加のフィールドを加えることである。この構成では、１つの使用されていない拡張制御フレームサブタイプが、フレームがＩＥＥＥ  ８０２．１１ａｘ規格に適合する第３のＲＴＳタイプであることを示すために使用され得る。別の構成では、第３のＲＴＳタイプは管理フレームフォーマットに基づき得る。この構成では、ＭＡＣヘッダは、送信機アドレスフィールドと、受信機アドレスフィールドと、ネットワーク割振りベクトルと、ＢＳＳＩＤフィールドとを含み得る。この構成では、１つの使用されていない予備管理フレームサブタイプが、フレームが色付きのＲＴＳフレームであることを示すために使用され得る。別の構成では、第３のＲＴＳタイプはヌルデータフレームフォーマットに基づき得る。この構成では、ＭＡＣヘッダは、送信機アドレスフィールドと、受信機アドレスフィールドと、ネットワーク割振りベクトルとを含み得る。色および色付きの（Color and colored）ＲＴＳ指示は、アドレス３フィールド、アドレス４フィールド、および／またはシーケンス制御フィールドを再使用し得る。たとえば、フレームが色付きのＲＴＳであることを示すために予備ＭＡＣアドレスとしてアドレス３フィールドが設定され得る一方で、シーケンス制御フィールドが色を搬送する。第３のＲＴＳタイプのＲＴＳは、８０２．１１ａまたは８０２．１１ａｃを含むＩＥＥＥ  ８０２．１１規格に適合する任意の物理層プリアンブルとともに送信され得る。
【０１１６】
[00139]同様に、第３のＣＴＳタイプに関して、１つの構成は、第３のＣＴＳタイプを制御フレームフォーマットに基づくものにするが、送信機アドレスフィールド、受信機アドレスフィールド、ネットワーク割振りベクトル、およびＢＳＳ情報を示すための色フィールドなどの追加のフィールドを加えることである。この構成では、１つの使用されていない拡張制御フレームサブタイプが、フレームがＩＥＥＥ  ８０２．１１ａｘ規格に適合する第３のＣＴＳタイプであることを示すために使用され得る。別の構成では、第３のＣＴＳタイプは管理フレームフォーマットに基づき得る。この構成では、ＭＡＣヘッダは、送信機アドレスフィールドと、受信機アドレスフィールドと、ネットワーク割振りベクトルと、ＢＳＳＩＤフィールドとを含み得る。この構成では、１つの使用されていない予備管理フレームサブタイプが、フレームが色付きのＣＴＳフレームであることを示すために使用され得る。別の構成では、第３のＣＴＳタイプはヌルデータフレームフォーマットに基づき得る。この構成では、ＭＡＣヘッダは、送信機アドレスフィールドと、受信機アドレスフィールドと、ネットワーク割振りベクトルとを含み得る。色の指示および色付きのＣＴＳであることの指示は、アドレス３フィールド、アドレス４フィールド、および／またはシーケンス制御フィールドを再使用し得る。たとえば、フレームが色付きのＣＴＳであることを示すために予備ＭＡＣアドレスとしてアドレス３フィールドが設定され得る一方で、シーケンス制御フィールドが色を搬送する。第３のＣＴＳタイプのＣＴＳは、ＩＥＥＥ  ８０２．１１規格（たとえば、ＩＥＥＥ  ８０２．１１ａｄ  ＣＴＳ）に適合する任意の物理層プリアンブルとともに送信され得る。
【０１１７】
[00140]代替的には、第３のＲＴＳ／ＣＴＳタイプを制御フレーム、管理フレーム、またはヌルフレームに基づくものにする代わりに、ＲＴＳおよびＣＴＳフレームは、図５Ａおよび図５Ｂに示されるように再設計され得る。図５Ａは第３のＲＴＳタイプの例示的な図５００を示し、図５Ｂは第３のＣＴＳタイプの例示的な図５５０を示す。図５Ａを参照すると、ＢＳＳ色フィールドはプリアンブルの中にあり得る。ＭＡＣ部分は、送信機アドレスフィールドと、受信機アドレスフィールドと、ネットワーク割振りベクトルとを含む、ＲＴＳコンテンツを搬送し得る。第２のデバイスタイプのワイヤレスデバイス（たとえば、レガシーノード）は、レガシーのプリアンブルの後のフレーム部分を復号しないことがある。より一般的には、色、送信機アドレス、受信機アドレス、ネットワーク割振りベクトルの各々が、１１ａｘプリアンブルとＭＡＣ部分のいずれかの中にあり得る。同様の特徴が、図５Ｂにショー（show）するように第３のＣＴＳフレームタイプに関して当てはまる。
【０１１８】
[00141]第３のＲＴＳタイプは、次の：送信機アドレス、受信機アドレス、ＢＳＳＩＤ、ネットワーク割振りベクトル、新しいフレームタイプ／サブタイプの識別子、色ビット、データおよび／もしくはＡＣＫのための選択されるＭＣＳ，バッファリングされるデータの量（ＴＩＤごと、アクセスカテゴリごと）、必要とされるリソース（たとえば、ＴＸＯＰ、帯域幅）、別のワイヤレスデバイスが従うＲＳＳＩレベルを超える（above）ＲＴＳをその別のワイヤレスデバイスが受信する場合のそのＲＳＳＩレベル、延期が必須であるかどうかの指示、干渉が下回らなければならないレベル／閾値、任意の性能関連の尺度（たとえば、ＰＥＲ、レイテンシ、スループット（全体、アクセスカテゴリごと、および／またはセッションごと））、またはＲＴＳを送信するために使用される送信電力、のうちの１つまたは複数を含み得る。第３のＣＴＳタイプは、次の：送信機アドレス、受信機アドレス、ＢＳＳＩＤ、ネットワーク割振りベクトル、新しいフレームタイプ／サブタイプ、色ビット、データおよび／もしくはＡＣＫのための選択されるＭＣＳ，送信されるべきデータ（量、アクセスカテゴリ）、必要とされるリソース（たとえば、ＴＸＯＰ、帯域幅）、以前のＲＴＳのＲＳＳＩ，別のデバイスが従うＲＳＳＩレベルを超えるＣＴＳをその別のデバイスが受信する場合のそのＲＳＳＩレベル、延期が必須であるかどうかの指示、干渉が下回らなければならないレベル／閾値、任意の性能関連の尺度（たとえば、ＰＥＲ、レイテンシ、スループット（全体、アクセスカテゴリごと、および／またはセッションごと））、またはＣＴＳを送信するために使用される送信電力、のうちの１つまたは複数を含み得る。
【０１１９】
[00142]第１の、第２の、または第３のＲＴＳ／ＣＴＳタイプは、いくつかの方法で動的感度制御（ＤＳＣ：dynamic sensitivity control）とともに使用され得る。一例では、ＤＳＣはエネルギー検出（ＥＤ）／プリアンブル検出（ＰＤ）レベルに対する下限（lower limit）とともに使用されることがあり、ＲＴＳ／ＣＴＳタイプは隠れ端末をなくすために使用され得る。ＤＳＣは通常、より低いＥＤ／ＰＤレベルを与えるが、そのようなレベルはあるレベルを下回ることを制限され得る（may be capped from going lower than a certain level）。これは通常、隠れ端末を生じさせるが、ＲＴＳ／ＣＴＳが使用されれば、隠れ端末問題は解決され得る。ワイヤレスデバイスは、ワイヤレスデバイスがＯＢＳＳパケットをドロップし得るかどうかを決定するために、ＤＳＣ閾値と色とを使用し得る。他のＳＴＡから遠く離れている可能性があり（may be）ＤＳＣ閾値を使用して隠れ端末から保護されない可能性がある一部のＳＴＡは、ＲＴＳ／ＣＴＳを送信する必要があり得る。別の例では、ＲＴＳ／ＣＴＳは、ＳＴＡごとである閾値とともに使用されることが可能であり、そうすると、閾値はＤＳＣアルゴリズムによって提案される通りに（along the same lines as）計算され得る。
【０１２０】
[00143]図６は、ＢＳＳ再使用の制御の目的で通信延期ポリシーを決定するための例示的な方法の図６００を示す。図６を参照すると、ＢＳＳ１は、第１のＢＳＳ６０４の中の第１のＳＴＡ６１０にサービスする第１のＡＰ６０２を含む。ＢＳＳ２は、第２のＢＳＳ６０８の中の第２のＳＴＡ６１２にサービスする第２のＡＰ６０６を含む。第１のＳＴＡ６１０は、第２のＳＴＡ６１２によって受信されるメッセージ６１４（またはフレーム）を送信する。ある態様では、第２のＳＴＡ６１２は、受信されたメッセージ６１４のＲＳＳＩを測定し得る。別の態様では、第２のＳＴＡ６１２は、第２のＡＰ６０６から構成メッセージ６１６を受信し得る。構成メッセージ６１６は、ＢＳＳ中送信および／またはＯＢＳＳ送信にいつ従うかを第２のＳＴＡ６１２に命令する、通信延期ポリシーを含み得る。別の態様では、第２のＳＴＡ６１２は、通信延期ポリシーを用いて事前に構成され得る。以下の議論は、ＢＳＳ再使用の制御のいくつかのケースを示す。各ケースの議論は以下の分類に基づく。
【０１２１】
[00144]分類
[00145]１１ａｘ送信機は、修正されたレガシーの１１ａ／１１ａｃメッセージ（たとえば、第２および第３のＲＴＳ／ＣＴＳタイプ）を含む１１ａｘノードからのものとして特定されることが可能である、８０２．１１ａｘメッセージを送信し得る。１１ａｘメッセージは、ＢＳＳ色またはＢＳＳＩＤを搬送すると想定される。
【０１２２】
[00146]１１ａｘ受信機は、１１ａｘまたはレガシーであり得るＯＢＳＳメッセージをドロップすることを１１ａｘ受信機に許可する、構成可能な規則を有し得る。
【０１２３】
[00147]レガシー送信機は、１１ａｘノードからのものとして特定されることが可能ではないレガシーの１１ａ／１１ａｃメッセージ（たとえば、第１のＲＴＳ／ＣＴＳタイプ）を送信し得る。
【０１２４】
[00148]レガシー受信機は、そのネットワーク割振りベクトルがレガシーデバイスにより理解可能であるすべてのメッセージに対する固定されたレガシーの規則デファー（fixed legacy rules defer）を有し得る。
【０１２５】
[00149]ケース１：ＢＳＳ１の中の１１ａｘ  Ｔｘｅｒ、ＢＳＳ２の中の１１ａｘ  Ｒｘｅｒ
[00150]ケース１において、ＢＳＳ１の中の第１のＳＴＡ６１０は１１ａｘ送信機であり、第２のＳＴＡ６１２  ＢＳＳ２は１１ａｘ受信機である。メッセージのドロップの決定（たとえば、再使用するという決定）は、ＢＳＳ１だけによって、ＢＳＳ２だけによって、またはこれらの両方によって行われ得る。ＢＳＳがある決定を行うとき、決定を行うのはＡＰであることがあり、それが決定／構成をＳＴＡのすべてまたはサブセットに送信し得る。
【０１２６】
[00151]ケース１−選択肢１：ＢＳＳ１が決定する
[00152]一態様では、ＢＳＳ１は、ＢＳＳ１の中のデバイスからのメッセージをドロップすることをＢＳＳ２の中のデバイスに許可すると決定する。第１のＡＰ６０２は、ＯＢＳＳの再使用を許可すること、ＯＢＳＳの再使用を許可しないこと、もしくは以前に言及された追加の条件のもとで（but with）ＯＢＳＳの再使用を許可することを決定し、または第１のＳＴＡ６１０に決定を委ね（leave）得る。たとえば、第１のＡＰ６０２は、ＢＳＳ１の中の大半のＳＴＡが低い（poor）性能を報告する場合、ＢＳＳ２の中のデバイスがＢＳＳ１パケットからのパケットをドロップするのを禁じ得る。この態様では、再使用が起こり得るかどうかを送信機が決定する。ある態様では、第１のＡＰ６０２は、ＯＢＳＳの再使用を許可することをすべてのＳＴＡに伝え、ＯＢＳＳの再使用を許可しないことをすべてのＳＴＡに伝え（tell）、または、ＯＢＳＳの再使用を許可することを一部のＳＴＡに伝え得る。ＢＳＳ１のすべてのＳＴＡ内のＳＴＡのあるグループが、それらが第１のＡＰ６０２に近い（たとえば、閾値より大きな第１のＡＰ６０２からのＲＳＳＩを有する）場合、ＯＢＳＳの再使用を許可するために選ばれ得る。また、第１のＡＰ６０２は、ＯＢＳＳの再使用を許可するかどうかをＳＴＡ（たとえば、第１のＳＴＡ６１０）が決定することを許可し得る。第１のＡＰ６０２は、ＯＢＳＳの再使用を許可するかどうかをどのように決定するかについての情報を第１のＳＴＡ６１０に与え得る。第１のＡＰ６０２はＢＳＳ１と関連付けられる送信に加えてＯＢＳＳの再使用を許可することがあり、それは、第１のＡＰ６０２にはそのようにする動機（incentives）があり得るからである。たとえば、第１のＡＰ６０２は、第１のＡＰ６０２がＢＳＳ１からのパケットに加えて送信することをＢＳＳ２デバイスに許可する場合、より長いＴＸＯＰおよび／またはより良好なＥＤＣＡパラメータ（たとえば、より小さいＣＷＭｉｎ、これは媒体を確保するためのより短い最小コンテンションウィンドウ待機時間に対応する）を許可され得る。第１のＡＰ６０２は、ＢＳＳ１とＢＳＳ２との間の実効的なＢＳＳ距離を決定することによって、他のＯＢＳＳ（たとえば、ＢＳＳ２）が再使用し得るかどうかを、決定し得る。実効的なＢＳＳ距離が閾値を超える場合、第１のＡＰ６０２は再使用を許可し得る。実効的なＢＳＳ距離は、第１のＡＰ６０２と第２のＡＰ６０６との間の距離と、関連するサービングＡＰまでのＢＳＳ内の各ＳＴＡの距離との関数で（a function of）あり得る。ＡＰとＡＰとの距離が長いほど（larger）、実効的なＢＳＳ距離は長くなる。また、ＳＴＡがサービングＡＰから遠い場合、実効的なＢＳＳ距離はより短くなる。
【０１２７】
[00153]前述のことに基づいて、第１のＡＰ６０２は、ＢＳＳ１内のＳＴＡのグループに対する通信延期ポリシーを決定し得る。第１のＡＰ６０２は、ＳＴＡのグループ（ＢＳＳ１の中のすべてのＳＴＡまたは一部のＳＴＡ）に構成メッセージを送信することができ、構成メッセージは決定された通信ポリシーを示し得る。ある態様では、通信延期ポリシーは情報要素において送信され得る。構成メッセージは、ＯＢＳＳの再使用が許可されるかどうかを示すインジケータを含み得る。ＯＢＳＳの再使用が許可される（たとえば、ＯＢＳＳ送信に従わない）場合、構成メッセージは、ＯＢＳＳの再使用がいつ許可されるかについての追加の条件を含み得る。一態様では、条件は、メッセージが所与の閾値より低いＲＳＳＩにて受信されるときにＯＢＳＳの再使用が許可されることを示し得る。別の態様では、条件は、ＯＢＳＳの再使用によって引き起こされ得る最大の干渉レベルを示すことがあり、それよりも下でＯＢＳＳノードはＯＢＳＳの再使用を実行することができる。これらの条件／パラメータは、ＯＢＳＳの再使用が許可されるかどうかをＯＢＳＳノードが決定するために、ＲＴＳ／ＣＴＳメッセージに、またはデータパケットにさえも含まれることがある。ＳＴＡはさらに、引き起こされる干渉（たとえば、送信電力）をＯＢＳＳノードが推定するのを支援するための情報を含み得る。構成メッセージは、ＯＢＳＳの再使用を禁じる条件を含み得る。たとえば、条件は、ある尺度が悪い場合にＳＴＡがＯＢＳＳの再使用を禁止し得ることを示し得る。たとえば、ＳＴＡが閾値を下回るスループット、グッドプット（goodput）、もしくはエアタイム（air time）を有する場合、または、閾値を上回るパケットエラーレート（ＰＥＲ）／アクセスレイテンシを有する場合、ＳＴＡは、ＯＢＳＳデバイスがＳＴＡからのメッセージに加えて送信しないことを確実にすることを求められ得る。これらの条件は構成メッセージに含まれ得る。ある態様では、第１のＳＴＡ６１０がＯＢＳＳ再使用を許可するまたは許可しないは、フレームタイプまたはサブタイプの機能（a function of）であり得る。たとえば、長い応答を求める（soliciting）スケジューリングフレームは、ＯＢＳＳの再使用からより（better）保護されることが必要であり得る。第１のＡＰ６０２は、これらのタイプのＯＢＳＳの再使用を禁じ得る。ある態様では、通信延期ポリシーがＳＴＡのサブセットだけに適用される場合、構成メッセージは、どのＳＴＡが通信延期ポリシーを使用すべきかを示すグループ識別子／インジケータを含み得る。第１のＡＰ５０２がＯＢＳＳの再使用を許可しないことを決定する場合、ノードはＯＢＳＳの再使用を禁じるための以下の方法を有し得る。たとえば、ノードは、メッセージの中の予備の「延期」色（または予備ＢＳＳＩＤ）を使用することによって、ノードと関連付けられるフレームをＯＢＳＳノードが無視するのを禁じることができる。ＯＢＳＳノードは、ＯＢＳＳノードがメッセージの中で予備ＢＳＳＩＤ／色を特定すると、そのメッセージ／フレームに従うことを求められ得る。別の態様では、ノードは、ＢＳＳ識別子が存在しないまたは無効であることをメッセージにおいて示すことによって、ＯＢＳＳの再使用を禁じることができる。たとえば、色フィールドが存在しないまたは無効であることを示すために、メッセージの中の１ビットが使用され得る。そのようなビットが設定される場合、ＯＢＳＳノードはメッセージに従い得る。別の態様では、レガシーのフレームフォーマットを使用することによって、ノードはＯＢＳＳの再使用を禁じ得る。たとえば、１１ａｘデバイスが１１ａ／１１ａｃフレームに遭遇するときにデバイスに求められるように、修正されていないレガシーの１１ａ／１１ａｃフレームを使用し得る。
【０１２８】
[00154]ケース１−選択肢２：ＢＳＳ２が決定する
[00155]別の態様では、ＢＳＳ２は、そのＢＳＳの中のデバイスがＢＳＳ１の中のデバイスからのメッセージをドロップし得るかどうかを決定する。たとえば、第２のＳＴＡ６１２は、ＢＳＳ１における送信への潜在的な影響が小さい（たとえば、メッセージ６１４のＲＳＳＩが閾値より小さい）場合に、メッセージ６１４をドロップする。この態様では、再使用が起こり得るかどうかを受信機が決定する。第２のＡＰ６０６は、第２のＡＰ６０６と関連付けられるデバイスがドロップすべきか、ドロップすべきではないか、または、メッセージ６１４の中の条件を含み得る条件に基づいてドロップすべきかを、決定する。第２のＡＰ６０６は、ＢＳＳの中のすべてのＳＴＡ（たとえば、第２のＳＴＡ６１２）が、ある基準（たとえば、ＲＴＳメッセージのＲＳＳＩが第１の閾値未満である、および／またはＣＴＳメッセージのＲＳＳＩが第２の閾値未満である）に基づいて、すべてのＯＢＳＳ  １１ａｘパケットをドロップすることまたは一部のＯＢＳＳ  １１ａｘパケットをドロップすることを許可し得る。異なるＳＴＡに対しては異なる閾値が使用され得る。第２のＡＰ６０６は、すべてのＯＢＳＳパケットをドロップすることをＳＴＡのグループに許可すると決定し得る。ＳＴＡのグループは、第２のＡＰ６０６からのＲＳＳＩ、または第２のＡＰ６０６へのリンクに対してサポートされる平均のＭＣＳに基づいて選択され得る。第２のＡＰ６０６は、一部のＯＢＳＳパケットをドロップすることをＳＴＡのグループに許可すると決定し得る。ＳＴＡのグループは、第２のＡＰ６０６からのＲＳＳＩ、または第２のＡＰ６０６へのリンクに対してサポートされる平均のＭＣＳに基づいて選択され得る。ドロップされるべきＯＢＳＳパケットは、ＯＢＳＳパケットのタイプに基づき得る。前述の決定は通信延期ポリシーを決定するために使用されることがあり、第２のＡＰ６０６はその通信延期ポリシーを構成メッセージの中でＢＳＳ２の中の様々なＳＴＡに送信し得る。通信延期ポリシーは、構成メッセージの情報要素において送信され得る。構成メッセージは、ＯＢＳＳメッセージがドロップされ得るかどうかということと、ＯＢＳＳメッセージがドロップされ得る場合にはどの色がドロップを受け入れられるかということとを示す、インジケータを含み得る。構成メッセージは、デバイスがＲＳＳＩ閾値を下回るＯＢＳＳメッセージを受信する場合にデバイスがメッセージをドロップし得るような、ＲＳＳＩ閾値などのＯＢＳＳメッセージをＳＴＡがドロップするための条件、それ未満でＳＴＡがＯＢＳＳフレームをドロップできる最大の許容される干渉、および／または、メッセージがＲＳＳＩ閾値を下回ってＯＢＳＳデバイスにより受信される場合にメッセージがドロップされ得るようなＲＳＳＩ閾値を計算する方法を、含み得る。構成メッセージは、どのフレームタイプおよびサブタイプがドロップされ得るかを示し得る。構成メッセージは、構成メッセージが適用されるＳＴＡのグループと関連付けられるグループ識別子またはインジケータを示すことがあり、ＳＴＡのグループはたとえば、実効的なＢＳＳ距離に基づいて選択されることがある。ＡＰ６０６は、２つのＢＳＳの間の実効的なＢＳＳ距離が十分に長い���たとえば、距離の閾値を超える）場合に、ＢＳＳ１からのメッセージがＢＳＳ２の中のデバイスによってドロップされ得ると決定し得る。
【０１２９】
[00156]ケース１−選択肢３：ＢＳＳ２の決定はＢＳＳ１の決定に依存する
[00157]さらに別の態様では、ＢＳＳ２の決定はＢＳＳ１の決定に依存する。たとえば、第２のＡＰ６０６は、第１のＡＰ６０２がＢＳＳ２からのメッセージをドロップすると決定した場合、ＢＳＳ１からのメッセージをドロップすると決定し得る。第１のＡＰ６０２および第２のＡＰ６０６は、たとえば、それぞれのデバイスによって無視されるべきＯＢＳＳの色（またはＢＳＳＩＤ）をビーコンにおいてブロードキャストし得る。第１のＡＰ６０２と関連付けられる色を無視するＢＳＳ２の中のデバイスを第２のＡＰ６０６が有することを第１のＡＰ６０２が知っている場合、第１のＡＰ６０２は、第２のＡＰ６０６と関連付けられる色（またはＢＳＳＩＤ）をＢＳＳ１の中のデバイスに無視させ得る。第１のＡＰ６０２は、直接の復号を介して、またはＯＢＳＳ  ＡＰからのビーコンのＳＴＡ報告を介して、またはＯＢＳＳ  ＡＰとのバックホール通信を介して、どのＯＢＳＳ色がＯＢＳＳによって無視されているかを学習し得る。この態様では、両方のＢＳＳが共同で（jointly）、互いからのフレームをドロップすると決定し得る。代替的に、ＢＳＳ１とＢＳＳ２の両方が共同で、互いからの、またはすべての近隣のＢＳＳからのフレームをドロップすると決定し得る。第１のＡＰ６０２と第２のＡＰ６０６の両方が、直接の無線メッセージ、ＳＴＡの中継（relay）、またはバックホール通信を介してネゴシエートし得る。
【０１３０】
[00158]ケース２：ＢＳＳ１の中のレガシーのＴｘｅｒ、ＢＳＳ２の中の１１ａｘ  Ｒｘｅｒ
[00159]ケース２では、ＢＳＳ１がレガシー送信機であり、ＢＳＳ２が１１ａｘ受信機である。メッセージのドロップの決定（たとえば、再使用するという決定）は、ＢＳＳ２によって行われ得る。ＢＳＳがある決定を行うとき、決定を行うのはＡＰであることがあり、そのＡＰが決定／構成をＳＴＡのすべてまたはサブセットに送信し得る。ケース２では、レガシー送信機が修正されていないレガシーフレームを送信し、それは、ＢＳＳＩＤ（たとえば、１１ａ  ＲＴＳにおける受信機アドレスフィールドからのＢＳＳＩＤ、１１ａｃデータフレームまたはＢＳＳＩＤを有する１１ａ  ＲＴＳに従う１１ａ  ＣＴＳにおけるＰＡＩＤ）を搬送し得る。ＢＳＳ２の再使用の決定は、ＢＳＳＩＤがレガシーフレームから特定され得るかどうかに基づき得る。ＢＳＳＩＤが特定され得ない場合、この決定は再使用しない（または再使用する）というものであり得る。そうではなく、ＢＳＳＩＤがＯＢＳＳである場合、この決定は、ＢＳＳ固有（specific）であることがあり、またはすべてのＯＢＳＳに対して共通であることがある。ＢＳＳＩＤもＢＳＳ２である場合、決定は再使用しないというものであり得る。ＢＳＳ２の中で、第２のＡＰ６０６は再使用を決定し得る。代替的に、第２のＳＴＡ６１２は、ＡＰにより構成された基準を用いて再使用を決定し得る。両方のケースで、第２のＡＰ６０６は、再使用の決定／基準を伝えるために、再使用／構成メッセージをＳＴＡに送信し得る。
【０１３１】
[00160]ケース３：ＢＳＳ１の中の１１ａｘ  Ｔｘｅｒ、ＢＳＳ２の中のレガシーＲｘｅｒ
[00161]ケース３では、ＢＳＳ１が１１ａｘ送信機であり、ＢＳＳ２がレガシー受信機である。メッセージのドロップの決定（たとえば、再使用するという決定）は、ＢＳＳ１によって行われ得る。ＢＳＳがある決定を行うとき、決定を行うのはＡＰであることがあり、そのＡＰが決定／構成をＳＴＡのすべてまたはサブセットに送信し得る。このケースでは、１１ａｘ送信機は、暗黙的な色を有するレガシーフレームを修正するを含む、１１ａｘにおいて定義される色を有するフレーム／メッセージを送信する。ＢＳＳ１は、ＢＳＳ２の中のレガシー受信機が延期すべきかすべきではないかを決定する。ＢＳＳ２が延期すべきである場合、ＢＳＳ１の中の１１ａｘ送信機は、暗黙的な色を有する修正されたレガシーフレームを送信すべきである。それ以外の場合、１１ａｘフレームはネットワーク割振りベクトルとともに送信されるべきであるは、レガシーノードによって復号可能ではないそれである。ＢＳＳ１の中の第１のＡＰ６０２は、第１のＡＰ６０２と関連付けられるＳＴＡに構成メッセージを送信する。
【０１３２】
[00162]上で示されたように、ＡＰは通信延期ポリシーを決定することができ、これは情報要素内で送信され得る。図１３は、通信延期ポリシーを示すための情報要素の例示的な図１３００を示す。図１３００はいくつかのフィールドまたはフラグを含むが、情報要素は任意の数のフィールドまたはフラグを含み得る。図１３を参照すると、第１のフィールド１３１０は、（たとえば、１に設定されるときにＯＢＳＳのドロップが許可され、０に設定されるときにＯＢＳＳのドロップが許可されない）、ＯＢＳＳのドロップ（延期ではない）が許可されるかどうかを示す、フラグまたはビットインジケータであり得る。第２のフィールド１３２０は、ＯＢＳＳのドロップのための１つまたは複数の条件を含み得る。たとえば、ＯＢＳＳのドロップが許可される場合、ＡＰは、受信されるメッセージのＲＳＳＩがＲＳＳＩ閾値を下回る場合にＯＢＳＳメッセージをドロップすること（延期することではない）が許可されるなどの、追加の条件を規定し（specify）得る。別の例では、第２のフィールド１３２０は、それ未満で（below which）デバイスがＯＢＳＳメッセージをドロップできる、最大の許容される干渉を示し得る。情報要素を受信すると、ＳＴＡは、ＲＴＳ、ＣＴＳ、またはデータフレームにそのような条件を含め得る。第３のフィールド１３３０は、ある尺度が悪い場合にＳＴＡがＯＢＳＳのドロップを禁止し得るかどうかを示す、フラグまたはビットインジケータを含み得る。たとえば、ＳＴＡのスループットもしくはエアタイムが閾値より小さい場合、またはパケットエラーレートもしくはアクセスレイテンシが閾値より大きい場合。ある態様では、そのような閾値は、（たとえば、情報要素の中のサブフィールド内で）ＡＰによって送信され得る。第４のフィールド１３４０は、ＲＴＳ、ＣＴＳ、またはデータフレームなどの、どのフレームタイプにＯＢＳＳのドロップが適用されるかを示し得る。第５のフィールド１３５０は、情報要素がブロードキャストされる場合にＳＴＡのどのグループにどの情報要素が適用されるかを規定するグループインジケータであり得る。
【０１３３】
[00163]図７は、図１のワイヤレス通信システム１００の中および外で通信を延期するかどうかを決定し得るワイヤレスデバイス７０２の例示的な機能ブロック図を示す。ワイヤレスデバイス７０２は、本明細書で説明される様々な方法を実施するように構成され得るデバイスの例である。たとえば、ワイヤレスデバイス７０２は、ＳＴＡ１１２、１１４、１１６、１１８、またはＡＰ１０４のうちの１つを備え得る。
【０１３４】
[00164]ワイヤレスデバイス７０２は、ワイヤレスデバイス７０２の動作を制御するプロセッサ７０４を含み得る。プロセッサ７０４は中央処理ユニット（ＣＰＵ）と呼ばれることもある。読取り専用メモリ（ＲＯＭ）とランダムアクセスメモリ（ＲＡＭ）の両方を含み得るメモリ７０６は、命令とデータとをプロセッサ７０４に提供し得る。メモリ７０６の一部分は、不揮発性ランダムアクセスメモリ（ＮＶＲＡＭ）も含み得る。プロセッサ７０４は、通常、メモリ７０６に記憶されたプログラム命令に基づいて論理演算と算術演算とを実行する。メモリ７０６の中の命令は、本明細書で説明される方法を実施するように（たとえば、プロセッサ７０４によって）実行可能であり得る。
【０１３５】
[00165]プロセッサ７０４は、１つまたは複数のプロセッサを用いて実装される処理システムの構成要素を備えることがあるか、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェアの有限状態機械、または情報の計算もしくは他の操作を実行することができる任意の他の適切なエンティティの、任意の組合せを用いて実装され得る。
【０１３６】
[00166]処理システムは、ソフトウェアを記憶するための機械可読媒体も含み得る。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコードフォーマット、バイナリコードフォーマット、実行可能コードフォーマット、またはコードの任意の他の適切なフォーマットの）コードを含み得る。命令は、１つまたは複数のプロセッサによって実行されると、本明細書で説明される様々な機能を処理システムに実行させる。
【０１３７】
[00167]ワイヤレスデバイス７０２はまた、ハウジング７０８を含むことがあり、ワイヤレスデバイス７０２は、ワイヤレスデバイス７０２とリモートデバイスとの間でのデータの送信と受信とを可能にするための送信機７１０および／または受信機７１２を含み得る。送信機７１０および受信機７１２はトランシーバ７１４へと組み合わされ得る。アンテナ７１６は、ハウジング７０８に取り付けられ、トランシーバ７１４に電気的に結合され得る。ワイヤレスデバイス７０２は、複数の送信機、複数の受信機、複数のトランシーバ、および／または複数のアンテナも含み得る。
【０１３８】
[00168]ワイヤレスデバイス７０２は、トランシーバ７１４または受信機７１２によって受信された信号のレベルを検出および定量化するために使用され得る信号検出器７１８も含み得る。信号検出器７１８は、そのような信号を、総エネルギー、シンボルごとのサブキャリア当たりのエネルギー、電力スペクトル密度、および他の信号として検出し得る。ワイヤレスデバイス７０２は、信号を処理する際に使用するためのデジタル信号プロセッサ（ＤＳＰ）７２０も含み得る。ＤＳＰ７２０は、送信のためのパケットを生成するように構成され得る。いくつかの態様では、パケットは、物理レイヤコンバージェンスプロシージャ（ＰＬＣＰ）プロトコルデータユニット（ＰＰＤＵ）を備え得る。
【０１３９】
[00169]ワイヤレスデバイス７０２は、いくつかの態様ではユーザインターフェース７２２をさらに備え得る。ユーザインターフェース７２２は、キーパッド、マイクロフォン、スピーカー、および／またはディスプレイを備え得る。ユーザインターフェース７２２は、ワイヤレスデバイス７０２のユーザに情報を伝え、および／またはそのユーザから入力を受け取る、任意の要素またはコンポーネントを含み得る。
【０１４０】
[00170]ワイヤレスデバイス７０２がＳＴＡ（たとえば、ＳＴＡ１１４）またはＡＰ（たとえば、ＡＰ１０４）として実装されるとき、ワイヤレスデバイス７０２は、通信延期構成要素７２４も備え得る。通信延期構成要素７２４は、本明細書で説明される機能のうちの１つまたは複数を実行するように構成され得る。通信延期構成要素７２４は、ワイヤレスデバイス７０２と関連付けられるＢＳＳ内での通信延期ポリシーを決定するように構成され得る。通信延期構成要素７２４は、第２のワイヤレスデバイスからメッセージを受信するように構成され得る。通信延期構成要素７２４は、メッセージのメッセージタイプを決定するように構成され得る。通信延期構成要素７２４は、決定されたメッセージタイプに基づいて、メッセージがＯＢＳＳと関連付けられるかどうかを決定するように構成され得る。通信延期構成要素７２４は、通信延期ポリシー、メッセージタイプ、およびメッセージがＯＢＳＳと関連付けられるかどうかに基づいて、通信を延期するかどうかを決定するように構成され得る。一構成では、通信延期構成要素７２４は構成メッセージを受信するように構成されることがあり、ここで構成メッセージは通信延期ポリシーを含み得る。通信延期ポリシーは、構成メッセージに基づいて決定され得る。ある態様では、通信延期ポリシーは、第２のワイヤレスデバイスのデバイスタイプ、第２のワイヤレスデバイスから受信されるメッセージの受信信号強度、および／または第２のワイヤレスデバイスからのメッセージに含まれる情報のうちの１つまたは複数に基づいて、延期するかどうかをワイヤレスデバイス７０２に命令し得る。別の態様では、メッセージに含まれる情報は、第２のワイヤレスデバイスからのメッセージの意図される受信機における許容される干渉レベル、第２のワイヤレスデバイスにおける許容される干渉レベル、メッセージを送信するために使用される送信電力、第２のワイヤレスデバイスによって送信もしくは受信されるべきデータのＭＣＳ、非延期が許可されるかどうかの指示、および／または、延期するかどうかを決定するために使用すべきワイヤレスデバイス７０２に対する閾値のセットを含み得る。別の態様では、通信延期ポリシーは、メッセージがＢＳＳと関連付けられるときに通信を延期するようにワイヤレスデバイス７０２に命令し得る。別の態様では、通信延期ポリシーはさらに、メッセージがＯＢＳＳと関連付けられるかどうか、第２のワイヤレスデバイスが第１のデバイスタイプであるか第２のデバイスタイプであるか、メッセージの受信信号強度が第１の閾値未満であるかどうか、メッセージがＲＴＳメッセージである場合にメッセージの受信信号強度がＲＴＳ閾値未満であるかどうか、メッセージがＣＴＳメッセージである場合にメッセージの受信信号強度がＣＴＳ閾値未満であるかどうか、メッセージの受信信号強度がワイヤレスデバイス７０２と関連付けられる第２の閾値未満であるかどうか、および／または、メッセージに含まれる非延期の条件のセットが満たされるかどうかのうちの少なくとも１つに基づいて、通信を延期しないようにワイヤレスデバイス７０２に命令し得る。別の態様では、通信延期ポリシーは、メッセージがＯＢＳＳと関連付けられ��場合に通信を延期しないようにワイヤレスデバイス７０２に命令し得る。別の態様では、通信延期ポリシーは、メッセージがＯＢＳＳと関連付けられ、メッセージの受信信号強度が第１の閾値未満である場合に、通信を延期しないようにワイヤレスデバイス７０２に命令し得る。別の態様では、通信延期ポリシーは、第２のワイヤレスデバイスが第１のデバイスタイプであり、メッセージがＯＢＳＳと関連付けられる場合に、通信を延期しないようにワイヤレスデバイス７０２に命令し得る。別の態様では、通信延期ポリシーは、第２のワイヤレスデバイスのデバイスタイプおよびメッセージのメッセージタイプに基づいて、通信を延期しないようにワイヤレスデバイス７０２に命令し得る。別の態様では、通信延期ポリシーは、条件のセットに基づいて、ＯＢＳＳの再使用を許可するかどうかをワイヤレスデバイス７０２に命令し得る。別の態様では、条件のセットは、ワイヤレスデバイス７０２がサービングＡＰから距離の閾値未満にある場合に、ワイヤレスデバイス７０２がＯＢＳＳの再使用を許可されることを示し得る。別の態様では、条件のセットは、ワイヤレスデバイス７０２がサービングＡＰから距離の閾値未満にある場合、ＯＢＳＳの再使用が原因の第２のワイヤレスデバイスへの干渉レベルが第１の干渉レベル未満である場合、または、ＯＢＳＳの再使用が原因のメッセージの意図される受信者への干渉レベルが第２の干渉レベル未満である場合に、ワイヤレスデバイス７０２がＯＢＳＳの再使用を許可されることを示し得る。別の構成では、通信延期構成要素７２４は、メッセージの中のＢＳＳ識別子に基づいて、メッセージがＯＢＳＳイズ（is）と関連付けられるかどうかを決定するように構成され得る。別の構成では、通信延期構成要素７２４は、メッセージがＲＴＳメッセージであるか、ＣＴＳメッセージであるか、またはデータパケットであるかを決定することによって、メッセージタイプを決定するように構成され得る。別の構成では、通信延期構成要素７２４は、メッセージがＲＴＳメッセージであるときにメッセージが第１のＲＴＳタイプであるか、第２のＲＴＳタイプであるか、もしくは第３のＲＴＳタイプであるかを決定すること、および／または、メッセージがＣＴＳメッセージであるときにメッセージが第１のＣＴＳタイプであるか、第２のＲＴＳタイプであるか、もしくは第３のＣＴＳタイプであるかを決定することによって、のうちの少なくとも１つを実行することによって、メッセージタイプを決定するように構成され得る。別の態様では、第１のＲＴＳタイプは、受信機アドレスフィールドまたは送信機アドレスフィールドの中にＢＳＳ識別子を含み得る。別の態様では、第２のＲＴＳタイプは、受信機アドレスフィールドまたは送信機アドレスフィールドの中にＢＳＳ識別子を含み、受信機アドレスフィールド、送信機アドレスフィールド、スクランブリングシードフィールド、信号フィールド、サービスフィールド、またはフレーム制御フィールドのうちの１つまたは複数に、デバイスタイプインジケータを含み得る。別の態様では、第３のＲＴＳタイプは、ＢＳＳ識別子フィールドとデバイスタイプインジケータのうちの少なくとも１つを含むことがあり、さらに、非延期が許可されるかどうかをワイヤレスデバイス７０２が決定することを可能にするＲＳＳＩ閾値、非延期が許可されるかどうかを決定するための第２のワイヤレスデバイスまたはメッセージの意図される受信機における許容される干渉レベル、第２のワイヤレスデバイスにより送信または受信されるべきデータのＭＣＳ、性能要件のセット、または、複数のトラフィック識別子もしくはアクセスクラスと関連付けられるバッファステータスについての情報、を含むことがある。別の態様では、第１のＣＴＳタイプは、ワイヤレスデバイス７０２が局である場合、受信機アドレスフィールドの中にＢＳＳ識別子を含み得る。この態様では、第２のＲＴＳタイプは、受信機アドレスフィールド、スクランブリングシードフィールド、信号フィールド、サービスフィールド、またはフレーム制御フィールドのうちの１つまたは複数に、ＢＳＳ識別子またはデバイスタイプインジケータのうちの少なくとも１つを含み得る。別の態様では、第３のＣＴＳタイプは、ＢＳＳ識別子フィールドとデバイスタイプインジケータのうちの少なくとも１つを含み得る。この態様では、第３のＣＴＳタイプはさらに、非延期が許可されるかどうかをワイヤレスデバイス７０２が決定することを可能にするＲＳＳＩ閾値、非延期が許可されるかどうかを決定するための第２のワイヤレスデバイスまたはメッセージの意図される受信機における許容される干渉レベル、第２のワイヤレスデバイスにより送信もしくは受信されるべきデータのＭＣＳ、および／または性能要件のセットを含み得る。別の構成では、通信延期構成要素７２４は、メッセージに含まれるデバイスタイプインジケータに基づいて、第２のワイヤレスデバイスが第１のデバイスタイプであるか第２のデバイスタイプであるかを決定するように構成され得る。通信を延期するかどうかの決定はさらに、第２のワイヤレスデバイスが第１のデバイスタイプであるか第２のデバイスタイプであるかに基づき得る。別の構成では、通信延期構成要素７２４は、通信を延期するようにＢＳＳと関連付けられるワイヤレスデバイスに命令するために静穏間隔を送信し、第１のデバイスタイプのワイヤレスデバイスにより復号可能な静穏成分打消しを送信するように構成され得る。別の構成では、通信延期構成要素７２４は、ＣＴＳメッセージのみを考慮するネットワーク割振りベクトルとともにＲＴＳメッセージを送信するように、第２のデバイスタイプのワイヤレスデバイスにより復号可能ではないＲＴＳメッセージもしくはＣＴＳメッセージを送信するように、または、電力の閾値を下回る送信電力で、もしくはレート閾値を上回る送信レートで、ＲＴＳメッセージもしくはＣＴＳメッセージを送信するように構成され得る。別の構成では、通信延期構成要素７２４は、第２のメッセージを送信するように構成され得る。第２のメッセージは、予備のＢＳＳ識別子を示すことによってＯＢＳＳの再使用が許可されないことを示し得、ここで、予備のＢＳＳ識別子は、ＯＢＳＳの再使用が許可されないことを示し、ＯＢＳＳの再使用を許可しないためにＢＳＳ識別子が存在しない、または無効であることを示し得、第２のメッセージが第１のＲＴＳタイプまたは第１のＣＴＳタイプであることを示し得る。
【０１４１】
[00171]ワイヤレスデバイス７０２の様々な構成要素は、バスシステム７２６によって互いに結合され得る。バスシステム７２６は、たとえば、データバスを含むことがあり、ならびに、データバスに加えて、電力バスと、制御信号バスと、ステータス信号バスとを含むことがある。ワイヤレスデバイス７０２の構成要素は、何らかの他の機構を使用して、互いに結合され、または、互いに対する入力を受け入れ、もしくは与え得る。
【０１４２】
[00172]図７にはいくつかの別個の構成要素が示されているが、これらの構成要素のうちの１つまたは複数は、組み合わされるか、または共通に実装され得る。たとえば、プロセッサ７０４は、プロセッサ７０４に関して上で説明された機能を実装するためだけでなく、信号検出器７１８、ＤＳＰ７２０、ユーザインターフェース７２２、および／または通信延期構成要素７２４に関して上で説明された機能を実装するためにも使用され得る。さらに、図７に示される構成要素の各々は、複数の別個の要素を使用して実装され得る。
【０１４３】
[00173]図８は、ワイヤレスネットワークにおける通信を延期するかどうかを決定するための例示的な方法８００のフローチャートである。方法８００は、装置（たとえば、ＳＴＡ１１４、ＡＰ１０４、ワイヤレスデバイス２１０、ワイヤレスデバイス３１０、ワイヤレスデバイス４１０、または、たとえば、ワイヤレスデバイス７０２）を使用して実行され得る。方法８００は下記の図７のワイヤレスデバイス７０２の要素に関して以下で説明されるが、本明細書で説明されるステップのうちの１つまたは複数を実施するために他の構成要素が使用され得る。
【０１４４】
[00174]ブロック８０５において、装置は構成メッセージを受信し得る。構成メッセージは通信延期ポリシーを含み得る。たとえば、図３を参照すると、ワイヤレスデバイス３１０がＳＴＡである場合、ワイヤレスデバイス３１０はサービングＡＰから構成メッセージを受信し得る。構成メッセージは通信延期ポリシーを含み得る。しかしながら、ワイヤレスデバイス３１０がＡＰである場合、ワイヤレスデバイス３１０は、通信延期ポリシーを含む構成メッセージを受信しないことがある。
【０１４５】
[00175]ブロック８１０において、装置は、装置と関連付けられるＢＳＳ内の通信延期ポリシーを決定し得る。たとえば、図３を参照すると、ワイヤレスデバイス３１０がＳＴＡである場合、ワイヤレスデバイス３１０は、構成メッセージにおいて受信された通信延期ポリシーに基づいて、ワイヤレスデバイス３１０と関連付けられるＢＳＳ内での通信延期ポリシーを決定し得る。ある態様では、ワイヤレスデバイス３１０は、（たとえば、構成メッセージの中の識別子に基づいて）通信延期ポリシーがワイヤレスデバイス３１０に対して意図されたものかどうかを決定し得る。通信延期ポリシーがワイヤレスデバイス３１０に対して意図されたものである場合、ワイヤレスデバイス３１０はその通信ポリシーを利用し得る。それ以外の場合、ワイヤレスデバイス３１０は通信ポリシーを利用しないことがある。別の態様では、ワイヤレスデバイス３１０がＡＰである場合、ワイヤレスデバイス３１０は、ワイヤレスデバイス３１０と関連付けられるＢＳＳ内のＳＴＡが良好なスループットを有するかどうか、ＯＢＳＳがワイヤレスデバイス３１０と関連付けられるＢＳＳに関してＯＢＳＳの再使用を許可するかどうか、および他の要因に基づいて、通信ポリシーを決定し得る。
【０１４６】
[00176]ブロック８１５において、装置は、第２のワイヤレスデバイスからメッセージを受信し得る。たとえば、図３を参照すると、ワイヤレスデバイス３１０は、ワイヤレスデバイス３１４、３１６、３１８、３２０のうちの１つからメッセージを受信し得る。
【０１４７】
[00177]ブロック８２０において、装置はメッセージのメッセージタイプを決定し得る。たとえば、図３を参照すると、ワイヤレスデバイス３１０は、メッセージのメッセージタイプを決定し得る。メッセージタイプは、ＲＴＳメッセージ、ＣＴＳメッセージ、またはデータパケットであり得る。メッセージがＲＴＳメッセージである場合、ワイヤレスデバイス３１０は、ＲＴＳメッセージが第１のＲＴＳタイプであるか、第２のＲＴＳタイプであるか、または第３のＲＴＳタイプであるかを決定し得る。メッセージがＣＴＳメッセージである場合、ワイヤレスデバイス３１０は、ＲＴＳメッセージが第１のＣＴＳタイプであるか、第２のＣＴＳタイプであるか、または第３のＣＴＳタイプであるかを決定し得る。
【０１４８】
[00178]第１のＲＴＳタイプは、受信機アドレスフィールドまたは送信機アドレスフィールドの中にＢＳＳ識別子を含み得る。第２のＲＴＳタイプは、受信機アドレスフィールドまたは送信機アドレスフィールドの中にＢＳＳ識別子を含むことがあり、受信機アドレスフィールド、送信機アドレスフィールド、スクランブリングシードフィールド、信号フィールド、サービスフィールド、またはフレーム制御フィールドのうちの１つまたは複数に、デバイスタイプインジケータを含むことがある。第３のＲＴＳタイプは、ＢＳＳ識別子フィールドとデバイスタイプインジケータのうちの少なくとも１つを含むことがあり、さらに、非延期が許可されるかどうかをワイヤレスデバイス３１０が決定することを可能にするＲＳＳＩ閾値、非延期が許可されるかどうかを決定するための第２のワイヤレスデバイスまたはメッセージの意図される受信機における許容される干渉レベル、第２のワイヤレスデバイスにより送信または受信されるべきデータのＭＣＳ、性能要件のセット、または、複数のトラフィック識別子もしくはアクセスクラスと関連付けられるバッファステータスについての情報を含むことがある。
【０１４９】
[00179]第１のＣＴＳタイプは、ワイヤレスデバイス３１０が局である場合、受信機アドレスフィールドの中にＢＳＳ識別子を含み得る。第２のＲＴＳタイプは、受信機アドレスフィールド、スクランブリングシードフィールド、信号フィールド、サービスフィールド、またはフレーム制御フィールドのうちの１つまたは複数に、ＢＳＳ識別子またはデバイスタイプインジケータのうちの少なくとも１つを含み得る。第３のＣＴＳタイプは、ＢＳＳ識別子フィールドとデバイスタイプインジケータのうちの少なくとも１つを含むことがあり、さらに、非延期が許可されるかどうかをワイヤレスデバイス３１０が決定することを可能にするＲＳＳＩ閾値、非延期が許可されるかどうかを決定するための第２のワイヤレスデバイスまたはメッセージの意図される受信機における許容される干渉レベル、第２のワイヤレスデバイスにより送信または受信されるべきデータのＭＣＳ、または性能要件のセット、のうちの１つまたは複数を含むことがある。
【０１５０】
[00180]ブロック８２５において、装置は、決定されたメッセージタイプに基づいて、メッセージがＯＢＳＳと関連付けられるかどうかを決定し得る。たとえば、図３を参照すると、ワイヤレスデバイス３１０は、決定されたメッセージタイプに基づいて、メッセージがＢＳＳまたはＯＢＳＳと関連付けられるかどうかを決定し得る。ある態様では、ワイヤレスデバイス３１０は、メッセージがＢＳＳＩＤを含むかどうかを決定し得る。この態様では、メッセージがＢＳＳＩＤを有する場合、決定は、そのＢＳＳＩＤがＯＢＳＳまたはＢＳＳと関連付けられるかどうかに基づき得る。メッセージがＢＳＳＩＤを有しない場合、決定は、ＯＢＳＳ  ＲＴＳメッセージからＳＩＦＳ後に（SIFS after an OBSS RTS message）メッセージが受信されるかどうか、またはＯＢＳＳ  ＲＴＳメッセージからＳＩＦＳ後に受信されたＯＢＳＳ  ＣＴＳメッセージからＳＩＦＳ後にメッセージが受信されるかどうかに基づき得る。
【０１５１】
[00181]ブロック８３０において、装置は、通信延期ポリシー、メッセージタイプ、およびメッセージがＯＢＳＳと関連付けられるかどうかに基づいて、通信を延期するかどうかを決定し得る。たとえば、図３を参照すると、ワイヤレスデバイス３１０は、通信延期ポリシー、メッセージのメッセージタイプ、およびメッセージがＯＢＳＳと関連付けられるかどうかに基づいて、通信を延期するかどうかを決定し得る。ある態様では、通信延期ポリシーは、第２のワイヤレスデバイスのデバイスタイプ（たとえば、レガシー製品または１１ａｘ製品）、第２のワイヤレスデバイスから受信されるメッセージの受信信号強度（たとえば、ＲＳＳＩまたはＳＩＮＲ）、第２のワイヤレスデバイスからのメッセージに含まれる情報のうちの１つまたは複数に基づいて、延期するかどうかを第１のワイヤレスデバイスに命令し得る。この態様では、メッセージに含まれる情報は、第２のワイヤレスデバイスからのメッセージの意図される受信機における許容される干渉レベル（たとえば、メッセージがＲＴＳメッセージであるとき、ＲＴＳメッセージはＲＴＳメッセージの意図される受信機における許容される干渉レベルを示し得る）、（たとえば、メッセージが第２のワイヤレスデバイスにおける許容される干渉レベルを示すＣＴＳメッセージであるとき）第２のワイヤレスデバイスにおける許容される干渉レベル、メッセージを送信するために使用される送信電力、第２のワイヤレスデバイスによって送信もしくは受信されるべきデータのＭＣＳ、非延期が許可されるかどうかの指示、または、延期するかどうかを決定するために使用すべきワイヤレスデバイス３１０に対する閾値のセット、を含み得る。たとえば、閾値のセットはＲＳＳＩ／ＳＩＮＲ閾値を含むことがあり、メッセージが閾値未満のＲＳＳＩ／ＳＩＮＲで受信される場合、ワイヤレスデバイス３１０は延期しない（すなわち、ＯＢＳＳの再使用を実行する）ことを選び得る。別の態様では、通信延期ポリシーは、メッセージがＢＳＳと関連付けられるときに通信を延期するように装置に命令する。別の態様では、通信延期ポリシーは、メッセージがＯＢＳＳと関連付けられるときに通信を延期しないようにワイヤレスデバイス３１０に命令する。さらに別の態様では、通信延期ポリシーは、メッセージがＯＢＳＳと関連付けられることに基づいて、および、第２のワイヤレスデバイスが第１のデバイスタイプ（たとえば、ＩＥＥＥ  ８０２．１１ａ／ａｃ）であるか第２のデバイスタイプ（たとえば、ＩＥＥＥ  ８０２．１１ａｘ）であるか、メッセージの受信信号強度（たとえば、ＲＳＳＩまたはＳＩＮＲ）が第１の閾値未満であるかどうか、メッセージがＲＴＳメッセージである場合にメッセージの受信信号強度がＲＴＳ閾値未満であるかどうか、メッセージがＣＴＳメッセージである場合にメッセージの受信信号強度がＣＴＳ閾値未満であるかどうか、メッセージの受信信号強度が第１のワイヤレスデバイスと関連付けられる第２の閾値未満であるかどうか、または、メッセージに含まれる非延期の条件のセットが満たされるかどうかに基づいて、通信を延期しないようにワイヤレスデバイス３１０に命令し得る。たとえば、条件のセットは、メッセージのＲＳＳＩ／���ＩＮＲが閾値を超える場合、ワイヤレスデバイス３１０が延期し得ることを示し得る。条件のセットは、延期が必須であることを示し得る。条件のセットは、延期せずにＯＢＳＳの再使用を実行することによってワイヤレスデバイス３１０が第２のワイヤレスデバイスに対して引き起こし得る最大の干渉レベルを示し得る。本明細書に記載される任意の他の条件も使用され得る。別の態様では、通信延期ポリシーは、メッセージがＯＢＳＳと関連付けられ、メッセージの受信信号強度が第１の閾値（たとえば、第１のＲＳＳＩ閾値またはＳＩＮＲ閾値）未満である場合に、通信を延期しないようにワイヤレスデバイス３１０に命令し得る。別の態様では、通信延期ポリシーは、第２のワイヤレスデバイスが第１のデバイスタイプ（たとえば、ＩＥＥＥ  ８０２．１１ａｘ適合製品）であり、メッセージがＯＢＳＳと関連付けられる場合に、通信を延期しないようにワイヤレスデバイス３１０に命令し得る。通信延期ポリシーは、第２のワイヤレスデバイスのデバイスタイプ（たとえば、ＩＥＥＥ  ８０２．１１ａｘ適合製品であるかそうではないか）およびメッセージのメッセージタイプに基づいて、通信を延期しないようにワイヤレスデバイス３１０に命令し得る。別の態様では、通信延期ポリシーは、条件のセットに基づいて、ＯＢＳＳの再使用を許可するかどうかをワイヤレスデバイス３１０に命令し得る。この態様では、条件のセットは、ワイヤレスデバイス３１０がサービングＡＰから距離の閾値未満にある場合に、ワイヤレスデバイス３１０がＯＢＳＳの再使用を許可されることを示し得る。条件のセットは、ワイヤレスデバイス３１０がサービングＡＰから距離の閾値未満にある場合、ＯＢＳＳの再使用が原因の第２のワイヤレスデバイスへの干渉レベルが第１の干渉レベル未満である場合、または、ＯＢＳＳの再使用が原因のメッセージの意図される受信者への干渉レベルが第２の干渉レベル未満である場合に、ワイヤレスデバイス３１０がＯＢＳＳの再使用を許可されることを示し得る。
【０１５２】
[00182]ブロック８３５において、装置は、メッセージに含まれるデバイスタイプインジケータに基づいて、第２のワイヤレスデバイスが第１のデバイスタイプであるか第２のデバイスタイプであるかを決定し得る。通信を延期するかどうかの決定はさらに、第２のワイヤレスデバイスが第１のデバイスタイプであるか第２のデバイスタイプであるかに基づき得る。たとえば、図３を参照すると、ワイヤレスデバイス３１０は、第２のワイヤレスデバイスが第１のデバイスタイプ（たとえば、ＩＥＥＥ  ８０２．１１ａｘ適合製品）か第２のデバイスタイプ（たとえば、ＩＥＥＥ  ８０２．１１ａ／ａｃ製品）かを決定し得る。ワイヤレスデバイス３１０は、第２のワイヤレスデバイスを枯らすが第１のデバイスタイプまたは第２のデバイスタイプであるに基づいて（based on wither the second wireless device is of the first device type or the second device type）、通信を延期するかどうかを決定し得る。たとえば、ワイヤレスデバイス３１０は、メッセージがＯＢＳＳと関連付けられ、メッセージが第２のデバイスタイプからのものである場合、通信を延期し得る。
【０１５３】
[00183]図９は、ワイヤレスネットワークにおける通信を延期するかどうかを決定し得る例示的なワイヤレス通信デバイス９００の機能ブロック図である。ワイヤレス通信デバイス９００は、受信機９０５と、処理システム９１０と、送信機９１５とを含み得る。処理システム９１０は通信延期構成要素９２４を含み得る。通信延期構成要素９２４および／または処理システム９１０は、ワイヤレス通信デバイス９００と関連付けられるＢＳＳ内での通信延期ポリシーを決定するように構成され得る。通信延期構成要素９２４、処理システム９１０、および／または受信機９０５は、第２のワイヤレスデバイスからメッセージを受信するように構成され得る。通信延期構成要素９２４および／または処理システム９１０は、メッセージのメッセージタイプを決定するように構成され得る。通信延期構成要素９２４および／または処理システム９１０は、決定されたメッセージタイプに基づいて、メッセージがＯＢＳＳと関連付けられるかどうかを決定するように構成され得る。通信延期構成要素９２４および／または処理システム９１０は、通信延期ポリシー、メッセージタイプ、およびメッセージがＯＢＳＳと関連付けられるかどうかに基づいて、通信を延期するかどうかを決定するように構成され得る。一構成では、通信延期構成要素９２４、処理システム９１０、および／または受信機９０５は構成メッセージを受信するように構成されることがあり、ここで構成メッセージは通信延期ポリシーを含み得る。通信延期ポリシーは、構成メッセージに基づいて決定され得る。ある態様では、通信延期ポリシーは、第２のワイヤレスデバイスのデバイスタイプ、第２のワイヤレスデバイスから受信されるメッセージの受信信号強度、および／または第２のワイヤレスデバイスからのメッセージに含まれる情報のうちの１つまたは複数に基づいて、延期するかどうかをワイヤレス通信デバイス９００に命令し得る。別の態様では、メッセージに含まれる情報は、第２のワイヤレスデバイスからのメッセージの意図される受信機における許容される干渉レベル、第２のワイヤレスデバイスにおける許容される干渉レベル、メッセージを送信するために使用される送信電力、第２のワイヤレスデバイスによって送信もしくは受信されるべきデータのＭＣＳ、非延期が許可されるかどうかの指示、および／または、延期するかどうかを決定するために使用すべきワイヤレス通信デバイス９００に対する閾値のセットを含み得る。別の態様では、通信延期ポリシーは、メッセージがＢＳＳと関連付けられるときに通信を延期するようにワイヤレス通信デバイス９００に命令し得る。別の態様では、通信延期ポリシーはさらに、メッセージがＯＢＳＳと関連付けられるかどうか、第２のワイヤレスデバイスが第１のデバイスタイプであるか第２のデバイスタイプであるか、メッセージの受信信号強度が第１の閾値未満であるかどうか、メッセージがＲＴＳメッセージである場合にメッセージの受信信号強度がＲＴＳ閾値未満であるかどうか、メッセージがＣＴＳメッセージである場合にメッセージの受信信号強度がＣＴＳ閾値未満であるかどうか、メッセージの受信信号強度がワイヤレス通信デバイス９００と関連付けられる第２の閾値未満である��どうか、および／または、メッセージに含まれる非延期の条件のセットが満たされるかどうかのうちの少なくとも１つに基づいて、通信を延期しないようにワイヤレス通信デバイス９００に命令し得る。別の態様では、通信延期ポリシーは、メッセージがＯＢＳＳと関連付けられる場合に通信を延期しないようにワイヤレス通信デバイス９００に命令し得る。別の態様では、通信延期ポリシーは、メッセージがＯＢＳＳと関連付けられ、メッセージの受信信号強度が第１の閾値未満である場合に、通信を延期しないようにワイヤレス通信デバイス９００に命令し得る。別の態様では、通信延期ポリシーは、第２のワイヤレスデバイスが第１のデバイスタイプであり、メッセージがＯＢＳＳと関連付けられる場合に、通信を延期しないようにワイヤレス通信デバイス９００に命令し得る。別の態様では、通信延期ポリシーは、第２のワイヤレスデバイスのデバイスタイプおよびメッセージのメッセージタイプに基づいて、通信を延期しないようにワイヤレス通信デバイス９００に命令し得る。別の態様では、通信延期ポリシーは、条件のセットに基づいて、ＯＢＳＳの再使用を許可するかどうかをワイヤレス通信デバイス９００に命令し得る。別の態様では、条件のセットは、ワイヤレス通信デバイス９００がサービングＡＰから距離の閾値未満にある場合に、ワイヤレス通信デバイス９００がＯＢＳＳの再使用を許可されることを示し得る。別の態様では、条件のセットは、ワイヤレス通信デバイス９００がサービングＡＰから距離の閾値未満にある場合、ＯＢＳＳの再使用が原因の第２のワイヤレスデバイスへの干渉レベルが第１の干渉レベル未満である場合、または、ＯＢＳＳの再使用が原因のメッセージの意図される受信者への干渉レベルが第２の干渉レベル未満である場合に、ワイヤレス通信デバイス９００がＯＢＳＳの再使用を許可されることを示し得る。別の構成では、通信延期構成要素９２４および／または処理システム９１０は、メッセージの中のＢＳＳ識別子に基づいて、メッセージがＯＢＳＳイズと関連付けられるかどうか（whether the message is associated with the OBSS is）を決定するように構成され得る。別の構成では、通信延期構成要素９２４および／または処理システム９１０は、メッセージがＲＴＳメッセージであるか、ＣＴＳメッセージであるか、またはデータパケットであるかを決定することによって、メッセージタイプを決定するように構成され得る。別の構成では、通信延期構成要素９２４および／または処理システム９１０は、メッセージがＲＴＳメッセージであるときにメッセージが第１のＲＴＳタイプであるか、第２のＲＴＳタイプであるか、もしくは第３のＲＴＳタイプであるかを決定すること、および／または、メッセージがＣＴＳメッセージであるときにメッセージが第１のＣＴＳタイプであるか、第２のＲＴＳタイプであるか、もしくは第３のＣＴＳタイプであるかをバイ決定することのうちの少なくとも１つを実行することによって、メッセージタイプを決定するように構成され得る。別の態様では、第１のＲＴＳタイプは、受信機アドレスフィールドまたは送信機アドレスフィールドの中にＢＳＳ識別子を含み得る。別の態様では、第２のＲＴＳタイプは、受信機アドレスフィールドまたは送信機アドレスフィールドの中にＢＳＳ識別子を含み、受信機アドレスフィールド、送信機アドレスフィールド、スクランブリングシードフィールド、信号フィールド、サービスフィールド、またはフレーム制御フィールドのうちの１つまたは複数に、デバイスタイプインジケータを含み得る。別の態様では、第３のＲＴＳタイプは、ＢＳＳ識別子フィールドとデバイスタイプインジケータのうちの少なくとも１つを含むことがあり、さらに、非延期が許可されるかどうかをワイヤレス通信デバイス９００が決定することを可能にするＲＳＳＩ閾値、非延期が許可されるかどうかを決定するための第２のワイヤレスデバイスまたはメッセージの意図される受信機における許容される干渉レベル、第２のワイヤレスデバイスにより送信または受信されるべきデータのＭＣＳ、性能要件のセット、または、複数のトラフィック識別子もしくはアクセスクラスと関連付けられるバッファステータスについての情報を含むことがある。別の態様では、第１のＣＴＳタイプは、ワイヤレス通信デバイス９００が局である場合、受信機アドレスフィールドの中にＢＳＳ識別子を含み得る。この態様では、第２のＲＴＳタイプは、受信機アドレスフィールド、スクランブリングシードフィールド、信号フィールド、サービスフィールド、またはフレーム制御フィールドのうちの１つまたは複数に、ＢＳＳ識別子またはデバイスタイプインジケータのうちの少なくとも１つを含み得る。別の態様では、第３のＣＴＳタイプは、ＢＳＳ識別子フィールドとデバイスタイプインジケータのうちの少なくとも１つを含み得る。この態様では、第３のＣＴＳタイプはさらに、非延期が許可されるかどうかをワイヤレス通信デバイス９００が決定することを可能にするＲＳＳＩ閾値、非延期が許可されるかどうかを決定するための第２のワイヤレスデバイスまたはメッセージの意図される受信機における許容される干渉レベル、第２のワイヤレスデバイスにより送信もしくは受信されるべきデータのＭＣＳ、および／または性能要件のセットを含み得る。別の構成では、通信延期構成要素９２４および／または処理システム９１０は、メッセージに含まれるデバイスタイプインジケータに基づいて、第２のワイヤレスデバイスが第１のデバイスタイプであるか第２のデバイスタイプであるかを決定するように構成され得る。通信を延期するかどうかの決定はさらに、第２のワイヤレスデバイスが第１のデバイスタイプであるか第２のデバイスタイプであるかに基づき得る。別の構成では、通信延期構成要素９２４、処理システム９１０、および／または送信機９１５は、通信を延期して第１のデバイスタイプのワイヤレスデバイスにより復号可能な静穏成分打消しを送信するように、ＢＳＳと関連付けられるワイヤレスデバイスに命令するために、静穏間隔を送信するように構成され得る。別の構成では、通信延期構成要素９２４、処理システム９１０、および／または送信機９１５は、ＣＴＳメッセージのみを考慮するネットワーク割振りベクトルとともにＲＴＳメッセージを送信するように、第２のデバイスタイプのワイヤレスデバイスにより復号可能ではないＲＴＳメッセージもしくはＣＴＳメッセージを送信するように、または、電力の閾値を下回る送信電力で、もしくはレート閾値を上回る送信レートで、ＲＴＳメッセージもしくはＣＴＳメッセージを送信するように構成され得る。別の構成では、通信延期構成要素９２４、処理システム９１０、および／または送信機９１５は、第２のメッセージを送信するように構成され得る。第２のメッセージは、ＯＢＳＳの再使用が許可されないことを示す予備のＢＳＳ識別子を示すことによってＯＢＳＳの再使用が許可されないことを示し、ＯＢＳＳの再使用を許可しないためにＢＳＳ識別子が存在しない、または無効であることを示し、第２のメッセージが第１のＲＴＳタイプまたは第１のＣＴＳタイプであることを示し得る。
【０１５４】
[00184]受信機９０５、処理システム９１０、通信延期構成要素９２４、および／または送信機９１５は、図８のブロック８０５、８１０、８１５、８２０、８２５、８３０、８３５に関して上で論じられた１つまたは複数の機能を実行するように構成され得る。受信機９０５は受信機７１２に対応し得る。処理システム９１０はプロセッサ７０４に対応し得る。送信機９１５は送信機７１０に対応し得る。通信延期構成要素９２４は、通信延期構成要素１２６に対応し得る。
【０１５５】
[00185]一構成では、ワイヤレス通信デバイス９００は、ワイヤレス通信デバイス９００と関連付けられるＢＳＳ内での通信延期ポリシーを決定するための手段を含み得る。ワイヤレス通信デバイス９００は、第２のワイヤレスデバイスからメッセージを受信するための手段を含み得る。ワイヤレス通信デバイス９００は、メッセージのメッセージタイプを決定するための手段を含み得る。ワイヤレス通信デバイス９００は、決定されたメッセージタイプに基づいて、メッセージがＯＢＳＳと関連付けられるかどうかを決定するための手段を含み得る。ワイヤレス通信デバイス９００は、通信延期ポリシー、メッセージタイプ、およびメッセージがＯＢＳＳと関連付けられるかどうかに基づいて、通信を延期するかどうかを決定するための手段を含み得る。一構成では、ワイヤレス通信デバイス９００は構成メッセージを受信するための手段を含むことがあり、ここで構成メッセージは通信延期ポリシーを含み得る。通信延期ポリシーは、構成メッセージに基づいて決定され得る。ある態様では、通信延期ポリシーは、第２のワイヤレスデバイスのデバイスタイプ、第２のワイヤレスデバイスから受信されるメッセージの受信信号強度、および／または第２のワイヤレスデバイスからのメッセージに含まれる情報のうちの１つまたは複数に基づいて、延期するかどうかをワイヤレス通信デバイス９００に命令し得る。別の態様では、メッセージに含まれる情報は、第２のワイヤレスデバイスからのメッセージの意図される受信機における許容される干渉レベル、第２のワイヤレスデバイスにおける許容される干渉レベル、メッセージを送信するために使用される送信電力、第２のワイヤレスデバイスによって送信もしくは受信されるべきデータのＭＣＳ、非延期が許可されるかどうかの指示、および／または、延期するかどうかを決定するために使用すべきワイヤレス通信デバイス９００に対する閾値のセットを含み得る。別の態様では、通信延期ポリシーは、メッセージがＢＳＳと関連付けられるときに通信を延期するようにワイヤレス通信デバイス９００に命令し得る。別の態様では、通信延期ポリシーはさらに、メッセージがＯＢＳＳと関連付けられるかどうか、第２のワイヤレスデバイスが第１のデバイスタイプであるか第２のデバイスタイプであるか、メッセージの受信信号強度が第１の閾値未満であるかどうか、メッセージがＲＴＳメッセージである場合にメッセージの受信信号強度がＲＴＳ閾値未満であるかどうか、メッセージがＣＴＳメッセージである場合にメッセージの受信信号強度がＣＴＳ閾値未満であるかどうか、メッセージの受信信号強度がワイヤレス通信デバイス９００と関連付けられる第２の閾値未満であるかどうか、および／または、メッセージに含まれる非延期の条件のセットが満たされるかどうかのうちの少なくとも１つに基づいて、通信を延期しないようにワイヤレス通信デバイス９００に命令し得る。別の態様では、通信延期ポリシーは、メッセージがＯＢＳＳと関連付けられる場合に通信を延期しないようにワイヤレス通信デバイス９００に命令し得る。別の態様では、通信延期ポリシーは、メッセージがＯＢＳＳと関連付けられ、メッセージの受信信号強度が第１の閾値未満である場合に、��信を延期しないようにワイヤレス通信デバイス９００に命令し得る。別の態様では、通信延期ポリシーは、第２のワイヤレスデバイスが第１のデバイスタイプであり、メッセージがＯＢＳＳと関連付けられる場合に、通信を延期しないようにワイヤレス通信デバイス９００に命令し得る。別の態様では、通信延期ポリシーは、第２のワイヤレスデバイスのデバイスタイプおよびメッセージのメッセージタイプに基づいて、通信を延期しないようにワイヤレス通信デバイス９００に命令し得る。別の態様では、通信延期ポリシーは、条件のセットに基づいて、ＯＢＳＳの再使用を許可するかどうかをワイヤレス通信デバイス９００に命令し得る。別の態様では、条件のセットは、ワイヤレス通信デバイス９００がサービングＡＰから距離の閾値未満にある場合に、ワイヤレス通信デバイス９００がＯＢＳＳの再使用を許可されることを示し得る。別の態様では、条件のセットは、ワイヤレス通信デバイス９００がサービングＡＰから距離の閾値未満にある場合、ＯＢＳＳの再使用が原因の第２のワイヤレスデバイスへの干渉レベルが第１の干渉レベル未満である場合、または、ＯＢＳＳの再使用が原因のメッセージの意図される受信者への干渉レベルが第２の干渉レベル未満である場合に、ワイヤレス通信デバイス９００がＯＢＳＳの再使用を許可されることを示し得る。別の構成では、メッセージがＯＢＳＳと関連付けられるかどうかの決定は、メッセージの中のＢＳＳ識別子に基づく。別の構成では、メッセージタイプを決定するための手段は、メッセージがＲＴＳメッセージであるか、ＣＴＳメッセージであるか、またはデータパケットであるかを決定するように構成され得る。別の構成では、メッセージタイプを決定するための手段は、メッセージがＲＴＳメッセージであるときにメッセージが第１のＲＴＳタイプであるか、第２のＲＴＳタイプであるか、もしくは第３のＲＴＳタイプであるかを決定すること、および／または、メッセージがＣＴＳメッセージであるときにメッセージが第１のＣＴＳタイプであるか、第２のＲＴＳタイプであるか、もしくは第３のＣＴＳタイプであるかを決定することによって（by determining whether）、のうちの少なくとも１つを実行するように構成され得る。別の態様では、第１のＲＴＳタイプは、受信機アドレスフィールドまたは送信機アドレスフィールドの中にＢＳＳ識別子を含み得る。別の態様では、第２のＲＴＳタイプは、受信機アドレスフィールドまたは送信機アドレスフィールドの中にＢＳＳ識別子を含み、受信機アドレスフィールド、送信機アドレスフィールド、スクランブリングシードフィールド、信号フィールド、サービスフィールド、またはフレーム制御フィールドのうちの１つまたは複数に、デバイスタイプインジケータを含み得る。別の態様では、第３のＲＴＳタイプは、ＢＳＳ識別子フィールドとデバイスタイプインジケータのうちの少なくとも１つを含むことがあり、さらに、非延期が許可されるかどうかをワイヤレス通信デバイス９００が決定することを可能にするＲＳＳＩ閾値、非延期が許可されるかどうかを決定するための第２のワイヤレスデバイスまたはメッセージの意図される受信機における許容される干渉レベル、第２のワイヤレスデバイスにより���信または受信されるべきデータのＭＣＳ、性能要件のセット、または、複数のトラフィック識別子もしくはアクセスクラスと関連付けられるバッファステータスについての情報を含むことがある。別の態様では、第１のＣＴＳタイプは、ワイヤレス通信デバイス９００が局である場合、受信機アドレスフィールドの中にＢＳＳ識別子を含み得る。この態様では、第２のＲＴＳタイプは、受信機アドレスフィールド、スクランブリングシードフィールド、信号フィールド、サービスフィールド、またはフレーム制御フィールドのうちの１つまたは複数に、ＢＳＳ識別子またはデバイスタイプインジケータのうちの少なくとも１つを含み得る。別の態様では、第３のＣＴＳタイプは、ＢＳＳ識別子フィールドとデバイスタイプインジケータのうちの少なくとも１つを含み得る。この態様では、第３のＣＴＳタイプはさらに、非延期が許可されるかどうかをワイヤレス通信デバイス９００が決定することを可能にするＲＳＳＩ閾値、非延期が許可されるかどうかを決定するための第２のワイヤレスデバイスまたはメッセージの意図される受信機における許容される干渉レベル、第２のワイヤレスデバイスにより送信もしくは受信されるべきデータのＭＣＳ、および／または性能要件のセットを含み得る。別の構成では、第２のワイヤレスデバイスが第１のデバイスタイプであるか第２のデバイスタイプであるかの決定は、メッセージに含まれるデバイスタイプインジケータに基づき得る。通信を延期するかどうかの決定はさらに、第２のワイヤレスデバイスが第１のデバイスタイプであるか第２のデバイスタイプであるかに基づき得る。別の構成では、ワイヤレス通信デバイス９００は、通信を延期するようにＢＳＳと関連付けられるワイヤレスデバイスに命令するために静穏間隔を送信するための手段と、第１のデバイスタイプのワイヤレスデバイスにより復号可能な静穏成分打消しを送信するための手段とを含み得る。別の構成では、ワイヤレス通信デバイス９００は、ＣＴＳメッセージのみを考慮するネットワーク割振りベクトルとともにＲＴＳメッセージを送信するための手段、第２のデバイスタイプのワイヤレスデバイスにより復号可能ではないＲＴＳメッセージもしくはＣＴＳメッセージを送信するための手段、または、電力の閾値を下回る送信電力で、もしくはレート閾値を上回る送信レートで、ＲＴＳメッセージもしくはＣＴＳメッセージを送信するための手段を含み得る。別の構成では、ワイヤレス通信デバイス９００は、第２のメッセージを送信するための手段を含み得る。第２のメッセージは、ＯＢＳＳの再使用が許可されないことを示す予備のＢＳＳ識別子を示すことによってＯＢＳＳの再使用が許可されないことを示し、ＯＢＳＳの再使用を許可しないためにＢＳＳ識別子が存在しない、または無効であることを示し、第２のメッセージが第１のＲＴＳタイプまたは第１のＣＴＳタイプであることを示し得る。
【０１５６】
[00186]たとえば、通信延期ポリシーを決定するための手段は、処理システム９１０および／または通信延期構成要素９２４を含み得る。受信するための手段は、処理システム９１０、通信延期構成要素９２４、および／または受信機９０５を含み得る。メッセージタイプを決定するための手段は、処理システム９１０および／または通信延期構成要素９２４を含み得る。メッセージがＯＢＳＳと関連付けられるかどうかを決定するための手段は、処理システム９１０および／または通信延期構成要素９２４を含み得る。通信を延期するかどうかを決定するための手段は、処理システム９１０および／または通信延期構成要素９２４を含み得る。受信するための手段は、処理システム９１０、通信延期構成要素９２４、および／または受信機９０５を含み得る。第２のワイヤレスデバイスが第１のデバイスタイプであるか第２のデバイスタイプであるかを決定するための手段は、処理システム９１０および／または通信延期構成要素９２４を含み得る。
【０１５７】
[00187]上で説明された方法の様々な動作は、様々なハードウェアおよび／またはソフトウェア構成要素、回路、および／またはモジュールなどの、動作を実行することが可能な任意の好適な手段によって実行され得る。全般に、図に示されるいずれの動作も、その動作を実行することが可能な対応する機能的手段によって実行され得る。
【０１５８】
[00188]図１０は、図１のワイヤレス通信システム１００の中および外で通信を延期するかどうかを決定し得るワイヤレスデバイス１００２の例示的な機能ブロック図を示す。ワイヤレスデバイス１００２は、本明細書で説明される様々な方法を実施するように構成され得るデバイスの例である。たとえば、ワイヤレスデバイス１００２はＡＰ１０４を備え得る。
【０１５９】
[00189]ワイヤレスデバイス１００２は、ワイヤレスデバイス１００２の動作を制御するプロセッサ１００４を含み得る。プロセッサ１００４はＣＰＵと呼ばれることもある。ＲＯＭとＲＡＭの両方を含み得るメモリ１００６は、命令とデータとをプロセッサ１００４に与え得る。メモリ１００６の一部分はＮＶＲＡＭも含み得る。プロセッサ１００４は、一般に、メモリ１００６に記憶されたプログラム命令に基づいて論理演算と算術演算とを実行する。メモリ１００６中の命令は、本明細書で説明される方法を実施するために（たとえば、プロセッサ１００４によって）実行可能であり得る。
【０１６０】
[00190]プロセッサ１００４は、１つまたは複数のプロセッサを用いて実装される処理システムの構成要素を備えることがあるか、またはその構成要素であり得る。１つまたは複数のプロセッサは、汎用マイクロプロセッサ、マイクロコントローラ、ＤＳＰ、ＦＰＧＡ、ＰＬＤ、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【０１６１】
[00191]処理システムは、ソフトウェアを記憶するための機械可読媒体も含み得る。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコードフォーマット、バイナリコードフォーマット、実行可能コードフォーマット、またはコードの任意の他の適切なフォーマットの）コードを含み得る。命令は、１つまたは複数のプロセッサによって実行されると、本明細書で説明される様々な機能を処理システムに実行させる。
【０１６２】
[00192]ワイヤレスデバイス１００２はまた、ハウジング１００８を含むことがあり、ワイヤレスデバイス１００２は、ワイヤレスデバイス１００２とリモートデバイスとの間でのデータの送信と受信とを可能にするための送信機１０１０および／または受信機１０１２を含み得る。送信機１０１０および受信機１０１２はトランシーバ１０１４へと組み合わされ得る。アンテナ１０１６は、ハウジング１００８に取り付けられ、トランシーバ１０１４に電気的に結合され得る。ワイヤレスデバイス１００２は、複数の送信機、複数の受信機、複数のトランシーバ、および／または複数のアンテナも含み得る。
【０１６３】
[00193]ワイヤレスデバイス１００２は、トランシーバ１０１４または受信機１０１２によって受信された信号のレベルを検出および定量化するために使用され得る信号検出器１０１８も含み得る。信号検出器１０１８は、そのような信号を、総エネルギー、シンボルごとのサブキャリア当たりのエネルギー、電力スペクトル密度、および他の信号として検出し得る。ワイヤレスデバイス１００２は、信号を処理する際に使用するためのＤＳＰ１０２０も含み得る。ＤＳＰ１０２０は、送信のためにパケットを生成するように構成され得る。いくつかの態様では、パケットはＰＰＤＵを備え得る。
【０１６４】
[00194]ワイヤレスデバイス１００２は、いくつかの態様ではユーザインターフェース１０２２をさらに備え得る。ユーザインターフェース１０２２は、キーパッド、マイクロフォン、スピーカー、および／またはディスプレイを備え得る。ユーザインターフェース１０２２は、ワイヤレスデバイス１００２のユーザに情報を伝え、および／またはそのユーザから入力を受け取る、任意の要素またはコンポーネントを含み得る。
【０１６５】
[00195]ワイヤレスデバイス１００２がＡＰ（たとえば、ＡＰ１０４）として実装されるとき、ワイヤレスデバイス１００２は、ポリシー構成要素１０２４も備え得る。ポリシー構成要素１０２４は、ワイヤレスデバイス１００２と関連付けられるＢＳＳ内のＳＴＡのグループに対する通信延期ポリシーを決定し、構成メッセージをＳＴＡのグループに送信するように構成され得る。構成メッセージは通信延期ポリシーを示し得る。一構成では、ポリシー構成要素１０２４は、１つまたは複数の条件に基づいて、ＳＴＡのグループがＯＢＳＳ送信に従うかどうかを決定することによって、通信延期ポリシーを決定するように構成され得る。別の態様では、１つまたは複数の条件は、ＢＳＳとＯＢＳＳとの間の実効的なＢＳＳ距離を含み得る。別の態様では、通信延期ポリシーは、ＳＴＡのグループ内の各ＳＴＡに、各ＳＴＡがＢＳＳの中の別のＳＴＡからメッセージを受信するときに通信を延期するように命令し得る。別の態様では、通信延期ポリシーはさらに、メッセージがＯＢＳＳからのものであるかどうか、別のＳＴＡが第１のデバイスタイプであるか第２のデバイスタイプであるか、メッセージの受信信号強度が閾値より小さいかどうか、メッセージの受信信号強度がメッセージにおいて示される第２の閾値より小さいかどうか、および／または非延期の要件が満たされるかどうかのうちの少なくとも１つに基づいて、ＳＴＡのグループ内の各ＳＴＡに、各ＳＴＡが別のＳＴＡからメッセージを受信するときに、通信を延期しないように命令し得る。別の態様では、通信延期ポリシーは、条件のセットに基づいて、ＯＢＳＳの再使用を許可するかどうかをＳＴＡのグループに命令し得る。別の態様では、ＳＴＡのグループは、ワイヤレスデバイス１００２からの距離に基づいて選択され得る。別の態様では、構成メッセージはＳＴＡのグループと関連付けられるグループインジケータを含むことがあり、ＳＴＡのグループはＢＳＳの中のＳＴＡのサブセットであることがある。別の態様では、通信延期ポリシーは、第２のＡＰの第２の通信延期ポリシーに基づき得る。別の構成では、ポリシー構成要素１０２４は、通信延期ポリシーを第２のＡＰとネゴシエートすることによって、通信延期ポリシーを決定するように構成され得る。
【０１６６】
[00196]ワイヤレスデバイス１００２の様々な構成要素は、バスシステム１０２６によって互いに結合され得る。バスシステム１０２６は、たとえば、データバスを含むことがあり、ならびに、データバスに加えて、電力バスと、制御信号バスと、ステータス信号バスとを含むことがある。ワイヤレスデバイス１００２の構成要素は、何らかの他の機構を使用して、互いに結合され、または、互いに対する入力を受け入れ、もしくは与え得る。
【０１６７】
[00197]図１０にはいくつかの別個の構成要素が示されているが、これらの構成要素のうちの１つまたは複数は、組み合わされるか、または共通に実装され得る。たとえば、プロセッサ１００４は、プロセッサ１００４に関して上で説明された機能を実装するためだけでなく、信号検出器１０１８、ＤＳＰ１０２０、ユーザインターフェース１０２２、および／またはポリシー構成要素１０２４に関して上で説明された機能を実装するためにも使用され得る。さらに、図１０に示される構成要素の各々は、複数の別個の要素を使用して実装され得る。
【０１６８】
[00198]図１１は、ワイヤレスネットワークにおける通信を延期するかどうかを決定するための例示的な方法１１００のフローチャートである。方法１１００は、装置（たとえば、ＡＰ１０４、第１のＡＰ６０２、第２のＡＰ６０６、または、たとえば、ワイヤレスデバイス１００２）を使用して実行され得る。方法１１００は上記の図１０のワイヤレスデバイス１００２の要素に関して以下で説明されるが、本明細書で説明されるステップのうちの１つまたは複数を実施するために他の構成要素が使用され得る。
【０１６９】
[00199]ブロック１１０５において、装置は、ＡＰと関連付けられるＢＳＳ内のＳＴＡのグループに対する通信延期ポリシーを決定し得る。たとえば、図６を参照すると、第１のＡＰ６０２は、第１のＳＴＡ６１０（および図６に示されていない第１のＢＳＳ６０４内の任意の他のＳＴＡ）に対する通信延期ポリシーを決定し得る。第１のＡＰ６０２は、１つまたは複数の条件に基づいて、ＳＴＡのグループがＯＢＳＳに従うかどうかを決定することによって、通信延期ポリシーを決定し得る。１つまたは複数の条件は、ＢＳＳとＯＢＳＳとの間の実効的なＢＳＳ距離を含み得る。１つまたは複数の条件は、ＳＴＡのグループが良好なスループット（たとえば、閾値を超えるスループット）を有するかどうかを含み得る。１つまたは複数の条件は、ＯＢＳＳがＢＳＳに従うかどうかを含み得る。一態様では、通信延期ポリシーは、ＳＴＡのグループ内の各ＳＴＡに、各ＳＴＡがＢＳＳの中の別のＳＴＡからメッセージを受信するときに通信を延期するように命令し得る。メッセージは、ＲＴＳメッセージ、ＣＴＳメッセージ、またはデータパケットであり得る。別の態様では、通信延期ポリシーはさらに、ＳＴＡのグループ内の各ＳＴＡに、各ＳＴＡが別のＳＴＡからメッセージを受信するときに、メッセージがＯＢＳＳからのものであるかどうか、別のＳＴＡが第１のデバイスタイプであるか第２のデバイスタイプであるか、メッセージの受信信号強度が閾値未満であるかどうか、メッセージの受信信号強度がメッセージにおいて示される第２の閾値未満であるかどうか、または非延期の要件が満たされるかどうかのうちの少なくとも１つに基づいて、通信を延期しないように命令し得る。要件は、たとえば、本明細書で論じられるような許容される干渉レベルであり得る。別の態様では、通信延期ポリシーは、本明細書で説明されるように、条件のセットに基づいて、ＯＢＳＳの再使用を許可するかどうかをＳＴＡのグループに命令し得る。別の態様では、ＳＴＡのグループは、第１のＡＰ６０２からの距離に基づいて選択され得る。別の態様では、通信延期ポリシーは、第２のＡＰ６０６の第２の通信延期ポリシーに基づき得る。別の態様では、第１のＡＰ６０２は、通信延期ポリシーを第２のＡＰ６０６とネゴシエートしている（be negotiating）、通信延期ポリシーを決定し得る。
【０１７０】
[00200]ブロック１１１０において、装置は構成メッセージをＳＴＡのグループに送信し得る。構成メッセージは通信延期ポリシーを示し得る。ある態様では、構成メッセージはＳＴＡのグループと関連付けられるグループインジケータを含むことがあり、ここで、ＳＴＡのグループはＢＳＳの中のＳＴＡのサブセットである。たとえば、図６を参照すると、第１のＡＰ６０２は、第１のＳＴＡ６１０およびＢＳＳ１内の任意の他のＳＴＡに構成メッセージを送信し得る。別の態様では、構成メッセージは選択されたＳＴＡのグループと関連付けられるグループインジケータを含むことがあり、ＳＴＡのグループはＢＳＳ１の中のＳＴＡのサブセットであることがある。
【０１７１】
[00201]図１２は、ワイヤレスネットワークにおける通信を延期するかどうかを決定し得る例示的なワイヤレス通信デバイス１２００の機能ブロック図である。ワイヤレス通信デバイス１２００は、受信機１２０５と、処理システム１２１０と、送信機１２１５とを含み得る。処理システム１２１０はポリシー構成要素１２２４を含み得る。ポリシー構成要素１２２４および／または処理システム１２１０は、ワイヤレス通信デバイス１２００と関連付けられるＢＳＳ内のＳＴＡのグループに対する通信延期ポリシーを決定するように構成され得る。処理システム１２１０、ポリシー構成要素１２２４、および／または送信機１２１５は、構成メッセージをＳＴＡのグループに送信するように構成され得る。構成メッセージは通信延期ポリシーを示し得る。一構成では、ポリシー構成要素１２２４および／または処理システム１２１０は、１つまたは複数の条件に基づいて、ＳＴＡのグループがＯＢＳＳ送信に従うかどうかを決定することによって、通信延期ポリシーを決定するように構成され得る。別の態様では、１つまたは複数の条件は、ＢＳＳとＯＢＳＳとの間の実効的なＢＳＳ距離を含み得る。別の態様では、通信延期ポリシーは、ＳＴＡのグループ内の各ＳＴＡに、各ＳＴＡがＢＳＳの中の別のＳＴＡからメッセージを受信するときに通信を延期するように命令し得る。別の態様では、通信延期ポリシーはさらに、メッセージがＯＢＳＳからのものであるかどうか、別のＳＴＡが第１のデバイスタイプであるか第２のデバイスタイプであるか、メッセージの受信信号強度が閾値より小さいかどうか、メッセージの受信信号強度がメッセージにおいて示される第２の閾値より小さいかどうか、および／または非延期の要件が満たされるかどうかのうちの少なくとも１つに基づいて、ＳＴＡのグループ内の各ＳＴＡに、各ＳＴＡが別のＳＴＡからメッセージを受信するときに、通信を延期しないように命令し得る。別の態様では、通信延期ポリシーは、条件のセットに基づいて、ＯＢＳＳの再使用を許可するかどうかをＳＴＡのグループに命令し得る。別の態様では、ＳＴＡのグループは、ワイヤレス通信デバイス１２００からの距離に基づいて選択され得る。別の態様では、構成メッセージはＳＴＡのグループと関連付けられるグループインジケータを含むことがあり、ＳＴＡのグループはＢＳＳの中のＳＴＡのサブセットであることがある。別の態様では、通信延期ポリシーは、第２のＡＰの第２の通信延期ポリシーに基づき得る。別の構成では、ポリシー構成要素１２２４および／または処理システム１２１０は、通信延期ポリシーを第２のＡＰとネゴシエートすることによって、通信延期ポリシーを決定するように構成され得る。
【０１７２】
[00202]受信機１２０５、処理システム１２１０、ポリシー構成要素１２２４、および／または送信機１２１５は、図１１のブロック１１０５および１１１０に関して上で論じられた１つまたは複数の機能を実行するように構成され得る。受信機１２０５は受信機１０１２に対応し得る。処理システム１２１０はプロセッサ１００４に対応し得る。送信機１２１５は送信機１０１０に対応し得る。ポリシー構成要素１２２４は、ポリシー構成要素１０２４に対応し得る。
【０１７３】
[00203]一構成では、ワイヤレス通信デバイス１２００は、ワイヤレス通信デバイス１２００と関連付けられるＢＳＳ内のＳＴＡのグループに対する通信延期ポリシーを決定するための手段を含み得る。ワイヤレス通信デバイス１２００は、構成メッセージをＳＴＡのグループに送信するための手段を含み得る。構成メッセージは通信延期ポリシーを示し得る。一構成では、通信延期ポリシーを決定するための手段は、１つまたは複数の条件に基づいて、ＳＴＡのグループがＯＢＳＳ送信に従うかどうかを決定するように構成され得る。別の態様では、１つまたは複数の条件は、ＢＳＳとＯＢＳＳとの間の実効的なＢＳＳ距離を含み得る。別の態様では、通信延期ポリシーは、ＳＴＡのグループ内の各ＳＴＡに、各ＳＴＡがＢＳＳの中の別のＳＴＡからメッセージを受信するときに通信を延期するように命令し得る。別の態様では、通信延期ポリシーはさらに、メッセージがＯＢＳＳからのものであるかどうか、別のＳＴＡが第１のデバイスタイプであるか第２のデバイスタイプであるか、メッセージの受信信号強度が閾値より小さいかどうか、メッセージの受信信号強度がメッセージにおいて示される第２の閾値より小さいかどうか、および／または非延期の要件が満たされるかどうかのうちの少なくとも１つに基づいて、ＳＴＡのグループ内の各ＳＴＡに、各ＳＴＡが別のＳＴＡからメッセージを受信するときに、通信を延期しないように命令し得る。別の態様では、通信延期ポリシーは、条件のセットに基づいて、ＯＢＳＳの再使用を許可するかどうかをＳＴＡのグループに命令し得る。別の態様では、ＳＴＡのグループは、ワイヤレス通信デバイス１２００からの距離に基づいて選択され得る。別の態様では、構成メッセージはＳＴＡのグループと関連付けられるグループインジケータを含むことがあり、ＳＴＡのグループはＢＳＳの中のＳＴＡのサブセットであることがある。別の態様では、通信延期ポリシーは、第２のＡＰの第２の通信延期ポリシーに基づき得る。別の構成では、通信延期ポリシーを決定するための手段は、通信延期ポリシーを第２のＡＰとネゴシエートするように構成され得る。
【０１７４】
[00204]たとえば、通信延期ポリシーを決定するための手段は、処理システム１２１０および／またはポリシー構成要素１２２４を含み得る。送信するための手段は、処理システム１２１０、ポリシー構成要素１２２４、および／または送信機１２１５を含み得る。
【０１７５】
[00205]上で説明された方法の様々な動作は、様々なハードウェアおよび／またはソフトウェア構成要素、回路、および／またはモジュールなどの、動作を実行することが可能な任意の好適な手段によって実行され得る。全般に、図に示されるいずれの動作も、その動作を実行することが可能な対応する機能的手段によって実行され得る。
【０１７６】
[00206]本開示に関連して説明された様々な例示的な論理ブロック、構成要素、および回路は、汎用プロセッサ、ＤＳＰ、ＡＳＩＣ、ＦＰＧＡもしくは他のＰＬＤ、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１７７】
[00207]１つまたは複数の態様では、説明された機能は、ハードウェア、ソフトウェア、ファームウェア、またはそれらの任意の組合せで実装され得る。ソフトウェアで実装される場合、機能は、１つまたは複数の命令もしくはコードとしてコンピュータ可読媒体上に記憶されるか、またはコンピュータ可読媒体を介して送信され得る。コンピュータ可読媒体は、コンピュータプログラムのある場所から別の場所への転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、コンパクトディスク（ＣＤ）ＲＯＭ（ＣＤ−ＲＯＭ）もしくは他の光ディスクストレージ、磁気ディスクストレージもしくは他の磁気ストレージデバイス、または命令もしくはデータ構造の形態の所望のプログラムコードを搬送または記憶するために使用されコンピュータによってアクセスされ得る、任意の他の媒体を備え得る。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバケーブル、ツイストペア、ＤＳＬ、または赤外線、無線、およびマイクロ波などワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、レーザーを用いてデータを光学的に再生する。したがって、コンピュータ可読媒体は非一時的コンピュータ可読媒体（たとえば、有形媒体）を備える。
【０１７８】
[00208]本明細書で開示された方法は、説明された方法を達成するための１つまたは複数のステップまたはアクションを備える。方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく変更され得る。
【０１７９】
[00209]したがって、いくつかの態様は、本明細書で提示された動作を実行するためのコンピュータプログラム製品を備え得る。たとえば、そのようなコンピュータプログラム製品は、本明細書で説明された動作を実行するように１つまたは複数のプロセッサによって実行可能である命令を記憶した（および／または符号化した）コンピュータ可読媒体を備え得る。特定の態様では、コンピュータプログラム製品は、パッケージング材料を含み得る。
【０１８０】
[00210]さらに、本明細書で説明された方法および技法を実行するための構成要素および／または他の適切な手段は、適宜、ユーザ端末および／または基地局によってダウンロードされ、および／または他の方法で取得され得ることを諒解されたい。たとえば、そのようなデバイスは、本明細書で説明された方法を実行するための手段の転送を容易にするためにサーバに結合され得る。代替的に、本明細書で説明された様々な方法は、ユーザ端末および／または基地局が記憶手段（たとえば、ＲＡＭ、ＲＯＭ、ＣＤまたはフロッピーディスクなどの物理記憶媒体など）をデバイスに結合するかまたは与えると様々な方法を得ることができるように、記憶手段を介して提供され得る。その上、本明細書で説明された方法および技法をデバイスに与えるための任意の他の好適な技法が利用され得る。
【０１８１】
[00211]特許請求の範囲は、上で示された厳密な構成および構成要素に限定されないことを理解されたい。上で説明された方法および装置の構成、動作および詳細において、特許請求の範囲から逸脱することなく、様々な修正、変更および変形が行われ得る。
【０１８２】
[00212]上記は本開示の態様を対象とするが、本開示の他の態様およびさらなる態様は、それらの基本的範囲から逸脱することなく考案されることが可能であり、それらの範囲は以下の特許請求の範囲によって決定される。
【０１８３】
[00213]以上の説明は、本明細書で説明された様々な態様を、いずれの当業者も実践できるようにするために与えられる。これらの態様に対する様々な修正は当業者には容易に明らかであり、本明細書で定義された一般原理は他の態様に適用されることがある。したがって、特許請求の範囲は、本明細書に示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指す。当業者に知られているか、または後で知られることになる、本開示全体にわたって説明される様々な態様の要素に対するすべての構造的等価物および機能的等価物は、参照により本明細書に明確に組み込まれ、特許請求の範囲によって包含されるものとする。その上、本明細書で開示されるいかなることも、そのような開示が特許請求の範囲に明示的に列挙されているかどうかにかかわらず、公に供するものではない。いかなるクレーム要素も、その要素が「ための手段」という句を使用して明確に列挙されていない限り、または方法クレームの場合には、その要素が「ためのステップ」という句を使用して列挙されていない限り、米国特許法第１１２条（ｆ）の規定の下で解釈されるべきではない。
【図１】
2018519713.tif 000003
【図２】
2018519713.tif 000004
【図３】
2018519713.tif 000005
【図４】
2018519713.tif 000006
【図５Ａ】
2018519713.tif 000007
【図５Ｂ】
2018519713.tif 000008
【図６】
2018519713.tif 000009
【図７】
2018519713.tif 000010
【図８】
2018519713.tif 000011
【図９】
2018519713.tif 000012
【図１０】
2018519713.tif 000013
【図１１】
2018519713.tif 000014
【図１２】
2018519713.tif 000015
【図１３】
2018519713.tif 000016
【国際調査報告】
2018519713.tif 000017
2018519713.tif 000018
2018519713.tif 000019